(57)【要約】アップリンク専用制御チャネル報告構造は、アップリンクトラフィック要求グループキューのワイヤレス端末のバックログ情報を報告するための、複数の異なるビットサイズのレポート、例えば、１ビット、３ビットおよび４ビットのレポート、を含んでいる。より小さなビットサイズのレポートは、より大きなレポートよりもより頻繁に送信される。１ビットの要求レポートは、１組の２つの要求グループキューの中の通信されるべき情報の任意のＭＡＣフレームが存在するか否かを指し示す。３ビットの要求レポートは、第１の組の要求グループキューと第２の組の要求グループキューに対応するバックログ情報の量を指し示す。４ビットの要求レポートは、１組の要求グループキューに対応するバックログ情報の量を指し示す。４ビットの要求レポートは、ワイヤレス端末によって保持されている複数のアップリンクトラフィックチャネル要求グループキューのうちの任意のものに関する情報も報告することができる。
2009521850.tif 000002
【特許請求の範囲】
【請求項１】
送信バックログ情報を報告する方法であって、
１期間にわたって異なるサイズの複数のレポートを使用してバックログ情報を送信するようにモバイルノードを動作させること、
を備える方法。
【請求項２】
前記複数のレポートは、第１の固定サイズおよび第２の固定サイズのレポートを含み、前記第２の固定サイズのレポートは、前記第１の固定サイズのレポートよりも大きい、請求項１に記載の方法。
【請求項３】
前記複数のレポートは、前記第２の固定サイズよりも大きい第３の固定サイズのレポートを含む、請求項２に記載の方法。
【請求項４】
前記の第１、第２および第３の固定サイズは、おのおのサイズが１０情報ビットよりも小さい、請求項３に記載の方法。
【請求項５】
前記の第１、第２および第３の固定サイズのうちの少なくとも２つは、おのおの５より少ない情報ビットを含む、請求項４に記載の方法。
【請求項６】
前記の第１、第２および第３の固定サイズは、おのおの５より少ない情報ビットを含む、請求項５に記載の方法。
【請求項７】
前記の第１、第２および第３の固定サイズのうちの少なくとも１つは、１情報ビットのサイズである、請求項６に記載の方法。
【請求項８】
前記第２のサイズは、３情報ビットであり、前記第３のサイズは、４情報ビットである、請求項７に記載の方法。
【請求項９】
送信することの前記ステップは、前記期間中に前記第２のサイズのレポートよりも多くの第１のサイズのレポートを送信することを含む、請求項２に記載の方法。
【請求項１０】
最小サイズのレポートは、最高優先順位トラフィックのために使用される、請求項２に記載の方法。
【請求項１１】
前記第１の固定サイズは、１ビットであり、前記１ビットは、送信されるべき情報の存在、またはその不在を指し示す、請求項２に記載の方法。
【請求項１２】
最高優先順位のものは、音声または制御のトラフィックである、請求項１０に記載の方法。
【請求項１３】
前記レポートは、複数のキューに関する情報を報告し、各レポートは、１つまたは複数の要求グループのバックログに関する情報を提供する、請求項２に記載の方法。
【請求項１４】
前記第１の固定サイズは、１ビットであり、前記１ビットのレポートは、２つの異なるキューに対応する組み合わされたバックログに関するバックログ情報を提供する、請求項２に記載の方法。
【請求項１５】
前記第２の固定サイズは、３ビットであり、前記第３の固定サイズは、４ビットであり、前記３ビットのレポートは、少なくとも一部の場合に４ビットのレポートからのデルタを通信する、請求項３に記載の方法。
【請求項１６】
前記第２の固定サイズは、３ビットであり、前記３ビットのレポートは、２組のキューに関する情報を提供する、請求項２に記載の方法。
【請求項１７】
前記第３の固定サイズは、４ビットであり、前記４ビットのレポートは、１組のキューに関する情報を提供する、請求項３に記載の方法。
【請求項１８】
前記１組のキューは、１つの要求グループキュー、２つの要求グループキュー、または３つの要求グループキューを含む、請求項１７に記載の方法。
【請求項１９】
前記複数のレポートは、時分割に基づいて送信される、請求項３に記載の方法。
【請求項２０】
専用制御チャネルセグメントは、送信バックログ情報を伝える前記の第１、第２および第３の固定サイズのレポートのうちの多くとも１つを含む、請求項３に記載の方法。
【請求項２１】
ワイヤレス端末に専用の各専用制御チャネルセグメントは、送信バックログ情報を通信するために使用される前記の第１、第２、および第３の固定サイズのレポートのうちの１つをワイヤレス端末が通信する機会、を提供する、請求項３に記載の方法。
【請求項２２】
ワイヤレス端末は、アップリンクトラフィックについての要求グループキューのあらかじめ決定された数を含み、前記第３の固定サイズのレポートは、異なる要求グループキューのうちのどれかに対応するバックログ情報を通信することができる、請求項３に記載の方法。
【請求項２３】
送信されるべき情報を記憶するために使用される複数の異なるキューのうちの少なくとも１つの中の情報の量を監視するためのキューステータス監視モジュールと、
送信バックログ情報を提供する異なるビットサイズのバックログ情報レポートを生成するための送信バックログレポート生成モジュールと、
生成されたバックログ情報レポートの送信を制御するための送信バックログレポート制御モジュールと、
を備えるワイヤレス端末。
【請求項２４】
いつ特定のビットサイズのレポートを送信すべきかを決定する際に前記送信バックログレポート制御モジュールによって使用される、記憶された送信バックログ報告スケジュール情報を、
さらに備える請求項２３に記載のワイヤレス端末。
【請求項２５】
少なくとも一部の前記生成されたバックログ情報レポートを送信するためのＯＦＤＭトランスミッタを、
さらに備える請求項２４に記載のワイヤレス端末。
【請求項２６】
前記ワイヤレス端末に専用のアップリンク制御チャネルセグメントの形で送信バックログ情報レポートを送信するためのトランスミッタを、
さらに備える請求項２３に記載のワイヤレス端末。
【請求項２７】
前記ワイヤレス端末に専用の前記アップリンク制御チャネルセグメントのおのおのは、一様のサイズであり、各セグメントは、多くとも１つの送信バックログ情報レポートを含み、各セグメントは、バックログ情報を送信するために使用されない追加のビットを含む、請求項２６に記載のワイヤレス端末。
【請求項２８】
前記専用アップリンク制御チャネルセグメントの形で送信されるべき情報を符号化するための符号化モジュールを、
さらに備え、
少なくとも一部のセグメントについて、前記符号化モジュールは、非バックログ制御情報を通信するために使用される少なくとも１つの追加レポートを有する送信バックログレポートを符号化する、
請求項２７に記載のワイヤレス端末。
【請求項２９】
前記少なくとも１つの追加レポートは、信号対雑音比レポートと、自己雑音レポートと、干渉レポートと、ワイヤレス端末送信パワーレポートのうちの１つである、請求項２８に記載のワイヤレス端末。
【請求項３０】
前記複数のレポートは、第１の固定サイズと第２の固定サイズのレポートを含み、前記第２の固定サイズのレポートは、前記第１の固定サイズのレポートよりも大きい、請求項２３に記載のワイヤレス端末。
【請求項３１】
前記複数のレポートは、前記第２の固定サイズよりも大きい第３の固定サイズのレポートを含む、請求項２４に記載のワイヤレス端末。
【請求項３２】
前記の第１、第２および第３の固定サイズは、おのおのサイズが１０情報ビットよりも小さい、請求項３１に記載のワイヤレス端末。
【請求項３３】
前記の第１および第２のサイズの前記レポートを使用して通信されることができる、キューステータス情報とビットパターンとの間のマッピングを指し示す記憶されたレポート情報を、さらに備える請求項３２に記載のワイヤレス端末。
【請求項３４】
前記レポート生成モジュールは、異なるセットのキューに対応するステータス情報を、グループ分けするための情報グループ分けモジュールを含む、請求項３３に記載のワイヤレス端末。
【請求項３５】
前記グループ分けモジュールは、異なるビットサイズのレポートについての異なる情報グループ分けをサポートする、請求項３４に記載のワイヤレス端末。
【請求項３６】
前記の第１、第２および第３の固定サイズのうちの少なくとも２つは、５よりも少ない情報ビットを含む、請求項３２に記載のワイヤレス端末。
【請求項３７】
前記の第１、第２および第３の固定サイズは、おのおの５よりも少ない情報ビットを含む、請求項３６に記載のワイヤレス端末。
【請求項３８】
前記の第１、第２および第３の固定サイズのうちの少なくとも１つは、１情報ビットのサイズである、請求項３７に記載のワイヤレス端末。
【請求項３９】
前記第２のサイズは、３情報ビットであり、前記第３のサイズは、４情報ビットである、請求項３８に記載のワイヤレス端末。
【請求項４０】
前記複数のレポートは、第１の固定サイズと第２の固定サイズのレポートを含み、前記第２の固定サイズのレポートは、前記第１の固定サイズのレポートよりも大きく、そして、
前記報告スケジュール情報は、記憶された送信レポートスケジュールの少なくとも１回の反復について、前記第２のサイズのレポートよりも多くの第１のサイズのレポートが送信されるべきであることを指し示す、
請求項２４に記載のワイヤレス端末。
【請求項４１】
前記複数のレポートは、第１の固定サイズと第２の固定サイズのレポートを含み、前記第２の固定サイズのレポートは、前記第１の固定サイズのレポートよりも大きく、最小サイズのレポートは、最高優先順位トラフィックのために使用される、請求項２３に記載のワイヤレス端末。
【請求項４２】
前記第１の固定サイズは、１ビットであり、前記１ビットは、送信されるべき情報の存在、またはその不在を指し示す、請求項４１に記載のワイヤレス端末。
【請求項４３】
最高優先順位のものは、音声または制御のトラフィックである、請求項４２に記載のワイヤレス端末。
【請求項４４】
前記送信バックログレポートは、複数のキューに関する情報を報告し、各レポートは、１つまたは複数の送信要求グループのバックログに関する情報を提供する、請求項２４に記載のワイヤレス端末。
【請求項４５】
前記複数のレポートは、第１の固定サイズと第２の固定サイズのレポートを含み、
前記第１の固定サイズは、１ビットであり、そして、
前記第１のサイズのバックログ情報レポートは、複数の異なる送信キューに対応する組み合わされたバックログに関するバックログ情報を提供する、
請求項２４に記載のワイヤレス端末。
【請求項４６】
前記第２の固定サイズは、３ビットであり、第３の固定サイズは、４ビットであり、前記３ビットのレポートは、少なくとも一部の場合において、４ビットのレポートからのデルタを通信する、請求項４５に記載のワイヤレス端末。
【請求項４７】
前記第２の固定サイズは、３ビットであり、前記３ビットのレポートは、２組のキューに関する情報を提供する、請求項２４に記載のワイヤレス端末。
【請求項４８】
第３の固定サイズは、４ビットであり、前記４ビットのレポートは、１組のキューに関する情報を提供する、請求項２５に記載のワイヤレス端末。
【請求項４９】
前記１組のキューは、１つの要求グループキュー、２つの要求グループキュー、または３つの要求グループキューを含む、請求項４１に記載のワイヤレス端末。
【請求項５０】
専用制御チャネルセグメントは、送信バックログ情報を通信する前記の第１、第２および第３の固定サイズレポートのうちの多くとも１つを含む、請求項２６に記載のワイヤレス端末。
【請求項５１】
前記ワイヤレス端末に専用の各専用制御チャネルセグメントは、前記ワイヤレス端末が、送信バックログ情報を通信するために使用される前記の第１、第２、および第３の固定サイズのレポートのうちの１つを通信する機会、を提供する、請求項２６に記載のワイヤレス端末。
【請求項５２】
前記ワイヤレス端末は、アップリンクトラフィックについてのあらかじめ決定された数の要求グループキューを含み、第３の固定サイズのレポートは、異なる要求グループキューのうちのどれかに対応するバックログ情報を通信することができる、請求項２６に記載のワイヤレス端末。
【発明の詳細な説明】
【発明の分野】
【０００１】
本発明は、ワイヤレス通信の方法および装置に関し、より詳細には、通信される制御情報、例えば、送信バックログレポート(transmission backlog reports)を報告し解釈するための方法および装置に関する。
【背景】
【０００２】
ワイヤレス端末から基地局へのアップリンクトラフィック(uplink traffic)、例えば、アップリンクユーザデータをサポートするワイヤレス通信システムにおけるワイヤレス端末は、制御情報とユーザデータの両方を通信するためにアップリンクエアリンクリソース(uplink air link resource)を使用する必要がある。多重アクセスワイヤレス通信システムにおいては、一般的に基地局アタッチメントポイント(base station attachment point)を使用する複数のワイヤレス端末が、貴重なアップリンクエアリンクリソース、例えば、アップリンクトラフィックチャネルのエアリンクリソースを求めて競合している。アップリンクトラフィックチャネルリソースを区分する１つのアプローチは、ワイヤレス端末が、リソース要求をそれらの現在の基地局アタッチメントポイントに対して送信することであり、そして基地局が、競合する要求を考慮し、そのスケジューリングルールに従って、リソース、例えば、アップリンクトラフィックチャネルセグメント(uplink traffic channel segment)を割り付けることである。
【０００３】
個々のワイヤレス端末は、例えば、通信されるべきユーザデータのタイプ（単数または複数）、例えば、音声、イメージデータ、ウェブブラウザ情報、データファイルなど、レイテンシ要件、あらかじめ決定されたデータのグループ分け、および／または優先レベルなど、様々なファクタに応じて、異なる時刻にアップリンクトラフィックチャネルリソースについての異なるニーズを有する。
【０００４】
単一サイズのアップリンクトラフィックチャネル要求レポートは、広い範囲のアップリンクトラフィックチャネル要求情報を効率的に通信するためには、あまり適してはいない。大きなビットサイズの要求レポートは、単一のレポートについての大量のオーバーヘッドを表し、それ故に一般的に、まれにしか通信されず、これは、レイテンシが重要な考慮事項である場合には、深刻な短所となる可能性がある。さらに、要求の範囲が非常に限られており、例えば、各要求が一般的に１つまたは２つのフレームにわたる場合のアプリケーションにおいては、多数のビットを単一の要求レポートに対して専用にすることは、無駄が多い可能性がある。それとは正反対に、与えられたある時点において、大量の要求情報が通信される必要がある可能性がある場合のアプリケーションでは、小さいサイズのアップリンク要求レポートは、あまり適していない。
【０００５】
以上の考察に基づいて、広範なタイプのワイヤレス端末と、アプリケーションの混合に対応しているアップリンクトラフィックチャネルリソース要求構造をインプリメントする方法および装置についての必要性があることが理解されるべきである。また、アップリンクトラフィックチャネルリソースについての個々のワイヤレス端末の変化するニーズを効率的に通信することができる少なくとも一部の方法および装置についての必要性も存在する。情報レポートサイズと、報告の頻度とをバランスさせる方法および装置は、有益であろう。複数のアップリンクトラフィックチャネル要求グループのメンテナンス、および／または複数のアップリンクトラフィックチャネル要求グループのバックログ情報(multiple uplink traffic channel request group backlog information)の通信をサポートする方法および装置もまた、有益であろう。
【発明の開示】
【概要】
【０００６】
本発明は、送信バックログ情報(transmission backlog information)を報告するための改善された方法および装置を対象としている。本発明はまた、報告された送信バックログ情報を受信し使用するための方法および装置も対象としている。
【０００７】
本発明に従って送信バックログ情報を報告する例示の一方法は、ある期間にわたって異なるサイズの複数のレポートを使用してバックログ情報を送信するためにワイヤレス端末、例えば、モバイルノードを動作させることを含んでいる。例えば、少なくとも１つの実施形態においては、複数のレポートは、第１の固定サイズのレポートと、第２の固定サイズが、第１の固定サイズのレポートよりも大きい、第２の固定サイズのレポートとを含んでいる。様々な実施形態においては、複数のレポートはまた、第３の固定サイズが、第２の固定サイズよりも大きい、第３の固定サイズのレポートも含んでいる。一部の実施形態においては、第１、第２および第３の固定サイズは、おのおのサイズが１０情報ビットよりも小さい。一部のそのような実施形態においては、第１、第２、および第３の固定サイズは、おのおの５情報ビットよりも小さい。特定の例示の一実施形態においては、第１の固定サイズは、１情報ビットであり、第２の固定サイズは、３情報ビットであり、第３の固定サイズは、４情報ビットである。
【０００８】
様々な実施形態においては、送信することのステップは、その期間中に、例えば、リカーリング報告構造(recurring reporting structure)の一反復中(during one iteration)に、第２のサイズのレポートよりも多い第１のサイズのレポートを送信することを含んでいる。第１のサイズが１ビットである一部の実施形態においては、１ビットのレポートは、１組のキューに対応する送信されるべき情報の存在、または不在を指し示す。１ビットのレポートは、２つの要求グループのキューの組合せに対応し、２つの要求グループのキューのうちの任意のキューが送信されるべきデータを含む場合に、送信されるべきデータの存在を指し示すように設定されることができる。様々な実施形態においては、最小サイズのレポートは、最高優先順位トラフィック、例えば、音声または制御のトラフィックのために使用される。
【０００９】
一部の実施形態においては、レポートは、複数のキューに関する情報を通信し、各レポートは、キューが対応する１つまたは複数の要求グループのバックログに関する情報を提供する。一部の実施形態においては、第２の固定サイズのレポート、例えば、３ビットのレポートは、少なくとも一部の場合において、以前に通信された第３の固定サイズのレポート、例えば、４ビットのレポートの形で通信される情報からのデルタ(delta)を通信するために使用される。様々な実施形態においては、第２の固定サイズのレポートは、２組のキューに関する情報を報告する。様々な実施形態においては、第３の固定サイズのレポートは、１組のキューに関する情報を提供する。一部のそのような実施形態においては、１組のキューは、１つの要求グループキュー、２つの要求グループキュー、あるいは３つの要求グループキューを含んでいる。一部の実施形態においては、ワイヤレス端末は、アップリンクトラフィックについてのあらかじめ決定された数の要求グループキュー、例えば、４つの要求グループ（ＲＧ０、ＲＧ１、ＲＧ２、およびＲＧ３）を含み、第３の固定サイズのレポートは、異なる要求グループのうちの任意のものに対応するバックログ情報を送信することが可能である。
【００１０】
様々な実施形態においては、複数のレポートは、時分割(time shared)ベースで送信される。一部のそのような実施形態においては、専用の制御チャネルセグメントは、送信バックログ情報を通信する前記第１、第２および第３の固定サイズのレポートのうちの多くとも１つを含んでいる。一部の実施形態においては、ワイヤレス端末に割り付けられる専用の各制御チャネルセグメントは、ワイヤレス端末が、送信バックログ情報を通信するために使用される前記第１、第２および第３の固定サイズのレポートのうちの１つを通信する機会を提供する。
【００１１】
本発明の様々な実施形態に従ってインプリメントされる例示の１つのワイヤレス端末は、送信されるべき情報を記憶するために使用される複数の異なるキューのうちの少なくとも１つの中の情報の量を監視するためのキューステータス監視モジュール(queue status monitoring module)と、送信バックログ情報を提供する異なるビットサイズのバックログレポートを生成するための送信バックログレポート生成モジュール(transmission backlog report generation module)と、生成されたバックログ情報レポートの送信を制御するための送信バックログレポート制御モジュール(transmission backlog report control module)と、を含む。一部の実施形態においては、異なるビットサイズのバックログレポートは、固定ビットサイズのレポート、例えば、第１の固定ビットサイズのレポート、第２の固定ビットサイズのレポート、および第３の固定ビットサイズのレポートである。例示のワイヤレス端末はまた、生成されたバックログ情報レポートの少なくとも一部を例えば基地局に対して送信するためのトランスミッタ、例えば、ＯＦＤＭトランスミッタを含んでいる。様々な実施形態においては、専用の制御チャネルセグメントが、バックログ情報レポートを送信するためにワイヤレス端末によって使用される。一部のそのような実施形態においては、ワイヤレス端末は、専用の制御チャネルセグメントにおいて、そして専用の制御チャネルセグメントの少なくとも一部について送信されるべき情報を符号化するための符号化モジュールをさらに含んでおり、その符号化モジュールは、非バックログ制御情報(non-backlog control information)を通信するために使用される少なくとも１つの追加のレポートを有する送信バックログレポートを符号化する。
【００１２】
様々な実施形態においては、ワイヤレス端末はまた、異なるビットサイズのレポートを使用して通信されることができるキューステータス情報とビットパターンとのマッピングを指し示す記憶されたレポート情報を含んでいる。一部の実施形態においては、ワイヤレス端末はまた、報告スケジュール情報(reporting schedule information)、例えば、リカーリング報告スケジュールの情報を含んでおり、この報告スケジュール情報は、記憶された送信レポートスケジュールの少なくとも１回の反復のために、第２のサイズのレポートよりも多くの第１のサイズのレポートが、通信されることになることを指し示す。
【００１３】
様々な実施形態が、以上の概要の中で論じられているが、必ずしもすべての実施形態が、同じ特徴を含んでいるとは限らず、上記特徴の一部は、一部の実施形態においては必要ではないことが理解されるべきである。本発明の非常に多くの追加の特徴、実施形態および利点が、以下に続く詳細な説明の中で論じられる。
【発明の詳細な説明】
【００１４】
図１は、本発明に従ってインプリメントされる例示の通信システム１００を示している。例示の通信システム１００は、複数のセル：セル１  １０２、セルＭ  １０４を含んでいる。例示のシステム１００は、例えば、多重アクセスＯＦＤＭシステムなど、例示の直交周波数分割多重化（ＯＦＤＭ）スペクトル拡散ワイヤレス通信システムである。例示のシステム１００の各セル１０２、１０４は、３つのセクタを含んでいる。複数のセクタに細分されていないセル（Ｎ＝１）と、２つのセクタを有するセル（Ｎ＝２）と、３つよりも多いセクタを有するセル（Ｎ＞３）もまた、本発明に従って可能である。各セクタは、１つまたは複数のキャリアおよび／またはダウンリンクトーンブロックをサポートする。一部の実施形態においては、各ダウンリンクトーンブロックは、対応するアップリンクトーンブロックを有する。一部の実施形態においては、少なくとも一部のセクタは、３つのダウンリンクトーンブロックをサポートする。セル１０２は、第１のセクタ、セクタ１  １１０と、第２のセクタ、セクタ２  １１２と、第３のセクタ、セクタ３  １１４とを含む。同様にセルＭ  １０４は、第１のセクタ、セクタ１  １２２と、第２のセクタ、セクタ２  １２４と、第３のセクタ、セクタ３  １２６とを含む。セル１  １０２は、基地局（ＢＳ）、基地局１  １０６と、各セクタ１１０、１１２、１１４の中の複数のワイヤレス端末（ＷＴ）とを含む。セクタ１  １１０は、それぞれワイヤレスリンク１４０、１４２を経由してＢＳ１０６に結合されるＷＴ（１）１３６とＷＴ（Ｎ）１３８とを含み、セクタ２  １１２は、それぞれワイヤレスリンク１４８、１５０を経由してＢＳ１０６に結合されるＷＴ（１’）１４４とＷＴ（Ｎ’）１４６とを含み、セクタ３  １１４は、それぞれワイヤレスリンク１５６、１５８を経由してＢＳ１０６に結合されるＷＴ（１’’）１５２とＷＴ（Ｎ’’）１５４とを含む。同様にセルＭ  １０４は、基地局Ｍ  １０８と、各セクタ１２２、１２４、１２６の中の複数のワイヤレス端末（ＷＴ）とを含む。セクタ１  １２２は、それぞれワイヤレスリンク１８０、１８２を経由してＢＳ  Ｍ１０６に結合されるＷＴ（１’’’’）１６８とＷＴ（Ｎ’’’’）１７０とを含み、セクタ２  １２４は、それぞれワイヤレスリンク１８４、１８６を経由してＢＳ  Ｍ１０８に結合されるＷＴ（１’’’’’）１７２とＷＴ（Ｎ’’’’’）１７４とを含み、セクタ３  １２６は、それぞれワイヤレスリンク１８８、１９０を経由してＢＳ  Ｍ１０８に結合されるＷＴ（１’’’’’’）１７６とＷＴ（Ｎ’’’’’’）１７８とを含む。
【００１５】
システム１００はまた、ネットワークリンク１６２、１６４をそれぞれ経由してＢＳ１  １０６とＢＳ  Ｍ１０８に結合されるネットワークノード１６０も含んでいる。ネットワークノード１６０はまた、他のネットワークノードに、例えば、他の基地局、ＡＡＡサーバノード、中間ノード、ルータなど、およびインターネットにネットワークリンク１６６を経由して結合される。ネットワークリンク１６２、１６４、１６６は、例えば、光ファイバケーブルとすることができる。各ワイヤレス、例えば、ＷＴ１  １３６は、トランスミッタならびにレシーバを含んでいる。少なくとも一部のワイヤレス端末、例えば、ＷＴ（１）１３６は、システム１００を介して移動することができ、ＷＴが現在、例えば基地局セクタアタッチメントポイント(base station sector attachment point)を使用して所在が見出されるセルにおいて基地局とワイヤレスリンクを経由して通信することができるモバイルノードである。ワイヤレス端末、（ＷＴ）、例えば、ＷＴ（１）１３６は、ピアノードと、例えば、システム１００の中の、またはシステム１００の外側の他のＷＴと、基地局、例えば、ＢＳ  １０６および／またはネットワークノード１６０を経由して通信することができる。ＷＴ、例えば、ＷＴ（１）１３６は、セル電話、ワイヤレスモデムを有する携帯型個人情報端末(personal data assistant)、ワイヤレスモデムを有するラップトップコンピュータ、ワイヤレスモデムを有するデータ端末などのモバイル通信デバイスとすることができる。
【００１６】
図２は、本発明に従ってインプリメントされる例示の基地局１２を示している。例示の基地局１２は、図１の例示の基地局のうちの任意のものとすることができる。基地局１２は、アンテナ２０３、２０５と、レシーバトランスミッタモジュール２０２、２０４を含んでいる。レシーバモジュール２０２は、デコーダ２３３を含むが、トランスミッタモジュール２０４は、エンコーダ２３５を含んでいる。モジュール２０２、２０４は、バス２３０によってＩ／Ｏインターフェース２０８と、プロセッサ（例えば、ＣＰＵ）２０６と、メモリ２１０に結合される。Ｉ／Ｏインターフェース２０８は、基地局１２を他のネットワークノードおよび／またはインターネットに結合する。メモリ２１０は、プロセッサ２０６によって実行されるときに、基地局１２を本発明に従って動作するようにさせるルーチンを含んでいる。メモリ２１０は、様々な通信オペレーションを実行し、様々な通信プロトコルをインプリメントするように基地局１２を制御するために使用される通信ルーチン２２３を含んでいる。メモリ２１０は、本発明の方法のステップをインプリメントするように基地局１２を制御するために使用される基地局制御ルーチン２２５も含んでいる。基地局制御ルーチン２２５は、送信スケジューリングおよび／または通信リソースアロケーションを制御するために使用されるスケジューリングモジュール２２６を含んでいる。したがって、モジュール２２６は、スケジューラとしての機能を果たすことができる。基地局制御ルーチン２２５は、本発明の方法、例えば、受信されたＤＣＣＨレポートを処理すること、ＤＣＣＨモードに関連した制御を実行すること、ＤＣＣＨセグメントを割り付けることなどをインプリメントする専用制御チャネルモジュール２２７も含んでいる。メモリ２１０は、通信ルーチン２２３と、制御ルーチン２２５によって使用される情報も含んでいる。データ／情報２１２は、複数のワイヤレス端末（ＷＴ  １データ／情報２１３、ＷＴ  Ｎデータ／情報２１３’）についての１組のデータ／情報を含んでいる。ＷＴ  １データ／情報２１３は、モード情報２３１と、ＤＣＣＨレポート情報２３３と、リソース情報２３５と、セッション情報２３７とを含む。データ／情報２１２は、システムデータ／情報２２９も含んでいる。
【００１７】
図３は、本発明に従ってインプリメントされる例示のワイヤレス端末１４、例えば、モバイルノードを示している。例示のワイヤレス端末１４は、図１の例示のワイヤレス端末のうちの任意のものとすることができる。ワイヤレス端末１４、例えば、モバイルノードは、モバイル端末（ＭＴ）として使用されることができる。ワイヤレス端末１４は、レシーバモジュール３０２とトランスミッタモジュール３０４にそれぞれ結合されるレシーバアンテナ３０３とトランスミッタアンテナ３０５を含んでいる。レシーバモジュール３０２は、デコーダ３３３を含むが、トランスミッタモジュール３０４は、エンコーダ３３５を含んでいる。レシーバ／トランスミッタモジュール３０２、３０４は、バス３０５によってメモリ３１０に結合される。プロセッサ３０６は、メモリ３１０に記憶される１つまたは複数のルーチンの制御の下で、ワイヤレス端末１４を本発明の方法に従って動作するようにさせる。ワイヤレス端末オペレーションを制御するために、メモリ３１０は、通信ルーチン３２３とワイヤレス端末制御ルーチン３２５を含んでいる。通信ルーチン３２３は、様々な通信オペレーションを実行し、様々な通信プロトコルをインプリメントするようにワイヤレス端末１４を制御するために使用される。ワイヤレス端末制御ルーチン３２５は、ワイヤレス端末が、本発明の方法に従って動作し、ワイヤレス端末オペレーションに関してステップを実行することを保証するための役割を担う。ワイヤレス端末制御ルーチン３２５は、ＤＣＣＨモジュール３２７を含み、このＤＣＣＨモジュールは、本発明の方法をインプリメントし、例えば、ＤＣＣＨレポートの中で使用される測定の実行を制御し、ＤＣＣＨレポートを生成し、ＤＣＣＨレポートの送信を制御し、ＤＣＣＨモードを制御することなどを行う。メモリ３１０は、本発明の方法をインプリメントするためにアクセスされ、使用されることができるユーザ／デバイス／セッション／リソース情報３１２、および／または本発明をインプリメントするために使用されるデータ構造も含む。情報３１２は、ＤＣＣＨレポート情報３３０とモード情報３３２とを含んでいる。メモリ３１０は、例えば、アップリンクおよびダウンリンクのチャネル構造情報を含めて、システムデータ／情報３２９も含んでいる。
【００１８】
図４は、例示の直交周波数分割多重化(orthogonal frequency division multiplexing)（ＯＦＤＭ）多元接続ワイヤレス通信システムにおける、例示のアップリンクのタイミングおよび周波数の構造における例示のアップリンク専用制御チャネル(dedicated control channel)（ＤＣＣＨ）セグメントのドローイング４００である。アップリンク専用制御チャネルは、ワイヤレス端末から基地局への専用制御レポート(Dedicated Control Report)（ＤＣＲ）を送信するために使用される。垂直軸４０２は、論理アップリンクトーンインデックス(logical uplink tone index)をプロットしているが、水平軸４０４は、ビーコンスロット内のハーフスロットのアップリンクインデックスをプロットしている。この例においては、アップリンクトーンブロックは、インデックス付けされた１１３個の論理アップリンクトーン（０、...、１１２）を含み、ハーフスロット内の７つの連続するＯＦＤＭシンボル送信期間と、スーパースロット内の１６個の連続するハーフスロットによって追随される２つの追加のＯＦＤＭシンボル期間と、ビーコンスロット内の８個の連続するスーパースロットが存在する。スーパースロット内の第１の９つのＯＦＤＭシンボル送信期間は、アクセス間隔であり、専用制御チャネルは、そのアクセス間隔のエアリンクリソース(air link resource)を使用してはいない。
【００１９】
例示の専用制御チャネルは、３１個の論理トーン（アップリンクトーンインデックス８１  ４０６、アップリンクトーンインデックス８２  ４０８、...、アップリンクトーンインデックス１１１  ４１０）に細分される。論理アップリンク周波数構造における各論理アップリンクトーン（８１、...、１１１）は、ＤＣＣＨチャネル（０、...、３０）に関してインデックス付けされた論理トーンに対応する。
【００２０】
専用制御チャネルの中の各トーンでは、４０列（４１２、４１４、４１６、４１８、４２０、４２２、...、４２４）に対応するビーコンスロットの中に４０個のセグメントが存在する。セグメント構造は、ビーコンスロットに基づいて反復する。専用制御チャネルの中の与えられたトーンでは、ビーコンスロット４２８に対応する４０個のセグメントが存在し、ビーコンスロットのうちの８つのスーパースロットのおのおのは、その与えられたトーンについての５個の連続するセグメントを含んでいる。例えば、ＤＣＣＨのトーン０に対応する、ビーコンスロット４２８の第１のスーパースロット４２６では、５個のインデックス付けされたセグメント（セグメント［０］［０］、セグメント［０］［１］、セグメント［０］［２］、セグメント［０］［３］、セグメント［０］［４］）が存在する。同様に、ＤＣＣＨのトーン１に対応する、ビーコンスロット４２８の第１のスーパースロット４２６では、５個のインデックス付けされたセグメント（セグメント［１］［０］、セグメント［１］［１］、セグメント［１］［２］、セグメント［１］［３］、セグメント［１］［４］）が存在する。同様に、ＤＣＣＨのトーン３０に対応する、ビーコンスロット４２８の第１のスーパースロット４２６では、５個のインデックス付けされたセグメント（セグメント［３０］［０］、セグメント［３０］［１］、セグメント［３０］［２］、セグメント［３０］［３］、セグメント［３０］［４］）が存在する。
【００２１】
この例においては、各セグメント、例えば、セグメント［０］［０］は、３つの連続するハーフスロットについて１つのトーンを備え、例えば、２１個のＯＦＤＭトーンシンボルの割り付けられたアップリンクエアリンクリソースを表している。一部の実施形態においては、論理アップリンクトーンは、論理トーンに関連する物理トーンが、連続するハーフスロットについては異なる可能性があり、与えられたハーフスロット中には一定のままであるように、アップリンクトーンホッピングシーケンス(uplink tone hopping sequence)に従って物理トーンに対してホップさせられる。
【００２２】
本発明の一部の実施形態においては、与えられたトーンに対応する１組のアップリンク専用制御チャネルセグメントは、複数の異なるフォーマットのうちの１つを使用することができる。例えば、例示の一実施形態においては、ビーコンスロットについての与えられたトーンでは、ＤＣＣＨセグメントの組は、２つのフォーマット：スプリットトーンフォーマットとフルトーンフォーマットのうちの一方を使用することができる。フルトーンフォーマットにおいては、トーンに対応する１組のアップリンクＤＣＣＨセグメントは、単一のワイヤレス端末によって使用される。スプリットトーンフォーマットにおいては、トーンに対応する１組のアップリンクＤＣＣＨセグメントは、時分割多重化の方法で３つまでのワイヤレス端末によって共用される。基地局および／またはワイヤレス端末は、一部の実施形態においては、あらかじめ決定されたプロトコルを使用して与えられたＤＣＣＨトーンについてのフォーマットを変更することができる。異なるＤＣＣＨトーンに対応するアップリンクＤＣＣＨセグメントのフォーマットは、一部の実施形態においては、独立に設定されることができ、異なる可能性がある。
【００２３】
一部の実施形態においては、いずれのフォーマットにおいても、ワイヤレス端末は、デフォルトモードのアップリンク専用制御チャネルセグメントをサポートすべきである。一部の実施形態においては、ワイヤレス端末は、デフォルトモードのアップリンク専用制御チャネルセグメントと、１つまたは複数のモードのアップリンク専用制御チャネルセグメントをサポートする。そのようなモードは、アップリンク専用制御チャネルセグメントにおける情報ビットの解釈を定義している。基地局および／またはＷＴは、一部の実施形態においては、例えば上位レイヤコンフィギュレーションプロトコル(upper layer configuration protocol)を使用して、モードを変更する。様々な実施形態においては、異なるトーンに対応するアップリンクＤＣＣＨセグメント、あるいは同じトーンに対応するが異なるＷＴによって使用されるアップリンクＤＣＣＨセグメントは、独立に設定されることができ、異なる可能性がある。
【００２４】
図５は、例示の直交周波数分割多重化（ＯＦＤＭ）多元接続ワイヤレス通信システムにおける、例示のアップリンクのタイミングおよび周波数の構造における例示の専用制御チャネルのドローイング５００を含んでいる。ドローイング５００は、トーンに対応する各組のＤＣＣＨセグメントが、フルトーンフォーマットである時に、図４のＤＣＣＨ４００を表すことができる。垂直軸５０２は、ＤＣＣＨの論理トーンインデックスをプロットしているが、水平軸５０４は、ビーコンスロット内のハーフスロットのアップリンクインデックスをプロットしている。例示の専用制御チャネルは、３１個の論理トーン（トーンインデックス０  ５０６、トーンインデックス１  ５０８、...、トーンインデックス３０  ５１０）に細分される。専用制御チャネルにおける各トーンでは、４０列（５１２、５１４、５１６、５１８、５２０、５２２、...、５２４）に対応するビーコンスロットの中に４０個のセグメントが存在する。専用制御チャネルの各論理トーンは、基地局をアタッチメントのその現在のポイントとして使用する異なるワイヤレス端末に対して基地局によって割り当てられることができる。例えば、論理（トーン０  ５０６、トーン１  ５０８、...、トーン３０  ５１０）は、現在、それぞれ（ＷＴ  Ａ５３０、ＷＴ  Ｂ５３２、...、ＷＴ  Ｎ’５３４）に対して割り当てられることができる。
【００２５】
図６は、例示の直交周波数分割多重化（ＯＦＤＭ）多元接続ワイヤレス通信システムにおける、例示のアップリンクのタイミングおよび周波数の構造における例示の専用制御チャネルのドローイング６００を含んでいる。ドローイング６００は、トーンに対応する各組のＤＣＣＨセグメントが、スプリットトーンフォーマットである時に、図４のＤＣＣＨ４００を表すことができる。垂直軸６０２は、ＤＣＣＨの論理トーンインデックスをプロットしているが、水平軸６０４は、ビーコンスロット内のハーフスロットのアップリンクインデックスをプロットしている。例示の専用制御チャネルは、３１個の論理トーン（トーンインデックス０  ６０６、トーンインデックス１  ６０８、...、トーンインデックス３０  ６１０）に細分される。専用制御チャネルにおける各トーンでは、４０列（６１２、６１４、６１６、６１８、６２０、６２２、...、６２４）に対応するビーコンスロットの中に４０個のセグメントが存在する。専用制御チャネルの各論理トーンは、基地局をアタッチメントのそれらの現在のポイントとして使用する３つまでの異なるワイヤレス端末に対して基地局によって割り当てられることができる。与えられたトーンでは、セグメントは、１３個のセグメントが３つのワイヤレス端末のおのおのについて割り付けられて、３つのワイヤレス端末の間で交互になり、４０番目のセグメントは、留保される。ＤＣＣＨチャネルのエアリンクリソースのこの例示の分割は、例示のビーコンスロットについてＤＣＣＨチャネルリソースを割り付けられている全部で９３個の異なるワイヤレス端末を表す。例えば、論理トーン０  ６０６は現在、ＷＴ  Ａ６３０、ＷＴ  Ｂ６３２、およびＷＴ  Ｃ６３４に対して割り当てられ、それらによって共用されることができ、論理トーン１  ６０８は現在、ＷＴ  Ｄ６３６、ＷＴ  Ｅ６３８、およびＷＴ  Ｆ６４０に対して割り当てられ、それらによって共用されることができ、論理トーン３０  ６１０は現在、ＷＴ  Ｍ’’’６４２、ＷＴ  Ｎ’’’６４４、およびＷＴ  Ｏ’’’６４６に対して割り当てられることができる。ビーコンスロットでは、例示のＷＴ（６３０、６３２、６３４、６３６、６３８、６４０、６４２、６４４、６４６）のおのおのは、１３個のＤＣＣＨセグメントを割り付けられる。
【００２６】
図７は、例示の直交周波数分割多重化（ＯＦＤＭ）多元接続ワイヤレス通信システムにおける、例示のアップリンクのタイミングおよび周波数の構造における例示の専用制御チャネルのドローイング７００を含んでいる。ドローイング７００は、トーンに対応するＤＣＣＨセグメントの組の一部が、フルトーンフォーマットであり、トーンに対応するＤＣＣＨセグメントの組の一部が、スプリットトーンフォーマットである時に、図４のＤＣＣＨ４００を表すことができる。垂直軸７０２は、ＤＣＣＨの論理トーンインデックスをプロットしているが、水平軸７０４は、ビーコンスロット内のハーフスロットのアップリンクインデックスをプロットしている。例示の専用制御チャネルは、３１個の論理トーン（トーンインデックス０  ７０６、トーンインデックス１  ７０８、トーンインデックス２  ７０９、...、トーンインデックス３０  ７１０）に細分される。専用制御チャネルにおける各トーンでは、４０列（７１２、７１４、７１６、７１８、７２０、７２２、...、７２４）に対応するビーコンスロットの中に４０個のセグメントが存在する。この例においては、論理トーン０  ７０８に対応するセグメントの組は、スプリットトーンフォーマットであり、現在、ＷＴ  Ａ７３０、ＷＴ  Ｂ７３２、およびＷＴＣ７３４に対して割り当てられ、それらによって共用されており、それらのおのおのは、１３個のセグメントを受信しており、１個のセグメントは留保されている。論理トーン１  ７０８に対応するセグメントの組もまた、スプリットトーンフォーマットであるが、現在、２つのＷＴ、ＷＴ  Ｄ７３６、ＷＴ  Ｅ７３８に対して割り当てられ、それらによって共用されており、それらのおのおのは、１３個のセグメントを受信している。トーン１  ７０８では、１３個の割り当てられていないセグメントの組と、１つの留保されたセグメントが存在する。論理トーン２  ７０９に対応するセグメントの組もまた、スプリットトーンフォーマットであるが、現在、１つのＷＴ、ＷＴ  Ｆ７３９に対して割り当てられ、１３個のセグメントを受信している。トーン２  ７０９では、組当たりに１３個の割り当てられていないセグメントを有する２つの組と、１つの留保されたセグメントが存在する。論理トーン３０  ７１０に対応するセグメントの組は、フルトーンフォーマットであり、現在、ＷＴ  Ｐ’７４０に対して割り当てられており、ＷＴＰ’７４０は、使用するために全部の４０個のセグメントを受信している。
【００２７】
図８は、本発明に従って、例示のアップリンクＤＣＣＨにおける、フォーマットと、ＤＣＣＨセグメントにおける情報ビットの解釈を定義するモードの使用を示すドローイング８００である。ＤＣＣＨの１つのトーンに対応する行８０２は、ＤＣＣＨの１５個の連続するセグメントを示し、このＤＣＣＨにおいては、スプリットトーンフォーマットが使用され、それ故にトーンは、３つのワイヤレス端末によって共用され、３つのＷＴのうちの任意の１つによって使用されるモードは、異なる可能性がある。一方では、行８０４は、フルトーンフォーマットを使用した１５個の連続するＤＣＣＨセグメントを示し、単一のワイヤレス端末によって使用される。凡例８０５は、垂直線シェーディング８０６を有するセグメントは、第１のＷＴユーザによって使用され、斜め線シェーディング８０８を有するセグメントは、第２のＷＴユーザによって使用され、水平線シェーディング８１０を有するセグメントは、第３のＷＴユーザによって使用され、クロスハッチシェーディング８１２を有するセグメントは、第４のＷＴユーザによって使用される。
【００２８】
図９は、異なるモードのオペレーションを示すドローイング８００に対応するいくつかの例を示している。ドローイング９００の例においては、第１、第２、および第３のＷＴは、スプリットトーンフォーマットでＤＣＣＨトーンを共用しているが、第４のＷＴは、フルトーンフォーマットでトーンを使用している。ドローイング９００の例に対応するＷＴのおのおのは、ＤＣＣＨセグメントにおける情報ビットのデフォルトモードの解釈に従ってデフォルトモードのアップリンク専用制御チャネルセグメントを使用している。スプリットトーンフォーマット（ＤＳ）についてのデフォルトモードは、フルトーンフォーマット（ＤＦ）についてのデフォルトモードとは異なる。
【００２９】
ドローイング９００の例においては、第１、第２および第３のＷＴは、スプリットトーンフォーマットでＤＣＣＨトーンを共用しているが、第４のＷＴは、フルトーンフォーマットでトーンを使用している。ドローイング９２０の例に対応する（第１、第２、および第３の）ＷＴのおのおのは、異なるモードのアップリンク専用制御チャネルセグメントを使用しており、おのおのは、ＤＣＣＨセグメントにおける情報ビットの異なる解釈に従う。第１のＷＴは、スプリットトーンフォーマットでは、モード２を使用しており、第２のワイヤレス端末は、スプリットトーンフォーマットでは、デフォルトモードを使用しており、第３のＷＴは、スプリットトーンフォーマットでは、モード１を使用している。さらに、第４のＷＴは、フルトーンフォーマットでは、デフォルトモードを使用している。
【００３０】
ドローイング９４０の例においては、第１、第２および第３のＷＴは、スプリットトーンフォーマットでＤＣＣＨトーンを共用しているが、第４のＷＴは、フルトーンフォーマットでトーンを使用している。ドローイング９４０の例に対応する（第１、第２、第３、および第４の）ＷＴのおのおのは、異なるモードのアップリンク専用制御チャネルセグメントを使用しており、おのおのは、ＤＣＣＨセグメントにおける情報ビットの異なる解釈に従う。第１のＷＴは、スプリットトーンフォーマットでは、モード２を使用しており、第２のワイヤレス端末は、スプリットトーンフォーマットでは、デフォルトモードを使用しており、第３のＷＴは、スプリットトーンフォーマットでは、モード１を使用しており、第４のＷＴは、フルトーンフォーマットでは、モード３を使用している。
【００３１】
図１０は、与えられたＤＣＣＨトーンについてのビーコンスロットにおける例示のデフォルトモードのフルトーンフォーマットを示すドローイング１０９９である。図１０においては、各ブロック（１０００、１００１、１００２、１００３、１００４、１００５、１００６、１００７、１００８、１００９、１０１０、１０１１、１０１２、１０１３、１０１４、１０１５、１０１６、１０１７、１０１８、１０１９、１０２０、１０２１、１０２２、１０２３、１０２４、１０２５、１０２６、１０２７、１０２８、１０２９、１０３０、１０３１、１０３２、１０３３、１０３４、１０３５、１０３６、１０３７、１０３８、１０３９）は、セグメントのインデックスｓ２（０、...、３９）がブロック上に長方形領域１０４０の中に示される、１個のセグメントを表す。各ブロック、例えば、セグメント０を表すブロック１０００は、６情報ビットを伝え、各ブロックは、セグメントの中の６ビットに対応する６行を備え、ここで、ビットは、長方形領域１０４３に示されるように、最上行から最下行へと下向きに最上位ビットから最下位ビットへとリストアップされる。
【００３２】
例示の実施形態では、図１０に示されるフレーミングフォーマットは、デフォルトモードのフルトーンフォーマットが使用されるときに、以下を例外として、あらゆるビーコンスロットにおいて繰り返し使用される。ワイヤレス端末が現在の接続においてオン状態(ON state)へとマイグレートした後の第１のアップリンクスーパースロットにおいては、ＷＴは、図１１に示されるフレーミングフォーマットを使用すべきである。第１のアップリンクスーパースロットは、ＷＴがアクセス状態(ACCESS state)からオン状態へとマイグレートするときのシナリオについて、ＷＴがホールド状態(HOLD state)からオン状態へとマイグレートするときのシナリオについて、そしてＷＴが別の接続のオン状態からオン状態へとマイグレートするときのシナリオについて定義される。
【００３３】
図１１は、ＷＴが、オン状態へとマイグレートした後の第１のアップリンクスーパースロットにおける、アップリンクＤＣＣＨセグメントのフルトーンフォーマットにおけるデフォルトモードの例示の定義を示している。ドローイング１１９９は、セグメント上の長方形１１０６によって示されるようにスーパースロットにおけるセグメントインデックス番号ｓ２＝（０、１、２、３、４）にそれぞれ対応する５個の連続するセグメント（１１００、１１０１、１１０２、１１０３、１１０４）を含んでいる。各ブロック、例えば、スーパースロットのセグメント０を表すブロック１１００は、６情報ビットを伝え、各ブロックは、セグメントの中の６ビットに対応する６行を備え、ここでビットは、長方形領域１１０８に示されるように最上行から最下行へと下向きに最上位ビットから最下位ビットへとリストアップされる。
【００３４】
例示の実施形態においては、ホールド状態からオン状態へとマイグレートするシナリオにおいて、ＷＴは、第１のＵＬスーパースロットの始めからアップリンクＤＣＣＨチャネルを送信することを開始し、それ故に第１のアップリンクＤＣＣＨセグメントは、図１１の最も左の情報列の中の情報ビット、セグメント１１００の情報ビットを送信すべきである。例示の実施形態においては、アクセス状態からマイグレートするシナリオにおいて、ＷＴは、必ずしも第１のＵＬスーパースロットの始めから開始するとは限らないが、依然として図１１において指定されるフレーミングフォーマットに応じてアップリンクＤＣＣＨセグメントを送信する。例えば、ＷＴがインデックス＝４を有するスーパースロットのハーフスロットからＵＬ  ＤＣＣＨセグメントを送信することを開始する場合、そのときにはＷＴは、図１１の最も左の情報列（セグメント１１００）をスキップし、第１のアップリンクＤＣＣＨセグメントは、第２の最も左の列（セグメント１１０１）を送信する。例示の実施形態においては、ハーフスロット（１〜３）をインデックス付けされたスーパースロットは、１個のＤＣＣＨセグメント（１１００）に対応し、ハーフスロット（４〜６）をインデックス付けされたスーパースロットは、次のセグメント（１１０１）に対応することに注意すべきである。例示の実施形態においては、フルトーンフォーマットとスプリットトーンフォーマットとの間でスイッチングするシナリオでは、ＷＴは、図１１に示されるフォーマットを使用するという上記例外なしに図１０に示されるフレーミングフォーマットを使用する。
【００３５】
ひとたび第１のＵＬスーパースロットが終了した後には、アップリンクＤＣＣＨチャネルセグメントは、図１０のフレーミングフォーマットへとスイッチングする。どこで第１のアップリンクスーパースロットが終了するかに応じて、フレーミングフォーマットをスイッチングするポイントは、ビーコンスロットの始めのこともあり、そうでないこともある。この例の実施形態においては、スーパースロットでは、与えられたＤＣＣＨトーンについての５個のＤＣＣＨセグメントが存在することに注意すべきである。例えば、第１のアップリンクスーパースロットが、アップリンクビーコンスロットスーパースロットインデックス＝２であることを仮定し、ここでビーコンスロットスーパースロットインデックス範囲は、０から７までである。その後、アップリンクビーコンスロットスーパースロットインデックス＝３という次のアップリンクスーパースロットにおいて、図１０のデフォルトフレーミングフォーマットを使用した第１のアップリンクＤＣＣＨセグメントは、インデックスｓ２＝１５（図１０のセグメント１０１５）であり、セグメントｓ２＝１５（図１０のセグメント１０１５）に対応する情報を移送する。
【００３６】
各アップリンクＤＣＣＨセグメントは、１組の専用制御チャネルレポート(Dedicated Control Channel Report)（ＤＣＲ）を送信するために使用される。デフォルトモードについてのフルトーンフォーマットにおけるＤＣＲの例示の概要リストが、図１２の表１２００に与えられる。表１２００の情報は、図１０および１１の区分されたセグメントに対して適用可能である。図１０および１１の各セグメントは、表１２００において記述されるように２つ以上のレポートを含んでいる。表１２００の第１の列１２０２は、例示の各レポートのために使用される略記された名前を記述する。各レポートの名前は、ＤＣＲのビットの数を指定する番号で終了する。表１２００の第２の列１２０４は、名前が付けられた各レポートを簡潔に記述している。第３の列１２０６は、ＤＣＲが送信されるべき、図１０のセグメントインデックスｓ２を指定しており、表１２００と図１０との間のマッピングに対応する。
【００３７】
次にダウンリンク信号対雑音比の例示の５ビットの絶対レポート（ＤＬＳＮＲ５）について説明されることになる。例示のＤＬＳＮＲ５は、以下の２つのモードフォーマットのうちの一方を使用する。ＷＴが１つの接続だけを有するときに、非ＤＬマクロダイバーシティモードフォーマットが使用される。ＷＴが複数の(multiple)接続を有するときには、ＷＴがＤＬマクロダイバーシティモードにある場合、ＤＬマクロダイバーシティモードフォーマットが使用され、そうでない場合には、非マクロダイバーシティモードフォーマットが使用される。一部の実施形態においては、ＷＴがＤＬマクロダイバーシティモードにあるかどうか、および／またはどのようにしてＷＴがＤＬマクロダイバーシティモードと非ＤＬマクロダイバーシティモードとの間でスイッチングするかは、上位レイヤプロトコルの形で指定される。非ＤＬマクロダイバーシティモードにおいては、ＷＴは、図１３の表１３００の最も近い表現を使用して、測定され、受信されたダウンリンクパイロットチャネルセグメントＳＮＲを報告する。図１３は、非ＤＬマクロダイバーシティモードにおけるＤＬＳＮＲ５の例示のフォーマットについての表１３００である。第１の列１３０２は、５ビットのレポートにより表されることができる３２個の可能なビットパターンをリストアップしている。第２の列１３０４は、レポートを経由して基地局に対して通信されているｗｔＤＬＰＩＣＨＳＮＲの値をリストアップしている。この例においては、−１２ｄＢから２９ｄＢへの増分レベルは、３１個の異なるビットパターンに対応して指し示されることができるが、ビットパターン１１１１１は、留保される。
【００３８】
例えば、測定に基づいて計算されたｗｔＤＬＰＩＣＨＳＮＲが−１４ｄＢである場合に、ＤＬＳＮＲ５レポートは、ビットパターン０００００に設定され、測定に基づいて計算されたｗｔＤＬＰＩＣＨＳＮＲが−１１．６ｄＢである場合に、表１３００において、−１２ｄＢを有するエントリが−１１．６ｄＢの計算値に最も近いので、ＤＬＳＮＲ５レポートは、ビットパターン０００００に設定され、測定に基づいて計算されたｗｔＤＬＰＩＣＨＳＮＲが−１１．４ｄＢである場合に、表１３００において、−１１ｄＢを有するエントリが−１１．４ｄＢの計算値に最も近いので、ＤＬＳＮＲ５レポートは、ビットパターン００００１に設定される。
【００３９】
報告されたワイヤレス端末ダウンリンクパイロットＳＮＲ（ｗｔＤＬＰＩＣＨＳＮＲ）は、ＳＮＲが測定されるパイロット信号が、一般的に平均トラフィックチャネルパワーよりも高いパワーで送信されることを明らかにする。この理由のために、パイロットＳＮＲは、一部の実施形態においては、次のように報告される。
【００４０】
ｗｔＤＬＰＩＣＨＳＮＲ＝ＰｉｌｏｔＳＮＲ−Ｄｅｌｔａ
式中において、ｐｉｌｏｔＳＮＲは、受信されたダウンリンクパイロットチャネル信号上のｄＢにおける測定されたＳＮＲであり、Ｄｅｌｔａ（デルタ）は、パイロット送信パワーとトーンチャネル送信パワーレベルについての平均、例えば、トーンダウンリンクトラフィックチャネル送信パワーについての平均との間の差である。一部の実施形態においては、デルタ＝７．５ｄＢである。
【００４１】
ＤＬマクロダイバーシティモードフォーマットにおいては、ＷＴは、基地局セクタアタッチメントポイントを、基地局セクタアタッチメントポイントとの現在のダウンリンク接続が好ましい接続であるかどうかを通知するために、そして表１４００に応じて最も近いＤＬＳＮＲ５レポートを用いて、計算されたｗｔＤＬＰＩＣＨＳＮＲを報告するためにＤＬＳＮＲ５レポートを使用する。図１４は、ＤＬマクロダイバーシティモードにおけるＤＬＳＮＲ５の例示のフォーマットの表１４００である。第１の列１４０２は、５ビットのレポートによって表されることができる３２個の可能なビットパターンをリストアップしている。第２の列１４０４は、レポートを経由して基地局に通信されるｗｔＤＬＰＩＣＨＳＮＲの値と、その接続が好ましいか否かについての表示とをリストアップしている。この例においては、−１２ｄＢから１３ｄＢまでのＳＮＲの増分レベルは、３２個の異なるビットパターンに対応して指し示されることができる。ビットパターンのうちの１６個は、接続が好ましくない場合に対応するが、残りの１６個のビットパターンは、接続が好ましい場合に対応する。一部の例示の実施形態においては、リンクが好ましいときに指し示されることができる最高のＳＮＲ値は、リンクが好ましくないときに指し示されることができる最高のＳＮＲ値よりも大きい。一部の例示の実施形態においては、リンクが好ましいときに指し示されることができる最低のＳＮＲ値は、リンクが好ましくないときに指し示されることができる最低のＳＮＲ値よりも大きい。
【００４２】
一部の実施形態においては、ＤＬマクロダイバーシティモードにおいて、ワイヤレス端末は、与えられた任意の時に、好ましい接続となる１つの、そしてたった１つの接続を指し示す。さらに、一部のそのような実施形態においては、ＷＴが、接続がＤＬＳＮＲ５レポートにおいて好ましいことを指し示す場合、そのときにはＷＴは、ＷＴが、別の接続が好ましい接続になることを指し示すＤＬＳＮＲ５レポートを送信することを許可される前に、その接続が好ましいことを指し示す少なくともＮｕｍＣｏｎｓｅｃｕｔｉｖｅ  Ｐｒｅｆｅｒｒｅｄ(NumConsecutive Preferred)の連続するＤＬＳＮＲ５レポートを送信する。パラメータＮｕｍＣｏｎｓｅｃｕｔｉｖｅ  ｐｒｅｆｅｒｒｅｄの値は、アップリンクＤＣＣＨチャネルのフォーマットに、例えば、フルトーンフォーマット対スプリットトーンフォーマットに依存する。一部の実施形態においては、ＷＴは、上位レベルプロトコルの中でパラメータＮｕｍＣｏｎｓｅｃｕｔｉｖｅＰｒｅｆｅｒｒｅｄを獲得する。一部の実施形態においては、ＮｕｍＣｏｎｓｅｃｕｔｉｖｅＰｒｅｆｅｒｒｅｄのデフォルト値は、フルトーンフォーマットにおいては１０である。
【００４３】
次に、例示の３ビット相対的（差）レポートのダウンリンクＳＮＲ（ＤＬＤＳＮＲ３）について説明されるべきである。ワイヤレス端末は、ダウンリンクパイロットチャネル（ＰｉｌｏｔＳＮＲ）の受信ＳＮＲを測定し、ｗｔＤＬＰＩＣＨＳＮＲ＝ＰｉｌｏｔＳＮＲ−Ｄｅｌｔａの場合のｗｔＤＬＰＩＣＨＳＮＲ値を計算し、その計算されたｗｔＤＬＰＩＣＨＳＮＲ値と、最新のＤＬＳＮＲ５レポートにより報告される値との間の差を計算し、図１５の表１５００に応じて最も近いＤＬＤＳＮＲ３と共に計算された差を報告する。図１５は、ＤＬＤＳＮＲ３の例示のフォーマットの表１５００である。第１の列１５０２は、３情報ビットのレポートを表すことができる９個の可能なビットパターンをリストアップしている。第２の列１５０４は、−５ｄＢから５ｄＢまでに広がるレポートを経由して基地局に通信されるｗｔＤＬＰＩＣＨＳＮＲにおける報告された差をリストアップしている。
【００４４】
次に、様々な例示のアップリンクトラフィックチャネル要求レポートについて説明されることになる。例示の実施形態においては、３つのタイプのアップリンクトラフィックチャネル要求レポート：例示の１ビットアップリンクトラフィックチャネル要求レポート（ＵＬＲＱＳＴ１）と、例示の３ビットアップリンクトラフィックチャネル要求レポート（ＵＬＲＱＳＴ３）と、例示の４ビットアップリンクトラフィックチャネル要求レポート（ＵＬＲＱＳＴ４）とが、使用される。ＷＴは、ＷＴトランスミッタにおいて、ＭＡＣフレームキューのステータスを報告するために、ＵＬＲＱＳＴ１、ＵＬＲＱＳＴ３、またはＵＬＲＱＳＴ４を使用する。例示の実施形態においては、ＭＡＣフレームは、ＬＬＣフレームから構築され、このＬＬＣフレームは、上位レイヤプロトコルのパケットから構築される。この例示の実施形態においては、任意のパケットは、４つの要求グループ（ＲＧ０、ＲＧ１、ＲＧ２、またはＲＧ３）のうちの１つに属する。一部の例示の実施形態においては、要求グループに対するパケットのマッピングは、高位レイヤプロトコルを介して行われる。一部の例示の実施形態においては、高位レイヤプロトコルを介して基地局および／またはＷＴによって変更されることができる、要求グループに対するパケットのデフォルトマッピングが存在する。パケットが１つの要求グループに属する場合、そのときには、この例示の実施形態においては、そのパケットのすべてのＭＡＣフレームも、その同じ要求グループに属する。ＷＴは、ＷＴが送信するように意図する可能性がある４つの要求グループにおけるＭＡＣフレームの数を報告する。ＡＲＱプロトコルにおいては、これらのＭＡＣフレームは、「新しい」または「再送信されるべき」としてマーク付けされる。ＷＴは、ｋ＝０：３についての４つの要素Ｎ［０：３］のベクトルを保持し、Ｎ［ｋ］は、ＷＴが要求グループｋの中で送信しようと意図するＭＡＣフレームの数を表す。ＷＴは、Ｎ［０：３］についての情報を基地局セクタに対して報告すべきであり、その結果、基地局セクタは、アップリンクトラフィックチャネルセグメントの割当てを決定するアップリンクスケジューリングアルゴリズムの中でその情報を利用することができるようになる。
【００４５】
例示の一実施形態においては、ＷＴは、図１６の表１６００に応じてＮ［０］＋Ｎ［１］を報告するために１ビットアップリンクトラフィックチャネル要求レポート（ＵＬＲＱＳＴ１）を使用する。表１６００は、ＵＬＲＱＳＴ１レポートについての例示のフォーマットである。第１の列１６０２は、伝えられることができる２個の可能なビットパターンを指し示すが、第２の列１６０４は、各ビットパターンの意味を指し示す。ビットパターンが０である場合、それは、ＷＴが要求グループ０または要求グループ１のいずれかにおいて送信するように意図するＭＡＣフレームが存在しないことを指し示す。ビットパターンが１である場合には、それは、ＷＴが通信しようと意図する、要求グループ０または要求グループ１における少なくとも１つのＭＡＣフレームを有することを指し示す。
【００４６】
本発明の様々な実施形態において使用される特徴に従って、複数の要求辞書がサポートされる。そのような要求辞書は、アップリンク専用制御チャネルセグメントにおけるアップリンクトラフィックチャネル要求レポートの中の情報ビットの解釈を定義している。与えられた時刻に、ＷＴは、１つの要求辞書を使用する。一部の実施形態においては、ＷＴが、ちょうどアクティブ状態(ACTIVE state)に入るときに、ＷＴは、デフォルト要求辞書を使用する。要求辞書を変更するために、ＷＴおよび基地局セクタは、上位レイヤコンフィギュレーションプロトコルを使用する。一部の実施形態においては、ＷＴがオン状態からホールド状態へとマイグレートするときに、ＷＴは、オン状態において使用される最後の要求辞書を保持し、その結果、ＷＴがホールド状態から後にオン状態へとマイグレートするときに、ＷＴは、要求辞書が明示的に変更されるまで同じ要求辞書を使用し続けるようになる。しかしながら、ＷＴが、アクティブ状態を離れる場合、そのときには最後の要求辞書のメモリは、クリアされる。一部の実施形態においては、アクティブ状態は、オン状態とホールド状態とを含むが、アクセス状態とスリープ状態を含まない。
【００４７】
一部の実施形態においては、少なくとも一部のＵＬＲＱＳＴ３レポートまたはＵＬＲＱＳＴ４レポートを決定するために、ワイヤレス端末は、まず１つまたは複数の以下の２つの制御パラメータｙおよびｚを計算し、要求辞書、例えば、要求辞書（ＲＤ）参照番号０、ＲＤ参照番号１、ＲＤ参照番号２、ＲＤ参照番号３のうちの１つを使用する。図１７の表１７００は、制御パラメータｙおよびｚを計算するために使用される例示の表である。第１の列１７０２は、条件をリストアップしており、第２の列１７０４は、出力制御パラメータｙの対応する値をリストアップしており、第３の列１７０６は、出力制御パラメータｚの対応する値をリストアップしている。第１の列１７０２において、ｘ（単位ｄＢ）は、最新の５ビットアップリンク送信バックオフレポート(5 bit uplink transmit backoff report)（ＵＬＴＸＢＫＦ５）の値を表し、値ｂ（単位ｄＢ）は、最新の４ビットダウンリンクビーコン比レポート(4 bit downlink beacon ratio report)（ＤＬＢＮＲ４）の値を表す。最新のレポートからのｘとｂの入力値を仮定すると、ＷＴは、第１の行１７１０からの条件が満たされるかどうかをチェックする。テスト条件が満たされる場合、そのときにはＷＴは、ＵＬＲＱＳＴ３またはＵＬＲＱＳＴ４を計算するための行の対応するｙおよびｚを使用する。しかしながら、条件が満たされない場合には、テストは、次の行１７１２を用いて継続される。テストは、与えられた行についての列１７０２にリストアップされた条件が満たされるまで、表１７００を最上部から最下部へと（１７１０、１７１２、１７１４、１７１６、１７１８、１７２０、１７２２、１７２４、１７２６、１７２８）順に下方へ進み続ける。ＷＴは、第１の列が満たされる、表１７００の中の第１の行からのものとしてｙおよびｚを決定する。例えば、ｘ＝１７およびｂ＝１となる場合、そのときにはｚ＝４およびｙ＝１となる。
【００４８】
ＷＴは、一部の実施形態においては、要求辞書に応じてＭＡＣフレームキューの実際のＮ［０：３］を報告するためにＵＬＲＱＳＴ３またはＵＬＲＱＳＴ４を使用する。要求辞書は、要求辞書（ＲＤ）参照番号によって識別される。
【００４９】
一部の実施形態においては、少なくとも一部の要求辞書は、任意のＵＬＲＱＳＴ４またはＵＬＲＱＳＴ３が、実際のＮ［０：３］を完全に含まない可能性があるようになっている。レポートは、事実上は実際のＮ［０：３］の量子化されたバージョンである。一部の実施形態においては、ＷＴは、最初は要求グループ０および１について、次いで要求グループ２について、そして最後に要求グループ３について、報告されたＭＡＣフレームキューと実際のＭＡＣフレームキューとの間の不一致を最小にするために、レポートを送信する。しかしながら、一部の実施形態においては、ＷＴは、ＷＴを最も利するレポートを決定するというフレキシビリティ(flexibility)を有する。例えば、ＷＴが例示の要求辞書１（図２０および２１を参照）を使用していると仮定すると、ＷＴは、Ｎ［１］＋Ｎ［３］を報告するためにＵＬＲＱＳＴ４を使用し、Ｎ［２］およびＮ［０］を報告するためにＵＬＲＱＳＴ３を使用することができる。さらにレポートが、要求辞書に応じて要求グループのサブセットに直接に関連する場合には、それは、残りの要求のＭＡＣフレームキューが空であることを自動的に意味してはいない。例えば、レポートが、Ｎ［２］＝１を意味する場合、そのときにはそれは、Ｎ［０］＝０、Ｎ［１］＝０、またはＮ［３］＝０であることを自動的に意味しないこともある。
【００５０】
図１８は、例示の第１の要求辞書（ＲＤ参照番号＝０）に対応する４ビットのアップリンク要求、ＵＬＲＱＳＴ４についての１６個のビットパターンのおのおのに関連するビットフォーマットおよび解釈を識別する表１８００である。一部の実施形態においては、参照番号＝０を有する要求辞書は、デフォルト要求辞書である。第１の列１８０２は、ビットパターンと、ビット順序、最上位ビットから最下位ビットとを識別する。第２の列１８０４は、各ビットパターンに関連する解釈を識別する。表１８００のＵＬＲＱＳＴ４は、（ｉ）以前の４ビットアップリンク要求からの変更のないことと、（ｉｉ）Ｎ［０］についての情報と、（ｉｉｉ）図１７の表１７００の制御パラメータｙまたは制御パラメータｚのいずれかの関数としてのＮ［１］＋Ｎ［２］＋Ｎ［３］の複合物についての情報のうちの１つを伝える。
【００５１】
図１９は、例示の第１の要求辞書（ＲＤ参照番号＝０）に対応する３ビットのアップリンク要求、ＵＬＲＱＳＴ３についての８個のビットパターンのおのおのに関連するビットフォーマットおよび解釈を識別する表１９００である。一部の実施形態においては、参照番号＝０を有する要求辞書は、デフォルト要求辞書である。第１の列１９０２は、ビットパターンと、ビット順序、最上位ビットから最下位ビットとを識別する。第２の列１９０４は、各ビットパターンに関連する解釈を識別する。表１９００のＵＬＲＱＳＴ３は、（ｉ）Ｎ［０］についての情報と、（ｉｉ）図１７の表１７００の制御パラメータｙの関数としてのＮ［１］＋Ｎ［２］＋Ｎ［３］の複合物についての情報を伝える。
【００５２】
図２０は、例示の第２の要求辞書（ＲＤ参照番号＝１）に対応する４ビットのアップリンク要求、ＵＬＲＱＳＴ４についての１６個のビットパターンのおのおのに関連するビットフォーマットおよび解釈を識別する表２０００である。第１の列２００２は、ビットパターンと、ビット順序、最上位ビットから最下位ビットとを識別する。第２の列２００４は、各ビットパターンに関連する解釈を識別する。表２０００のＵＬＲＱＳＴ４は、（ｉ）以前の４ビットアップリンク要求からの変更のないことと、（ｉｉ）Ｎ［２］についての情報と、（ｉｉｉ）図１７の表１７００の制御パラメータｙまたは制御パラメータｚのいずれかの関数としてのＮ［１］＋Ｎ［３］の複合物についての情報のうちの１つを伝える。
【００５３】
図２１は、例示の第２の要求辞書（ＲＤ参照番号＝１）に対応する３ビットのアップリンク要求、ＵＬＲＱＳＴ３についての８個のビットパターンのおのおのに関連するビットフォーマットおよび解釈を識別する表２１００である。第１の列２１０２は、ビットパターンと、ビット順序、最上位ビットから最下位ビットとを識別する。第２の列２１０４は、各ビットパターンに関連する解釈を識別する。表２１００のＵＬＲＱＳＴ３は、（ｉ）Ｎ［０］についての情報と、（ｉｉ）Ｎ［２］についての情報を伝える。
【００５４】
図２２は、例示の第３の要求辞書（ＲＤ参照番号＝２）に対応する４ビットのアップリンク要求、ＵＬＲＱＳＴ４についての１６個のビットパターンのおのおのに関連するビットフォーマットおよび解釈を識別する表２２００である。第１の列２２０２は、ビットパターンと、ビット順序、最上位ビットから最下位ビットとを識別する。第２の列２２０４は、各ビットパターンに関連する解釈を識別する。表２２００のＵＬＲＱＳＴ４は、（ｉ）以前の４ビットアップリンク要求からの変更のないことと、（ｉｉ）Ｎ［１］についての情報と、（ｉｉｉ）図１７の表１７００の制御パラメータｙまたは制御パラメータｚのいずれかの関数としてのＮ［２］＋Ｎ［３］の複合物についての情報のうちの１つを伝える。
【００５５】
図２３は、例示の第３の要求辞書（ＲＤ参照番号＝２）に対応する３ビットのアップリンク要求、ＵＬＲＱＳＴ３についての８個のビットパターンのおのおのに関連するビットフォーマットおよび解釈を識別する表２３００である。第１の列２３０２は、ビットパターンと、ビット順序、最上位ビットから最下位ビットとを識別する。第２の列２３０４は、各ビットパターンに関連する解釈を識別する。表２３００のＵＬＲＱＳＴ３は、（ｉ）Ｎ［０］についての情報と、（ｉｉ）Ｎ［１］についての情報を伝える。
【００５６】
図２４は、例示の第４の要求辞書（ＲＤ参照番号＝３）に対応する４ビットのアップリンク要求、ＵＬＲＱＳＴ４についての１６個のビットパターンのおのおのに関連するビットフォーマットおよび解釈を識別する表２４００である。第１の列２４０２は、ビットパターンと、ビット順序、最上位ビットから最下位ビットとを識別する。第２の列２４０４は、各ビットパターンに関連する解釈を識別する。表２４００のＵＬＲＱＳＴ４は、（ｉ）以前の４ビットアップリンク要求からの変更のないことと、（ｉｉ）Ｎ［１］についての情報と、（ｉｉｉ）図１７の表１７００の制御パラメータｙまたは制御パラメータｚのいずれかの関数としてのＮ［３］についての情報のうちの１つを伝える。
【００５７】
図２５は、例示の第４の要求辞書（ＲＤ参照番号＝３）に対応する３ビットのアップリンク要求、ＵＬＲＱＳＴ３についての８個のビットパターンのおのおのに関連するビットフォーマットおよび解釈を識別する表２５００である。第１の列２５０２は、ビットパターンと、ビット順序、最上位ビットから最下位ビットとを識別する。第２の列２５０４は、各ビットパターンに関連する解釈を識別する。表２５００のＵＬＲＱＳＴ３は、（ｉ）Ｎ［０］についての情報と、（ｉｉ）Ｎ［１］についての情報を伝える。
【００５８】
本発明に従って、本発明の方法は、広範な報告する可能性を容易にする。例えば、制御パラメータの、例えば、ＳＮＲおよびバックオフレポートに基づいた使用により、与えられた辞書に対応する単一ビットパターン要求が、複数の解釈を取ることができるようになる。図１８の表１８００に示されるように４ビットのアップリンク要求についての例示の要求辞書参照番号０を考察する。各ビットパターンが、固定された解釈に対応し、制御パラメータに依存しない４ビットの要求では、１６個の可能性が存在する。しかしながら、表１８００においては、ビットパターンのうちの４つ（００１１、０１００、０１０１、および０１１０）は、制御パラメータｙが値１または２を有する可能性があるので、おのおの２つの異なる解釈を有する可能性がある。同様に、表１８００においては、ビットパターンのうちの９つ（０１１１、１０００、１００１、１０１０、１０１１、１１００、１１０１、１１１０および１１１１）は、制御パラメータｚが値（１、２、３、４、５、６、７、８、９、１０）のうちの任意の値を有する可能性があるので、おのおの１０個の異なる解釈を有する可能性がある。制御パラメータのこの使用は、１６個の異なる可能性から１１１個の可能性まで、４ビットの要求レポートについての報告の範囲を拡張する。
【００５９】
次に、例示の５ビットのワイヤレス端末トランスミッタパワーバックオフレポート（ＵＬＴｘＢＫＦ５）について説明されることになる。ワイヤレス端末バックオフレポートは、例えばＤＣＣＨセグメントを送信するために使用されるパワーを考慮に入れた後のアップリンクトラフィックチャネルセグメント（単数または複数）を含めて、ＷＴが非ＤＣＣＨセグメントについてのアップリンク送信のために、使用する必要がある残りのパワーの量を報告する。ｗｔＵＬＤＣＣＨＢａｃｋＯｆｆ＝ｗｔＰｏｗｅｒＭａｘ−ｗｔＵＬＤＣＣＨＴｘＰｏｗｅｒであり、ここでｗｔＵＬＤＣＣＨＴｘＰｏｗｅｒは、ｄＢｍにおけるアップリンクＤＣＣＨチャネルのパートーン送信パワー(per-tone transmission power)を示し、ｗｔＰｏｗｅｒＭａｘは、やはりｄＢｍにおけるＷＴの最大送信パワー値である。ｗｔＵＬＤＣＣＨＴｘＰｏｗｅｒは、瞬間パワーを表し、現在のアップリンクＤＣＣＨセグメントの直前のハーフスロットにおけるｗｔＰｏｗｅｒＮｏｍｉｎａｌを使用して計算されることに注意すべきである。一部のそのような実施形態においては、ｗｔＰｏｗｅｒＮｏｍｉｎａｌに対するアップリンクＤＣＣＨチャネルのパートーンパワー(per tone power)は、０ｄＢである。ｗｔＰｏｗｅｒＭａｘの値は、ＷＴのデバイス能力に、システム仕様に、かつ／またはレギュレーション(regulation)に依存する。一部の実施形態においては、ｗｔＰｏｗｅｒＭａｘの決定は、インプリメンテーションに依存する。
【００６０】
図２６は、本発明に従って、例示の５ビットのアップリンクトランスミッタパワーバックオフレポート（ＵＬＴｘＢＫＦ５）についての３２個のビットパターンのおのおのに関連するビットフォーマットおよび解釈を識別する表２６００である。第１の列２６０２は、ビットパターンと、ビット順序、最上位ビットから最下位ビットとを識別する。第２の列２６０４は、各ビットパターンに対応する、ｄＢにおける報告されたＷＴアップリンクＤＣＣＨバックオフレポート値を識別する。この例示の実施形態においては、３０個の異なるレベルが、６．５ｄＢから４０ｄＢに広がって報告されることができ、２個のビットパターンは、留保されるように残される。ワイヤレス端末は、ｗｔＵＬＤＣＣＨＢａｃｋＯｆｆを、例えば上記されるように計算し、表２６００における最も近いエントリを選択し、レポートのためにそのビットパターンを使用する。
【００６１】
次に、例示の４ビットのダウンリンクビーコン比レポート（ＤＬＢＮＲ４）について説明されることになる。ビーコン比レポートは、サービング基地局セクタ(serving base station sector)からの、そして１つまたは複数の他の干渉基地局セクタ(interfering base station sector)からの、受信され測定されたダウンリンクブロードキャスト信号、例えば、ビーコン信号および／またはパイロット信号の関数である情報を提供する。定性的には、ビーコン比レポートは、他の基地局セクタに対するＷＴの相対的近接度を推定するために使用されることができる。ビーコン比レポートは、他のセクタに対する過剰な干渉を防止するためにＷＴのアップリンクレートを制御する際に、サービングＢＳセクタにおいて使用されることができ、そして一部の実施形態においては使用される。ビーコン比レポートは、一部の実施形態においては、２つのファクタ：（ｉ）Ｇｉと示される推定チャネル利得比と、（ｉｉ）ｂｉと示されるローディングファクタに基づいている。
【００６２】
チャネル利得比は、一部の実施形態においては以下のように定義される。現在の接続のトーンブロックにおいて、ＷＴは、一部の実施形態においては、ＷＴからサービングＢＳＳに対するチャネル利得に対する、ＷＴから任意の干渉基地局セクタｉ（ＢＳＳｉ）に対するアップリンクチャネル利得の比の推定値を決定する。この比は、Ｇｉとして示される。一般的に、アップリンクチャネル利得比は、ＷＴにおいて直接に測定可能ではない。しかしながら、アップリンクパス利得とダウンリンクパス利得は、一般的に対称であるので、その比は、サービングＢＳＳと干渉ＢＳＳからのダウンリンク信号の相対的受信パワーを比較することにより推定されることができる。基準ダウンリンク信号についての可能な１つの選択は、ダウンリンクビーコン信号であり、このダウンリンクビーコン信号は、それが非常に低いＳＮＲで検出されることができるので、この目的のために十分に適している。一部の実施形態においては、ビーコン信号は、基地局セクタからの他のダウンリンク信号よりも高いパートーン送信パワーレベルを有する。さらに、ビーコン信号の特性は、正確なタイミング同期化が、ビーコン信号を検出し測定する必要がないようになっている。例えば、ビーコン信号は、一部の実施形態においては、高パワー狭帯域の、例えば、シングルトーンの２つのＯＦＤＭシンボル送信期間幅の信号である。したがって、ある種のロケーションにおいて、ＷＴは、基地局セクタからのビーコン信号を検出し、測定することができ、ここでは、他のダウンリンクブロードキャスト信号、例えば、パイロット信号の検出および／または測定は、実現可能ではない可能性がある。ビーコン信号を使用して、アップリンクパス比は、Ｇｉ＝ＰＢｉ／ＰＢ０によって与えられることになり、ここでＰＢｉおよびＰＢ０は、それぞれ干渉基地局セクタおよびサービング基地局セクタからそれぞれ測定され受信されるビーコンパワーである。
【００６３】
ビーコンは、一般的にかなりまれに送信されるので、ビーコン信号のパワー測定は、とりわけパワーが急激に変化するフェーディング環境(fading environment)においては、平均チャネル利得の非常に正確な表現を提供しない可能性がある。例えば、一部の実施形態においては、存続期間が２つの連続するＯＦＤＭシンボル送信期間を占有し、基地局セクタのダウンリンクトーンブロックに対応する１つのビーコン信号は、９１２個のＯＦＤＭシンボル送信期間のあらゆるビーコンスロットについて送信される。
【００６４】
他方、パイロット信号は、多くの場合にビーコン信号よりもずっと頻繁に送信され、例えば、一部の実施形態においては、パイロット信号は、ビーコンスロットの９１２個のＯＦＤＭシンボル送信期間のうちの８９６個の間に送信される。ＷＴが、ＢＳセクタからパイロット信号を検出することができる場合、ＷＴは、ビーコン信号測定を使用する代わりに、測定された受信パイロット信号から受信ビーコン信号強度を推定することができる。例えば、ＷＴが、干渉ＢＳセクタの受信パイロットパワー、ＰＰｉを測定することができる場合、そのときにはＷＴは、推定されたＰＢｉ＝ＫＺｉＰＰｉから受信ビーコンパワーＰＢｉを推定することができ、ここでＫは、ＢＳセクタのおのおのについて同じである干渉セクタのパイロットパワーに対するビーコンの公称比(nominal ratio)であり、Ｚｉは、セクタに依存するスケーリングファクタである。
【００６５】
同様に、サービングＢＳからのパイロット信号パワーがＷＴにおいて測定可能である場合、そのときには受信ビーコンパワーＰＢ０は、関係、推定されたＰＢ０＝ＫＺ０ＰＰ０から推定されることができ、ここでＺ０とＰＰ０は、それぞれスケーリングファクタと、
サービング基地局セクタからの測定された受信パイロットパワーである。
【００６６】
受信パイロット信号強度が、サービング基地局セクタに対応して測定可能であり、そして受信ビーコン信号強度が干渉基地局セクタに対応して測定可能である場合、ビーコン比は、次式から推定されることができることを観察する。
【００６７】
Ｇｉ＝ＰＢｉ／（ＰＰ０ＫＺ０）
パイロット強度が、サービングセクタと干渉セクタの両方で測定可能である場合には、ビーコン比は、次式から推定されることができることを観察する。
【００６８】
Ｇｉ＝ＰＰｉＫＺｉ／（ＰＰ０ＫＺ０）＝ＰＰｉＺｉ／（ＰＰ０Ｚ０）
スケーリングファクタＫ、ＺｉおよびＺ０は、システム定数であるか、あるいはＢＳからの他の情報から、ＷＴによって推論されることができる。一部の実施形態においては、スケーリングファクタ（Ｋ、Ｚｉ、Ｚ０）は、システム定数であり、そしてスケーリングファクタ（Ｋ、Ｚｉ、Ｚ０）の一部は、ＢＳからの他の情報から、ＷＴによって推論される。
【００６９】
異なるキャリア上の異なるパワーレベルを有する一部のマルチキャリアシステムにおいては、スケーリングファクタ、ＺｉおよびＺ０は、ダウンリンクトーンブロックの関数である。例えば、例示のＢＳＳは、３つのパワーティアレベル(power tier level)を有し、それらの３つのパワーティアレベルのうちの１つは、ＢＳＳアタッチメントポイントに対応する各ダウンリンクトーンブロックに関連づけられる。一部のそのような実施形態においては、３つのパワーティアレベルのうちの異なる１つは、ＢＳＳの異なるトーンブロックのおのおのに関連づけられる。その例を用いて続けると、与えられたＢＳＳでは、各パワーティアレベルは、公称ｂｓｓパワーレベル（例えば、ｂｓｓＰｏｗｅｒＮｏｍｉｎａｌ０、ｂｓｓＰｏｗｅｒＮｏｍｉｎａｌ１、およびｂｓｓＰｏｗｅｒＮｏｍｉｎａｌ２）に関連づけられ、パイロットチャネル信号は、例えばトーンブロックによって使用される公称ｂｓｓパワーレベルより７．２ｄＢ上の、トーンブロックについての公称ｂｓｓパワーレベルに関して相対的パワーレベルで送信される。しかしながら、ＢＳＳについてのビーコンパートーン相対的送信パワーレベル(beacon per tone relative transmission power level)は、ビーコンが送信されるトーンブロックに関係なく同じであり、例えばパワーティア０ブロック（ｂｓｓＰｏｗｅｒＮｏｍｉｎａｌ０）によって使用されるｂｓｓパワーレベルより２３．８ｄＢ上にある。その結果、与えられたＢＳＳについてのこの例においては、ビーコン送信パワーは、トーンブロックのおのおのにおいて同じになるが、パイロット送信パワーは、例えば異なるパワーティアレベルに対応する異なるトーンブロックのパイロット送信パワーを有して、異なっている。この例についての１組のスケールファクタは、Ｋ＝２３．８−７．２ｄＢとなり、これは、ティア０についてのパイロットパワーに対するビーコンの比であり、Ｚｉは、ティア０セクタのパワーに対する干渉セクタのティアの相対的公称パワーに設定される。
【００７０】
一部の実施形態においては、パラメータＺ０は、どのようにして現在の接続のトーンブロックが、サービングＢＳＳにおいてサービングＢＳＳのｂｓｓＳｅｃｔｏｒＴｙｐｅによって決定されるように使用されるかに応じて、記憶される情報、例えば図２７のテーブル２７００から決定される。例えば、現在の接続のトーンブロックが、サービングＢＳＳによってティア０トーンブロックとして使用される場合、Ｚ０＝１であり、現在の接続のトーンブロックが、サービングＢＳＳによってティア１トーンブロックとして使用される場合、Ｚ０＝ｂｓｓＰｏｗｅｒＢａｃｋｏｆｆ０１であり、現在の接続のトーンブロックが、サービングＢＳＳによってティア２トーンブロックとして使用される場合には、Ｚ０＝ｂｓｓＰｏｗｅｒＢａｃｋｏｆｆ０２である。
【００７１】
図２７は、本発明に従ってインプリメントされる、例示のパワースケーリングファクタ表２７００を含んでいる。第１の列２７０２は、ティア０トーンブロック、ティア１トーンブロック、またはティア２トーンブロックのいずれかとしてトーンブロックの使用をリストアップしている。第２の列２７０４は、各ティア（０、１、２）トーンブロックに関連するスケーリングファクタをそれぞれ（１、ｂｓｓＰｏｗｅｒＢａｃｋｏｆｆ０１、ｂｓｓＰｏｗｅｒＢａｃｋｏｆｆ０２）としてリストアップしている。一部の実施形態においては、ｂｓｓＰｏｗｅｒＢａｃｋｏｆｆ０１は６ｄＢであるが、ｂｓｓＰｏｗｅｒＢａｃｋｏｆｆ０２は１２ｄＢである。
【００７２】
一部の実施形態においては、ＤＣＣＨ  ＤＬＢＮＲ４レポートは、汎用(generic)ビーコン比レポートと専用(special)ビーコン比レポートのうちの一方とすることができる。一部のそのような実施形態においては、ダウンリンクトラフィック制御チャネル、例えば、ＤＬ．ＴＣＣＨ．ＦＬＡＳＨチャネルは、ビーコンスロットにおいて「ＤＬＢＮＲ４レポートフィールドについての要求」を含む専用フレームを送信する。そのフィールドは、選択を制御するためにサービングＢＳＳによって使用されることができる。例えば、フィールドがゼロに設定される場合、そのときにはＷＴは、汎用ビーコン比レポートを報告し、そうでなければＷＴは、専用ビーコン比レポートを報告する。
【００７３】
汎用ビーコン比レポートは、本発明の一部の実施形態に従って、ＷＴが現在の接続においてサービングＢＳＳに対して送信すべきであった場合には、ＷＴが、すべての干渉ビーコン、または「最も近い」干渉ビーコンに対して生成することになる相対的干渉コストを測定する。専用ビーコン比レポートは、本発明の一部の実施形態に従って、ＷＴが現在の接続においてサービングＢＳＳに対して送信すべきであった場合には、ＷＴが、特定のＢＳＳに対して生成することになる相対的干渉コストを測定する。特定のＢＳＳは、専用ダウンリンクフレームのＤＬＢＮＲ４フィールドについての要求の中で受信される情報を使用して指し示されるＢＳＳである。例えば、一部の実施形態においては、特定のＢＳＳは、そのｂｓｓＳｌｏｐｅが、「ＤＬＢＮＲ４レポートフィールドについての要求」の、例えば符号の付いていない整数フォーマットにおける値に等しく、そのｂｓｓＳｅｃｔｏｒＴｙｐｅがｍｏｄ（ｕｌＵｌｔｒａｓｌｏｔＢｅａｃｏｎｓｌｏｔＩｎｄｅｘ，３）に等しいＢＳＳであり、ここでｕｌＵｌｔｒａｓｌｏｔＢｅａｃｏｎｓｌｏｔＩｎｄｅｘは、現在の接続のウルトラスロット内のビーコンスロットのアップリンクインデックスである。一部の例示の実施形態においては、ウルトラスロット内に１８個のインデックス付けされたビーコンスロットが存在する。
【００７４】
様々な実施形態においては、汎用ビーコン比も専用ビーコン比も、以下のように、計算されたチャネル利得比Ｇ１、Ｇ２、...から決定される。ＷＴは、ダウンリンクブロードキャストシステムのサブチャネルにおいて送信されるアップリンクローディングファクタを受信し、図２８のアップリンクローディングファクタ表２８００から変数ｂ０を決定する。表２８００は、アップリンクローディングファクタについて使用されることができる８個の異なる値（０、１、２、３、４、５、６、７）をリストアップする第１の列２８０２を含み、第２の列は、ｄＢにおけるそのｂ値についての対応する値（０、−１、−２、−３、−４、−６、−９、−無限大）をそれぞれリストアップしている。他のＢＳＳｉでは、ＷＴは、現在の接続のトーンブロックにおいてＢＳＳｉのダウンリンクブロードキャストシステムのサブチャネルの中で送信されるアップリンクローディングファクタからｂｉを受信しようと試みる。ＷＴが、ＵＬローディングファクタｂｉを受信することができない場合、ＷＴは、ｂｉ＝１を設定する。
【００７５】
一部の実施形態においては、単一キャリアオペレーションにおいて、ＷＴは、汎用ビーコン比レポートとして以下のパワー比：ｕｌＵｌｔｒａｓｌｏｔＢｅａｃｏｎｓｌｏｔＩｎｄｅｘが偶数のときのｂ０／（Ｇ１ｂ１＋Ｇ２ｂ２＋...）、またはｕｌＵｌｔｒａｓｌｏｔＢｅａｃｏｎｓｌｏｔＩｎｄｅｘが奇数のときのｂ０／ｍａｘ（Ｇ１ｂ１，Ｇ２ｂ２，...）を計算し、ここでｕｌＵｌｔｒａｓｌｏｔＢｅａｃｏｎｓｌｏｔＩｎｄｅｘは、現在の接続のウルトラスロット内のビーコンスロットのアップリンクインデックスであり、オペレーション＋は、通常の加算を表す。特定のビーコン比レポートを送信することが必要とされるときに、ＷＴは、一部の実施形態においてはｂ０／（ＧｋＢｋ）を計算し、ここでインデックスｋは、特定のＢＳＳｋを表す。一部の実施形態においては、ウルトラスロット内に１８個のインデックス付けされたビーコンスロットが存在する。
【００７６】
図２９は、本発明に従って、４ビットのダウンリンクビーコン比レポート（ＤＬＢＮＲ４）についての例示のフォーマットを示す表２９００である。第１の列２９０２は、レポートが伝えることができる１６個の様々なビットパターンをリストアップしているが、第２の列２９０４は、各ビットパターンに対応して報告される、例えば−３ｄＢから２６ｄＢに広がる報告されたパワー比をリストアップしている。ワイヤレス端末は、決定されたレポート値に近いＤＬＢＮＲ４表エントリを選択することと、通信することにより汎用ビーコン比レポートおよび専用ビーコン比レポートを報告する。この例示の実施形態においては、汎用ビーコン比レポートと専用のビーコン比レポートは、ＤＬＢＮＲ４について同じ表を使用するが、一部の実施形態においては、異なる表が使用されてもよい。
【００７７】
次に、例示の４ビット飽和レベルのダウンリンク自己雑音ＳＮＲレポート(downlink self-noise SNR report)（ＤＬＳＳＮＲ４）について説明されることになる。一部の実施形態においては、ＷＴは、飽和レベルのＤＬ  ＳＮＲを導き出し、この飽和レベルのＤＬ  ＳＮＲは、ＢＳＳが無限のパワーで信号を送信した場合に、基地局がそのような信号を送信することができ、ワイヤレス端末がそのような信号を測定することができた場合に、ＷＴレシーバが、受信信号上で測定することになるＤＬ  ＳＮＲであるように定義される。飽和レベルは、チャネル推定エラーなどのファクタによって引き起こされることができるＷＴレシーバの自己雑音によって決定されることができ、そして一部の実施形態においては決定される。以下は、飽和レベルのＤＬ  ＳＮＲを導き出す例示の方法である。
【００７８】
例示の方法においては、ＷＴは、ＢＳＳがパワーＰで送信する場合に、ＤＬ  ＳＮＲがＳＮＲ（Ｐ）＝ＧＰ／（ａ０ＧＰ＋Ｎ）に等しいことを仮定しており、ここでＧは、ＢＳＳからＷＴへのワイヤレスチャネルパス利得を表し、Ｐは、送信パワーであり、その結果、ＧＰは、受信信号パワーであり、Ｎは、受信干渉パワーを表し、ａ０ＧＰは、自己雑音を表し、ここでａ０は、自己雑音のより高い値を示す。Ｇは、０と１との間の値であり、１、ａ０、Ｐ、およびＮは、正の値である。このモードにおいては、定義により、飽和レベルのＤＬ  ＳＮＲは、１／ａ０に等しい。一部の実施形態においては、ＷＴは、干渉パワーＮを決定するために、ダウンリンクヌルチャネル(downlink Null channel)（ＤＬ．ＮＣＨ）の受信パワーを測定し、ダウンリンクパイロットチャネルの受信パワー（Ｇ＊Ｐ０として示される）と、ダウンリンクパイロットチャネルのＳＮＲ（ＳＮＲ０によって示される）とを測定する。次いで、ＷＴは、１／ａ０＝（１／ＳＮＲ０−Ｎ／（ＧＰ０））−１を計算する。
【００７９】
ひとたび、ＷＴが飽和レベルのＤＬ  ＳＮＲを導き出した後は、ＷＴは、ＤＬ自己雑音飽和レベルレポート表の中の導き出された値に最も近いエントリを使用することにより、それを報告する。図３０の表３０００は、ＤＬＳＳＮＲ４のフォーマットを記述するそのような例示の表である。第１の列３００２は、ＤＬＳＳＮＲ４レポートによって伝えられることができる１６個の異なる可能なビットパターンを指し示しており、第２の列３００４は、各ビットパターンに対応して通信される、８．７５ｄＢから２９．７５ｄＢに広がる飽和レベルのＤＬ  ＳＮＲをリストアップしている。
【００８０】
本発明の様々な実施形態においては、ＷＴが、どのタイプのレポートを通信すべきかを決定するように、フレキシブルレポート(flexible report)が、ＤＣＣＨに含められ、レポートのタイプは、その割り付けられた専用制御チャネルセグメントを使用して与えられたＷＴについて、１つのフレキシブルな報告機会(reporting opportunity)から次の機会へと変化することができる。
【００８１】
例示の実施形態においては、ＷＴは、ＴＹＰＥ２レポートとＢＯＤＹ４レポートの両方を含めて、同じＤＣＣＨセグメントの４ビットのボディレポート(body report)（ＢＯＤＹ４）の形で通信されるべきＷＴによって選択されるレポートのタイプを指し示すために、２ビットのタイプレポート（ＴＹＰＥ２）を使用する。図３１の表３１００は、ＴＹＰＥ２レポート情報ビットと、対応するＢＯＤＹ４レポートによって搬送されるレポートのタイプとの間のマッピングの一例である。第１の列３１０２は、２ビットのＴＹＰＥ２レポートについての４個の可能なビットパターンを指し示す。第２の列３１０４は、ＴＹＰＥ２レポートに対応する同じアップリンク専用制御チャネルセグメントのＢＯＤＹ４レポートの形で搬送されるべきレポートのタイプを指し示す。表３１００は、ビットパターン００が、ＢＯＤＹ４レポートがＵＬＲＱＳＴ４レポートになることを指し示し、ビットパターン０１が、ＢＯＤＹ４レポートがＤＬＳＳＮＲ４レポートになることを指し示し、ビットパターン１０および１１が、留保されることを指し示している。
【００８２】
一部の実施形態においては、ＷＴは、選択が行われることができる異なるタイプのレポートについての、例えば、表３１００にリストアップされるレポートについての相対的重要性を評価することにより、ＴＹＰＥ２レポートとＢＯＤＹ４レポートを選択する。一部の実施形態においては、ＷＴは、セグメントごとに独立にＴＹＰＥ２を選択することができる。
【００８３】
図３２は、第１のＷＴについての与えられたＤＣＣＨトーンについてのビーコンスロットにおける例示のデフォルトモードのスプリットトーンフォーマットを示すドローイング３２９９である。図３２においては、各ブロック（３２００、３２０１、３２０２、３２０３、３２０４、３２０５、３２０６、３２０７、３２０８、３２０９、３２１０、３２１１、３２１２、３２１３、３２１４、３２１５、３２１６、３２１７、３２１８、３２１９、３２２０、３２２１、３２２２、３２２３、３２２４、３２２５、３２２６、３２２７、３２２８、３２２９、３２３０、３２３１、３２３２、３３２３、３２３４、３２３５、３２３６、３２３７、３２３８、３２３９）は、セグメントのインデックスｓ２（０、...、３９）がブロック上に長方形領域３２４０の中に示される、１個のセグメントを表す。各ブロック、例えば、セグメント０を表すブロック３２００は、８情報ビットを伝え、各ブロックは、セグメントの中の８ビットに対応する８行を備え、ここで、ビットは、長方形領域３２４３に示されるように、最上行から最下行へと下向きに最上位ビットから最下位ビットへとリストアップされる。
【００８４】
例示の実施形態では、図３２に示されるフレーミングフォーマットは、デフォルトモードのスプリットトーンフォーマットが使用されるときに、以下を例外として、あらゆるビーコンスロットにおいて繰り返し使用される。ワイヤレス端末が現在の接続においてオン状態へとマイグレートした後の第１のアップリンクスーパースロットにおいては、ＷＴは、図３３に示されるフレーミングフォーマットを使用すべきである。第１のアップリンクスーパースロットは、ＷＴがアクセス状態からオン状態へとマイグレートするときのシナリオについて、ＷＴがホールド状態からオン状態へとマイグレートするときのシナリオについて、そしてＷＴが別の接続のオン状態からオン状態へとマイグレートするときのシナリオについて定義される。
【００８５】
図３３は、ＷＴが、オン状態へとマイグレートした後の第１のアップリンクスーパースロットにおける、アップリンクＤＣＣＨセグメントのスプリットトーンフォーマットにおけるデフォルトモードの例示の定義を示している。ドローイング３３９９は、セグメント上の長方形３３０６によって示されるようにスーパースロットにおけるセグメントインデックス番号ｓ２＝（０、１、２、３、４、）にそれぞれ対応する５個の連続するセグメント（３３００、３３０１、３３０２、３３０３、３３０４）を含んでいる。各ブロック、例えば、スーパースロットのセグメント０を表すブロック３３００は、８情報ビットを伝え、各ブロックは、セグメントの中の８ビットに対応する８行を備え、ここでビットは、長方形領域３３０８に示されるように最上行から最下行へと下向きに最上位ビットから最下位ビットへとリストアップされる。
【００８６】
例示の実施形態においては、ホールド状態からオン状態へとマイグレートするシナリオにおいて、ＷＴは、第１のＵＬスーパースロットの始めからアップリンクＤＣＣＨチャネルを送信することを開始し、それ故に第１のアップリンクＤＣＣＨセグメントは、図３３の最も左の情報列の中の情報ビット、セグメント３３００の情報ビットを送信すべきである。例示の実施形態においては、アクセス状態からオン状態へとマイグレートするシナリオにおいて、ＷＴは、必ずしも第１のＵＬスーパースロットの始めから開始するとは限らないが、依然として図３３において指定されるフレーミングフォーマットに応じてアップリンクＤＣＣＨセグメントを送信する。例えば、ＷＴがインデックス＝１０を有するスーパースロットのハーフスロットからＵＬ  ＤＣＣＨセグメントを送信することを開始する場合、そのときにはＷＴは、図３３の最も左の情報列（セグメント３３００）をスキップし、移送される第１のアップリンクセグメントは、セグメント３３０３に対応する。例示の実施形態においては、ハーフスロット（１〜３）をインデックス付けされたスーパースロットは、１個のセグメントに対応し、ハーフスロット（１０〜１２）をインデックス付けされたスーパースロットは、ＷＴについての次のセグメントに対応することに注意すべきである。例示の実施形態においては、フルトーンフォーマットとスプリットトーンフォーマットとの間でスイッチングするシナリオでは、ＷＴは、図３３に示されるフォーマットを使用するという上記例外なしに図３２に示されるフレーミングフォーマットを使用する。
【００８７】
ひとたび第１のＵＬスーパースロットが終了した後には、アップリンクＤＣＣＨチャネルセグメントは、図３２のフレーミングフォーマットへとスイッチングする。どこで第１のアップリンクスーパースロットが終了するかに応じて、フレーミングフォーマットをスイッチングするポイントは、ビーコンスロットの始めのこともあり、そうでないこともある。この例の実施形態においては、スーパースロットでは、与えられたＤＣＣＨトーンについての５個のＤＣＣＨセグメントが存在することに注意すべきである。例えば、第１のアップリンクスーパースロットが、アップリンクビーコンスロットスーパースロットインデックス＝２であることを仮定し、ここでビーコンスロットスーパースロットインデックス範囲は、０から７まで（スーパースロット０、スーパースロット１、...、スーパースロット７）である。その後、アップリンクビーコンスロットスーパースロットインデックス＝３という次のアップリンクスーパースロットにおいて、図３２のデフォルトフレーミングフォーマットを使用した第１のアップリンクＤＣＣＨセグメントは、インデックスｓ２＝１５（図３２のセグメント３２１５）であり、セグメントｓ２＝１５（図３２のセグメント３２１５）に対応する情報を移送する。
【００８８】
各アップリンクＤＣＣＨセグメントは、１組の専用制御チャネルレポート（ＤＣＲ）を送信するために使用される。デフォルトモードについてのスプリットトーンフォーマットにおけるＤＣＲの例示の概要リストが、図３４の表３４００に与えられる。表３４００の情報は、図３２および３３の区分されたセグメントに対して適用可能である。図３２および３３の各セグメントは、表３４００において記述されるように２つ以上のレポートを含んでいる。表３４００の第１の列３４０２は、例示の各レポートのために使用される略記された名前を記述する。各レポートの名前は、ＤＣＲのビットの数を指定する番号で終了する。表３４００の第２の列３４０４は、名前が付けられた各レポートを簡潔に記述している。第３の列３４０６は、ＤＣＲが送信されるべき、図３２のセグメントインデックスｓ２を指定しており、表３４００と図３２との間のマッピングに対応する。
【００８９】
図３２、３３および３４は、デフォルトモードについてのスプリットトーンフォーマットにおける第１のＷＴに対応するセグメント（インデックス付けされたセグメント０、３、６、９、１２、１５、１８、２１、２４、２７、３０、３３、および３６）を説明していることに注意すべきである。図３２に関して、ＤＣＣＨにおける同じ論理トーン上のデフォルトモードのスプリットトーンフォーマットを使用する第２のワイヤレス端末は、同じレポートパターンに従うことになるが、それらのセグメントは、１だけシフトされることになり、それ故に第２のＷＴは、インデックス付けされたセグメント（１、４、７、１０、１３、１６、１９、２２、２５、２８、３１、３４、および３７）を使用する。図３３に関して、ＤＣＣＨにおける同じ論理トーン上のデフォルトモードのスプリットトーンフォーマットを使用する第２のワイヤレス端末は、同じレポートパターンに従うことになるが、それらのセグメントは、１だけシフトされることになり、それ故に第２のＷＴは、インデックス付けされたセグメント３３０１および３３０４を使用する。図３２に関して、ＤＣＣＨにおける同じ論理トーン上のデフォルトモードのスプリットトーンフォーマットを使用する第３のワイヤレス端末は、同じレポートパターンに従うことになるが、それらのセグメントは、２だけシフトされることになり、それ故に第３のＷＴは、インデックス付けされたセグメント（２、５、８、１１、１４、１７、２０、２３、２６、２９、３３、３５、および３８）を使用する。図３３に関して、ＤＣＣＨにおける同じ論理トーン上のデフォルトモードのスプリットトーンフォーマットを使用する第３のワイヤレス端末は、同じレポートパターンに従うことになるが、それらのセグメントは、２だけシフトされることになり、それ故に第３のＷＴは、インデックス付けされたセグメント３３０５を使用する。図３２において、インデックス＝３９を有するセグメントは留保される。
【００９０】
図３３は、表３２９９に対応するビーコンスロットの第１のスーパースロットの置換に対応する表現を提供しており、例えばセグメント３３００は、セグメント３２００を置換し、かつ／またはセグメント３３０３は、セグメント３２０３を置換する。図３２においては、各スーパースロットについて、１つまたは２つのセグメントは、スプリットトーンＤＣＣＨフォーマットを使用して例示のワイヤレス端末に割り付けられ、割り付けられたセグメントのロケーションは、ビーコンスロットのスーパースロットに応じて変化する。例えば、第１のスーパースロットにおいては、２つのセグメント（３２００、３２０３）が、スーパースロットの第１のＤＣＣＨセグメントおよび第４のＤＣＣＨセグメントに対応して割り付けられ、第２のスーパースロットにおいては、２つのセグメント（３２０６、３２０９）が、スーパースロットの第２のＤＣＣＨセグメントおよび第５のＤＣＣＨセグメントに対応して割り付けられ、第３のスーパースロットにおいては、１つのセグメント３２１３が、スーパースロットの第３のＤＣＣＨセグメントに対応して割り付けられる。一部の実施形態においては、セグメント３３００は、使用されるときに、スーパースロットの第１のスケジュールされたＤＣＣＨセグメントを置換するために使用され、セグメント３３０３は、使用されるときに、スーパースロットの第２のスケジュールされたＤＣＣＨセグメントを置換するために使用される。例えば、セグメント３３００は、セグメント３２０６を置換することができ、かつ／またはセグメント３３０３は、セグメント３３０９を置換することができる。別の例としては、セグメント３３００は、セグメント３２１２を置換することができる。
【００９１】
一部の実施形態においては、ＤＬ  ＳＮＲ（ＤＬＳＮＲ５）の５ビットの絶対レポートは、スプリットトーンフォーマットデフォルトモードにおいて、フルトーンフォーマットデフォルトモードにおいて使用されるものと同じフォーマットに従う。一部のそのような実施形態においては、ＮｕｍＣｏｎｓｅｃｕｔｉｖｅＰｒｅｆｅｒｒｅｄのデフォルト値が、スプリットトーンフォーマットにおいて、フルトーンフォーマットにおいてとは異なるような、例えばスプリットトーンフォーマットデフォルトモードにおける６に対してフルトーンフォーマットデフォルトモードにおける１０のような、例外が存在する。
【００９２】
一部の実施形態においては、３ビットＤＬＤＳＮＲ３レポートは、スプリットトーンフォーマットデフォルトモードにおいて、フルトーンフォーマットデフォルトモードにおいて使用されるものと同じフォーマットに従う。一部の実施形態においては、４ビットＤＬＳＳＮＲ４レポートは、スプリットトーンフォーマットデフォルトモードにおいて、フルトーンフォーマットデフォルトモードにおいて使用されるものと同じフォーマットに従う。
【００９３】
一部の実施形態においては、スプリットトーンフォーマットデフォルトモードの４ビットアップリンク送信バックオフレポート（ＵＬＴｘＢＫＦ４）は、図３５の表３５００がそのレポートについて使用される点を除いて、フルトーンフォーマットデフォルトモードのＵＬＴｘＢＫＦ５と同様に生成される。
【００９４】
図３５は、本発明に従って、例示の４ビットのアップリンク送信バックオフレポート（ＵＬＴｘＢＫＦ４）についての１６個のビットパターンのおのおのに関連するビットフォーマットおよび解釈を識別する表３５００である。第１の列３５０２は、ビットパターンと、ビット順序、最上位ビットから最下位ビットとを識別する。第２の列３５０４は、各ビットパターンに対応するｄＢにおける報告されたＷＴアップリンクＤＣＣＨバックオフレポート値を識別する。この例示の実施形態においては、１６個の異なるレベルが、６ｄＢから３６ｄＢへと広がって報告されることができる。ワイヤレス端末は、ｗｔＵＬＤＣＣＨＢａｃｋｏｆｆを例えば上に指し示されるように計算し、表３５００の中の最も近いエントリを選択し、レポートのためにそのビットパターンを使用する。
【００９５】
一部の実施形態においては、４ビットＤＬＢＮＲ４レポートは、スプリットトーンフォーマットデフォルトモードにおいて、フルトーンフォーマットデフォルトモードにおいて使用されるものと同じフォーマットに従う。一部の実施形態においては、３ビットＵＬＲＱＳＴ３レポートは、スプリットトーンフォーマットデフォルトモードにおいて、フルトーンフォーマットデフォルトモードにおいて使用されるものと同じフォーマットに従う。一部の実施形態においては、４ビットＵＬＲＱＳＴ４レポートは、スプリットトーンフォーマットデフォルトモードにおいて、フルトーンフォーマットデフォルトモードにおいて使用されるものと同じフォーマットに従う。
【００９６】
本発明の様々な実施形態においては、ＷＴが、どのタイプのレポートを通信すべきかを決定するように、フレキシブルレポートが、デフォルトモードにおけるスプリットトーンフォーマットにおけるＤＣＣＨに含められ、レポートのタイプは、その割り付けられた専用制御チャネルセグメントを使用して与えられたＷＴについて、１つのフレキシブルな報告機会から次の機会へと変化することができる。
【００９７】
例示の実施形態においては、ＷＴは、ＴＹＰＥ１レポートとＢＯＤＹ４レポートの両方を含めて、同じＤＣＣＨセグメントの４ビットのボディレポート（ＢＯＤＹ４）の形で通信されるべきＷＴによって選択されるレポートのタイプを指し示すために、１ビットのタイプレポート（ＴＹＰＥ１）を使用する。図３６の表３６００は、ＴＹＰＥ１レポート情報ビットと、対応するＢＯＤＹ４レポートによって搬送されるレポートのタイプとの間のマッピングの一例である。第１の列３６０２は、１ビットのＴＹＰＥ１レポートについての２個の可能なビットパターンを指し示す。第２の列３６０４は、ＴＹＰＥ１レポートに対応する同じアップリンク専用制御チャネルセグメントのＢＯＤＹ４レポートの形で搬送されるべきレポートのタイプを指し示す。表３６００は、ビットパターン０が、ＢＯＤＹ４レポートがＵＬＲＱＳＴ４レポートになることを指し示し、ビットパターン０１が、ＢＯＤＹ４レポートが留保されたレポートになることを指し示すことを指し示している。
【００９８】
一部の実施形態においては、ＷＴは、選択が行われることができる異なるタイプのレポートについての、例えば、表３６００にリストアップされるレポートについての相対的重要性を評価することにより、ＴＹＰＥ１レポートとＢＯＤＹ４レポートを選択する。一部の実施形態においては、ＷＴは、セグメントごとに独立にＴＹＰＥ１を選択することができる。
【００９９】
一部の実施形態においては、アップリンク専用制御チャネルセグメントがフルトーンフォーマットを使用するときに使用される符号化変調スキーム(encoding and modulation scheme)は、アップリンク専用制御チャネルセグメントがスプリットトーンフォーマットを使用するときに使用される符号化変調スキームとは異なる。
【０１００】
専用制御チャネルセグメントがフルトーンフォーマットを使用するときの符号化および変調のために使用される例示の第１の方法が、次に説明されることになる。ｂ５、ｂ４、ｂ３、ｂ２、ｂ１、およびｂ０は、アップリンク専用制御チャネルセグメントにおいて送信されるべき情報ビットを示すものとし、ここでｂ５は最上位ビットであり、ｂ０は最下位ビットである。ｃ２ｃ１ｃ０＝（ｂ５ｂ４ｂ３）．＾（ｂ２ｂ１ｂ０）を定義し、ここで．＾は、ビットごとの論理ＯＲオペレーションである。ＷＴは、図３７の表３７００に応じて、情報ビットグループｂ５ｂ４ｂ３から７個の変調シンボルのグループを決定する。表３７００は、フルトーンフォーマットにおけるアップリンク専用制御チャネルセグメント変調符号化の例示の仕様である。表３７００の第１の列３７０２は、３つの順序付けされた情報ビットについてのビットパターンを含み、第２の列３７０４は、各組が異なる可能なビットパターンに対応する７個の順序付けされた符号化変調シンボルの対応する組を含んでいる。
【０１０１】
ｂ５ｂ４ｂ３から決定される７個の変調シンボルは、符号化および変調のオペレーションの出力の７個の最上位符号化変調シンボルになる予定である。
【０１０２】
ＷＴは、同様に表３７００を使用して情報ビットグループｂ２ｂ１ｂ０から７個の変調シンボルのグループを決定し、符号化および変調のオペレーションの出力の次の最上位符号化変調シンボルとして得られる７個の変調シンボルを使用する。
【０１０３】
ＷＴは、同様に表３７００を使用して情報ビットグループｃ２ｃ１ｃ０から７個の変調シンボルのグループを決定し、符号化および変調のオペレーションの出力の最下位符号化変調シンボルとして得られる７個の変調シンボルを使用する。
【０１０４】
専用制御チャネルセグメントがスプリットトーンフォーマットを使用するときの符号化および変調のために使用される例示の第２の方法が、次に説明されることになる。ｂ７、ｂ６、ｂ５、ｂ４、ｂ３、ｂ２、ｂ１、およびｂ０は、アップリンク専用制御チャネルセグメントにおいて送信されるべき情報ビットを示すものとし、ここでｂ７は最上位ビットであり、ｂ０は最下位ビットである。ｃ３ｃ２ｃ１ｃ０＝（ｂ７ｂ６ｂ５ｂ４）．＾（ｂ３ｂ２ｂ１ｂ０）を定義し、ここで．＾は、ビットごとの論理ＯＲオペレーションである。ＷＴは、図３８の表３８００に応じて、情報ビットグループｂ７ｂ６ｂ５ｂ４から７個の変調シンボルのグループを決定する。表３８００は、スプリットトーンフォーマットにおけるアップリンク専用制御チャネルセグメント変調符号化の例示の仕様である。表３８００の第１の列３８０２は、４つの順序付けされた情報ビットについてのビットパターンを含み、第２の列３８０４は、各組が異なる可能なビットパターンに対応する７個の順序付けされた符号化変調シンボルの対応する組を含んでいる。
【０１０５】
ｂ７ｂ６ｂ５ｂ４ｂ３から決定される７個の変調シンボルは、符号化および変調のオペレーションの出力の７個の最上位符号化変調シンボルになる予定である。
【０１０６】
ＷＴは、同様に表３８００を使用して情報ビットグループｂ３ｂ２ｂ１ｂ０から７個の変調シンボルのグループを決定し、符号化および変調のオペレーションの出力の次の最上位符号化変調シンボルとして得られる７個の変調シンボルを使用する。
【０１０７】
ＷＴは、同様に表３８００を使用して情報ビットグループｃ３ｃ２ｃ１ｃ０から７個の変調シンボルのグループを決定し、符号化および変調のオペレーションの出力の最下位符号化変調シンボルとして得られる７個の変調シンボルを使用する。
【０１０８】
図３９は、例示のワイヤレス端末アップリンクトラフィックチャネルフレーム要求グループキューカウント情報を示す表３９００の図である。各ワイヤレス端末は、その要求グループカウント情報を保持し、アップデートする。この例示の実施形態においては、４つの要求グループ（ＲＧ０、ＲＧ１、ＲＧ２、ＲＧ３）が存在する。他の実施形態は、異なる数の要求グループを使用することができる。一部の実施形態においては、システムの中の異なるＷＴは、異なる数の要求グループを有することができる。第１の列３９０２は、キュー要素インデックス(queue element index)をリストアップし、第２の列３９０４は、キュー要素値(queue element value)をリストアップしている。第１の行３９０６は、Ｎ［０］＝ＷＴが要求グループ０（ＲＧ０）のために送信しようと意図するＭＡＣフレームの数であることを指し示す。第２の行３９０８は、Ｎ［１］＝ＷＴが要求グループ１（ＲＧ１）のために送信しようと意図するＭＡＣフレームの数であることを指し示す。第３の行は、Ｎ［２］＝ＷＴが要求グループ２のために送信しようと意図するＭＡＣフレームの数であることを指し示す。第４の行３９１２は、Ｎ［３］＝ＷＴが要求グループ３のために送信しようと意図するＭＡＣフレームの数であることを指し示す。
【０１０９】
図４０のドローイング４０００は、本発明の例示の一実施形態に従って、ワイヤレス端末によって保持されている例示の１組の４つの要求グループキュー（４００２、４００４、４００６、４００８）を含んでいる。キュー０  ４００２は、要求グループ０情報についてのキューである。キュー０情報４００２は、ＷＴが、４０１０と、アップリンクトラフィックの対応するフレーム（フレーム１  ４０１２、フレーム２  ４０１４、フレーム３  ４０１６、...、フレームＮ０  ４０１８）とを送信しようと意図するキュー０トラフィック（Ｎ［０］）のフレーム、例えば、ＭＡＣフレームの総数のカウントを含んでいる。キュー１  ４００４は、要求グループ１の情報についてのキューである。キュー１情報４００４は、ＷＴが、４０２０と、アップリンクトラフィックの対応するフレーム（フレーム１  ４０２２、フレーム２  ４０２４、フレーム３  ４０２６、...、フレームＮ１  ４０２８）とを送信しようと意図するキュー１トラフィック（Ｎ［１］）のフレーム、例えば、ＭＡＣフレームの総数のカウントを含んでいる。キュー２  ４００６は、要求グループ２の情報についてのキューである。キュー２情報４００６は、ＷＴが、４０３０と、アップリンクトラフィックの対応するフレーム（フレーム１  ４０３２、フレーム２  ４０３４、フレーム３  ４０３６、...、フレームＮ２  ４０３８）とを送信しようと意図するキュー２トラフィック（Ｎ［２］）のフレーム、例えば、ＭＡＣフレームの総数のカウントを含んでいる。キュー３  ４００８は、要求グループ３の情報についてのキューである。キュー３情報４００８は、ＷＴが、４０４０と、アップリンクトラフィックの対応するフレーム（フレーム１  ４０４２、フレーム２  ４０４４、フレーム３  ４０４６、...、フレームＮ３  ４０４８）とを送信しようと意図するキュー３トラフィック（Ｎ［３］）のフレーム、例えば、ＭＡＣフレームの総数のカウントを含んでいる。一部の実施形態においては少なくとも一部のワイヤレス端末についての要求キューは、優先キュー(priority queue)である。例えば、一部の実施形態においては、個別のワイヤレス端末の観点から、要求グループ０のキュー４００２は、最高優先順位トラフィックのために使用され、要求グループ１のキュー４００４は、第２の最高優先順位トラフィックのために使用され、要求グループ２のキュー４００６は、第３の最高優先順位トラフィックのために使用され、要求グループ３のキュー４００８は、最低の優先トラフィックのために使用される。
【０１１０】
一部の実施形態においては、少なくとも一部のワイヤレス端末についての少なくとも一部の時間中の少なくとも一部の要求キューにおけるトラフィックは、異なる優先順位を有する。一部の実施形態においては、優先順位は、トラフィックフローを要求キューに対してマッピングするときに考慮される１つのファクタである。一部の実施形態においては、優先順位は、トラフィックをスケジュール／送信するときに考慮される１つのファクタである。一部の実施形態においては、優先順位は、相対的重要性を代表する。一部の実施形態においては、すべての他のファクタは等しく、より高い優先順位に属するトラフィックは、より低い優先順位に属するトラフィックよりも頻繁にスケジュール／送信される。
【０１１１】
図４０のドローイング４０５２は、第１のＷＴ、ＷＴ  Ａについての、その要求グループキューに対するアップリンクデータストリームトラフィックフローの例示のマッピングを示している。第１の列４０５４は、データストリームトラフィックフローの情報タイプを含み、第２の列４０５６は、識別されたキュー（要求グループ）を含み、第３の列４０５８は、コメントを含んでいる。第１の行４０６０は、制御情報が、要求グループ０のキューに対してマッピングされることを指し示す。要求グループ０のキューに対してマッピングされるフローは、高優先順位と考えられ、厳しいレイテンシ要件を有し、低いレイテンシを必要とし、かつ／または低い帯域幅要件を有する。第２の行４０６２は、音声情報が、要求グループ１のキューに対してマッピングされることを指し示す。要求グループ１のキューに対してマッピングされるフローはまた、低レイテンシを必要とするが、要求グループ０よりも低い優先順位レベルを有する。第３の行４０６４は、ゲーミングおよびオーディオストリームのアプリケーションＡが、要求グループ２のキューに対してマッピングされることを指し示す。要求グループ２に対してマッピングされるフローでは、レイテンシは、やや重要であり、帯域幅要件は、音声についてよりも少し高い。第４の行４０６６は、ＦＴＰと、ウェブブラウジングと、ビデオストリームアプリケーションＡが、要求グループ３のキューに対してマッピングされることを指し示す。要求グループ３に対してマッピングされるフローは、遅延の影響を受けにくく、かつ／または高帯域幅を必要とする。
【０１１２】
図４０のドローイング４０７２は、第２のＷＴ、ＷＴＢについての、その要求グループキューに対するアップリンクデータストリームトラフィックフローの例示のマッピングを示している。第１の列４０７４は、データストリームトラフィックフローの情報タイプを含み、第２の列４０７６は、識別されたキュー（要求グループ）を含み、第３の列４０７８は、コメントを含んでいる。第１の行４０８０は、制御情報が、要求グループ０のキューに対してマッピングされることを指し示す。要求グループ０のキューに対してマッピングされるフローは、高優先順位と考えられ、厳しいレイテンシ要件を有し、低いレイテンシを必要とし、かつ／または低い帯域幅要件を有する。第２の行４０８２は、音声およびオーディオのストリームのアプリケーションＡ情報が、要求グループ１のキューに対してマッピングされることを指し示す。要求グループ１のキューに対してマッピングされるフローはまた、低レイテンシを必要とするが、要求グループ０よりも低い優先順位レベルを有する。第３の行４０８４は、ゲーミングおよびオーディオストリームのアプリケーションＢと、イメージストリームアプリケーションＡが、要求グループ２のキューに対してマッピングされることを指し示す。要求グループ２に対してマッピングされるフローでは、レイテンシは、やや重要であり、帯域幅要件は、音声についてよりも少し高い。第４の行４０８６は、ＦＴＰと、ウェブブラウジングと、イメージストリームアプリケーションＢが、要求グループ３のキューに対してマッピングされることを指し示す。要求グループ３に対してマッピングされるフローは、遅延の影響を受けにくく、かつ／または高帯域幅を必要とする。
【０１１３】
ＷＴ  ＡとＷＴ  Ｂとは、それらのアップリンクデータストリームトラフィックフローから要求グループキューのそれらの組に対する異なるマッピングを使用することに注意すべきである。例えば、オーディオストリームアプリケーションＡは、ＷＴＡについての要求グループキュー２に対してマッピングされるが、同じオーディオストリームアプリケーションＡは、ＷＴＢについての要求グループキュー１に対してもマッピングされる。さらに、異なるＷＴは、異なるタイプのアップリンクデータストリームトラフィックフローを有することができる。例えば、ＷＴ  Ｂは、ＷＴ  Ａについては含まれないオーディオストリームアプリケーションＢを含んでいる。本発明に従って、このアプローチにより、各ＷＴは、そのアップリンクトラフィックチャネルセグメントを経由して通信される異なるタイプのデータをマッチングさせるために、その要求キューマッピングをカスタマイズし、かつ／または最適化することができるようになる。例えば、音声およびテキストメッセージのセル電話などのモバイルノードは、オンラインゲーミングおよびウェブブラウジングのために主として使用されるモバイルデータ端末とは異なるタイプのデータストリームを有し、一般的に要求グループキューに対するデータストリームの異なるマッピングを有することになる。
【０１１４】
一部の実施形態においては、ＷＴについてのアップリンクデータストリームトラフィックフローから要求グループキューに対するマッピングは、時間と共に変化する可能性がある。図４０Ａのドローイング４００１は、第１の時刻Ｔ１におけるＷＴ  Ｃについての、その要求グループキューに対するアップリンクデータストリームトラフィックフローの例示のマッピングを示している。第１の列４００３は、データストリームトラフィックフローの情報タイプを含み、第２の列４００５は、識別されたキュー（要求グループ）を含み、第３の列４００７は、コメントを含んでいる。第１の行４００９は、制御情報が、要求グループ０のキューに対してマッピングされることを指し示す。要求グループ０のキューに対してマッピングされるフローは、高優先順位と考えられ、厳しいレイテンシ要件を有し、低いレイテンシを必要とし、かつ／または低い帯域幅要件を有する。第２の行４０１１は、音声情報が、要求グループ１のキューに対してマッピングされることを指し示す。要求グループ１のキューに対してマッピングされるフローはまた、低レイテンシを必要とするが、要求グループ０よりも低い優先順位レベルを有する。第３の行４０１３は、ゲーミングおよびオーディオストリームのアプリケーションＡが、要求グループ２のキューに対してマッピングされることを指し示す。要求グループ２に対してマッピングされるフローでは、レイテンシは、やや重要であり、帯域幅要件は、音声についてよりも少し高い。第４の行４０１５は、ＦＴＰと、ウェブブラウジングと、ビデオストリームアプリケーションＡが、要求グループ３のキューに対してマッピングされることを指し示す。要求グループ３に対してマッピングされるフローは、遅延の影響を受けにくく、かつ／または高帯域幅を必要とする。
【０１１５】
図４０Ａのドローイング４０１７は、第２の時刻Ｔ２におけるＷＴ  Ｃについての、その要求グループキューに対するアップリンクデータストリームトラフィックフローの例示のマッピングを示している。第１の列４０１９は、データストリームトラフィックフローの情報タイプを含み、第２の列４０２１は、識別されたキュー（要求グループ）を含み、第３の列４０２３は、コメントを含んでいる。第１の行４０２５は、制御情報が、要求グループ０のキューに対してマッピングされることを指し示す。要求グループ０のキューに対してマッピングされるフローは、高優先順位と考えられ、厳しいレイテンシ要件を有し、低いレイテンシを必要とし、かつ／または低い帯域幅要件を有する。第２の行４０２７は、音声アプリケーションとゲーミングアプリケーションが、要求グループ１のキューに対してマッピングされることを指し示す。要求グループ１のキューに対してマッピングされるフローはまた、低レイテンシを必要とするが、要求グループ０よりも低い優先順位レベルを有する。第３の行４０２９は、ビデオストリーミングアプリケーションＡが、要求グループ２のキューに対してマッピングされることを指し示す。要求グループ２に対してマッピングされるフローでは、レイテンシは、やや重要であり、帯域幅要件は、音声についてよりも少し高い。第４の行４０３１は、ＦＴＰと、ウェブブラウジングと、ビデオストリームアプリケーションＢが、要求グループ３のキューに対してマッピングされることを指し示す。要求グループ３に対してマッピングされるフローは、遅延の影響を受けにくく、かつ／または高帯域幅を必要とする。
【０１１６】
図７３のドローイング４０３３は、第３の時刻Ｔ３におけるＷＴ  Ｃについての、その要求グループキューに対するアップリンクデータストリームトラフィックフローの例示のマッピングを示している。第１の列４０３５は、データストリームトラフィックフローの情報タイプを含み、第２の列４０３７は、識別されたキュー（要求グループ）を含み、第３の列４０３９は、コメントを含んでいる。第１の行４０４１は、制御情報が、要求グループ０のキューに対してマッピングされることを指し示す。要求グループ０のキューに対してマッピングされるフローは、高優先順位と考えられ、厳しいレイテンシ要件を有し、低いレイテンシを必要とし、かつ／または低い帯域幅要件を有する。第２の行４０４３と第３の行４０４５は、データトラフィックアプリケーションが、それぞれ要求グループ１のキューと要求グループ２のキューに対してマッピングされないことを指し示す。第４の行４０４７は、ＦＴＰと、ウェブブラウジングが、要求グループ３のキューに対してマッピングされることを指し示す。要求グループ３に対してマッピングされるフローは、遅延の影響を受けにくく、かつ／または高帯域幅を必要とする。
【０１１７】
ＷＴ  Ｃは、３つの時刻Ｔ１、Ｔ２およびＴ３において、それらのアップリンクデータストリームトラフィックフローから要求グループキューのそれらの組に対する異なるマッピングを使用することに注意すべきである。例えば、オーディオストリームアプリケーションＡは、時刻Ｔ１において要求グループキュー２に対してマッピングされるが、同じオーディオストリームアプリケーションＡは、時刻Ｔ２において要求グループキュー１に対してもマッピングされる。さらに、ＷＴは、異なる時刻に異なるタイプのアップリンクデータストリームトラフィックフローを有することができる。例えば、時刻Ｔ２において、ＷＴは、時刻Ｔ１においては含まれないビデオストリームアプリケーションＢを含んでいる。さらに、ＷＴは、与えられた時刻における特定の要求グループキューに対してマッピングされるアップリンクデータストリームトラフィックフローを有さない可能性がある。例えば、時刻Ｔ３において、要求グループキュー１および２に対してマッピングされるアップリンクデータストリームトラフィックフローは存在しない。本発明に従って、このアプローチにより、各ＷＴは、任意の時刻にそのアップリンクトラフィックチャネルセグメントを経由して通信される異なるタイプのデータをマッチングさせるために、その要求キューマッピングをカスタマイズし、かつ／または最適化することができるようになる。
【０１１８】
図４１は、レポートのタイプのおのおのについて使用される例示のフォーマットに従って、例示の要求グループキュー構造と、複数の要求辞書と、複数のタイプのアップリンクトラフィックチャネル要求レポートと、キューの組のグループ分けとを示している。この例示の実施形態においては、与えられたワイヤレス端末についての４つの要求グループキューが存在する。例示の構造は、４つの要求辞書に対応する。例示の構造は、３つのタイプのアップリンクトラフィックチャネル要求レポート（１ビットレポート、３ビットレポート、４ビットレポート）を使用する。
【０１１９】
図４１は、例示のＷＴが（Ｎ［０］）４１１０を送信しようと意図するキュー０トラフィックのフレーム、例えば、ＭＡＣフレームの総数を含む例示のキュー０（要求グループ０）情報４１０２と、例示のＷＴが（Ｎ［１］）４１１２を送信しようと意図するキュー１トラフィックのフレーム、例えば、ＭＡＣフレームの総数を含む例示のキュー１（要求グループ１）情報４１０４と、例示のＷＴが（Ｎ［２］）４１１４を送信しようと意図するキュー２トラフィックのフレーム、例えば、ＭＡＣフレームの総数を含む例示のキュー２（要求グループ２）情報４１０６と、例示のＷＴが（Ｎ［３］）４１１６を送信しようと意図するキュー３トラフィックのフレーム、例えば、ＭＡＣフレームの総数を含む例示のキュー３（要求グループ３）情報４１０８とを含む。キュー０情報４１０２と、キュー１情報４１０４と、キュー２情報４１０６と、キュー３情報４１０８の組は、システムの中の１つのＷＴに対応する。システムの中の各ＷＴは、キューのその組を保持し、それが送信しようと意図する可能性があるアップリンクトラフィックフレームを追跡する。
【０１２０】
表４１１８は、使用中の辞書のファンクションとして異なるタイプの要求レポートによって使用されるキューセット(queue set)のグループ分けを識別する。列４１２０は、辞書を識別する。第１のタイプの例示のレポートは、例えば１ビットの情報レポートである。列４１１２は、第１のタイプのレポートのために使用される第１の組のキューを識別する。第１の組のキューは、要求辞書に関係なく、第１のタイプのレポートについての集合｛キュー０およびキュー１｝である。列４１２４は、第２のタイプのレポートのために使用される第２の組のキューを識別する。第２の組のキューは、要求辞書に関係なく、第２のタイプのレポートについての集合｛キュー０｝である。列４１２６は、第２のタイプのレポートのために使用される第３の組のキューを識別する。第３の組のキューは、（ｉ）要求辞書０についての第２のタイプのレポートについての集合｛キュー１，キュー２，キュー３｝と、（ｉｉ）要求辞書１についての第２のタイプのレポートについての｛キュー２｝の集合と、（ｉｉｉ）要求辞書２および３についての第２のタイプのレポートについての｛キュー１｝の集合である。第３のタイプのレポートは、各辞書について第４および第５の組のキューを使用する。第３のタイプのレポートは、辞書１、２、および３について第６の組のキューを使用する。第３のタイプのレポートは、辞書３について第７の組のキューを使用する。列４１２８は、辞書に関係なく、第３のタイプのレポートについての第４の組のキューが、集合｛キュー０｝であることを識別する。列４１３０は、第３のタイプのレポートについての第５の組のキューが、辞書０についての集合｛キュー１，キュー２，キュー３｝、辞書１についての集合｛キュー２｝、辞書２および３についての集合｛キュー１｝であることを識別する。列４１３２は、第３のタイプのレポートについての第６の組のキューが、辞書１についての集合｛キュー１，キュー３｝と、辞書２についての集合｛キュー２，キュー３｝と、辞書３についての集合｛キュー２｝であることを識別する。列４１３４は、第３のタイプのレポートについての第７の組のキューが、辞書３についての集合｛キュー３｝であることを識別する。
【０１２１】
一例として、（第１、第２、および第３の）タイプのレポートは、それぞれ図１６〜２５の例示の（ＵＬＲＱＳＴ１、ＵＬＲＱＳＴ３、およびＵＬＲＱＳＴ４の）レポートとすることができる。使用されるキューの組（表４１１８を参照）は、例示のＵＬＲＱＳＴ１、ＵＬＲＱＳＴ３、ＵＬＲＱＳＴ４では辞書０に関して説明されることになる。第１の組のキュー｛キュー０，キュー１｝は、表１６００の中のＮ［０］＋Ｎ［１］を使用したＵＬＲＱＳＴ１に対応し、例えばＵＬＲＱＳＴ１＝１は、Ｎ［０］＋Ｎ［１］＞０であることを指し示す。第２の組のキュー｛キュー０｝と第３の組のキュー｛キュー１，キュー２，キュー３｝のキュー統計値(queue stats)は、ＵＬＲＱＳＴ３へと一緒に符号化される。第２の組のキュー｛キュー０｝は、表１９００の中の第１の一緒に符号化された要素としてＮ［０］を使用したＵＬＲＱＳＴ３に対応し、例えばＵＬＲＱＳＴ３＝００１は、Ｎ［０］＝０を指し示す。第３の組のキュー｛キュー１，キュー２，キュー３｝は、表１９００の中の第２の一緒に符号化された要素として（Ｎ［１］＋Ｎ［２］＋Ｎ［３］）を使用したＵＬＲＱＳＴ３に対応し、例えばＵＬＲＱＳＴ３＝００１は、ｃｅｉｌ（（Ｎ［１］＋Ｎ［２］＋Ｎ［３］）／ｙ）＝１を指し示す。第４の組のキュー｛キュー０｝、または第５の組のキュー｛キュー１，キュー２，キュー３｝のキュー統計値は、ＵＬＲＱＳＴ４へと符号化される。第４の組のキューは、表１８００の中のＮ［０］を使用したＵＬＲＱＳＴ４に対応し、例えばＵＬＲＱＳＴ４＝００１０は、Ｎ［０］＞＝４であることを指し示す。第５の組のキューは、表１８００の中のＮ［１］＋Ｎ［２］＋Ｎ［３］を使用したＵＬＲＱＳＴ４に対応し、例えばＵＬＲＱＳＴ４＝００１１は、ｃｅｉｌ（（Ｎ［１］＋Ｎ［２］＋Ｎ［３］）／ｙ）＝１を指し示す。
【０１２２】
（第１タイプ、第２、および第３の）タイプのレポートが、図１６〜２５の例示の（ＵＬＲＱＳＴ１、ＵＬＲＱＳＴ３、およびＵＬＲＱＳＴ４の）レポートである例示の実施形態においては、第１のタイプのレポートは、要求辞書から独立しており、表４１１８の第１の組のキューを使用し、第２のタイプのレポートは、表４１１８からの第２の組のキューと、対応する第３の組のキューの両方についてのキュー統計値情報(queue stat information)を通信し、第３のタイプのレポートは、第４の組のキューと、対応する第５の組のキューと、対応する第６の組のキューと、対応する第７の組のキューのうちの１つについてのキュー統計値情報を通信する。
【０１２３】
図４２Ａと、図４２Ｂと、図４２Ｃと、図４２Ｄと、図４２Ｅの組合せを備える図４２は、本発明に従ってワイヤレス端末を動作させる例示の一方法のフローチャート４２００である。例示の方法のオペレーションは、ステップ４２０２において開始され、ここでＷＴは、電源投入され、初期化される。キュー定義情報４２０４、例えば特定の要求グループキューのＭＡＣフレームへの様々なアプリケーションからのトラフィックフローのマッピングと、要求グループの組への要求グループの様々なグループ分けを定義するマッピング情報と、要求辞書情報の組４２０６が、ワイヤレス端末による使用のために使用可能である。例えば、情報４２０４および４２０６は、ワイヤレス端末において不揮発性メモリに事前に記憶されることができる。一部の実施形態においては、複数の使用可能な要求辞書のうちからのデフォルト要求辞書、例えば、要求辞書０が、ワイヤレス端末によって最初に使用される。オペレーションは、開始ステップ４２０２からステップ４２０８、４２１０、および４２１２へと進む。
【０１２４】
ステップ４２０８において、ワイヤレス端末は、複数のキュー、例えば、要求グループ０のキュー、要求グループ１のキュー、要求グループ２のキュー、および要求グループ３のキューについての送信キュー統計値(transmission queue stats)を保持する。ステップ４２０８は、サブステップ４２１４とサブステップ４２１６とを含む。サブステップ４２１４においては、ワイヤレス端末は、送信されるべきデータがキューに追加されるときにキュー統計値を増分する。例えば、アップリンクデータストリームフロー、例えば、音声通信セッションフローからの新しいパケットが、ＭＡＣフレームとして要求グループのうちの１つ、例えば、要求グループ１のキューに対してマッピングされ、キュー統計値、例えば、ＷＴが送信しようと意図する要求グループ１のフレームの総数を表すＮ［１］が、アップデートされる。一部の実施形態においては、異なるワイヤレス端末は、異なるマッピングを使用する。サブステップ４２１６においては、ＷＴは、送信されるべきデータがキューから除去されるときにキュー統計値を減分する。例えば、送信されるべきデータは、データが送信されており、データが送信されており肯定的な肯定応答が受信されており、データ妥当性タイマ(data validity timer)が期限切れになっているのでデータがもはや送信される必要がなく、あるいは通信セッションが終了しているのでデータがもはや送信される必要がないという理由で、キューから除去されることができる。
【０１２５】
ステップ４２１０において、ワイヤレス端末は、送信パワー使用可能性情報を生成する。例えば、ワイヤレス端末は、ワイヤレス端末送信バックオフパワーを計算し、ワイヤレス端末送信バックオフパワーレポート値を決定し、バックオフパワー情報を記憶する。ステップ４２１０は、例えばＤＣＣＨ構造に従って、記憶情報がアップデートされて現在進行に基づいて実行される。
【０１２６】
ステップ４２１２において、ワイヤレス端末は、少なくとも２つの物理アタッチメントポイントについての送信パス損失情報を生成する。例えば、ワイヤレス端末は、少なくとも２つの物理アタッチメントポイントからの受信パイロット信号および／またはビーコン信号を測定し、比の値を計算し、ビーコン比レポート値、例えば、第１または第２のタイプの汎用ビーコン比レポート、あるいは専用ビーコン比レポートに対応する値を決定し、そしてビーコン比レポート情報を記憶する。ステップ４２１２は、例えばＤＣＣＨ構造に従って、記憶情報がアップデートされて現在進行に基づいて実行される。
【０１２７】
ステップ４２０８、４２１０および４２１２を実行することに加えて、ＷＴは、（第１、第２、第３の）組のあらかじめ決定された送信キュー統計値報告機会オペレーションにおける各報告機会について、（ステップ４２１８、ステップ４２２０、ステップ４２２２）をそれぞれ経由して（サブルーチン１  ４２２４、サブルーチン２  ４２３８、サブルーチン３  ４２５６）へと進む。例えば、第１の組のあらかじめ決定された各送信キュー統計値報告機会は、タイミング構造における１ビットの各アップリンクトラフィックチャネル要求報告機会に対応する。例えば、ＷＴが、例えば図１０のフルトーンＤＣＣＨフォーマットデフォルトモードを使用してＤＣＣＨセグメント上で通信している場合、ＷＴは、ビーコンスロットにおいてＵＬＲＱＳＴ１を送信する１６個の機会を受信する。例を用いて継続すると、第２の組のあらかじめ決定された各送信キュー統計値報告機会は、タイミング構造における３ビットの各アップリンクトラフィックチャネル要求報告機会に対応する。例えば、ＷＴが、例えば図１０のフルトーンＤＣＣＨフォーマットデフォルトモードを使用してＤＣＣＨセグメント上で通信している場合、ＷＴは、ビーコンスロットにおいてＵＬＲＱＳＴ３を送信する１２個の機会を受信する。ＷＴが、例えば図３２のスプリットトーンＤＣＣＨフォーマットデフォルトモードを使用してＤＣＣＨセグメント上で通信している場合、ＷＴは、ビーコンスロットにおいてＵＬＲＱＳＴ３を送信する６つの機会を受信する。例を用いて継続すると、第３の組のあらかじめ決定された各送信キュー統計値報告機会は、タイミング構造における４ビットの各アップリンクトラフィックチャネル要求報告機会に対応する。例えば、ＷＴが、例えば図１０のフルトーンＤＣＣＨフォーマットデフォルトモードを使用してＤＣＣＨセグメント上で通信している場合、ＷＴは、ビーコンスロットにおいてＵＬＲＱＳＴ４を送信する９つの機会を受信する。ＷＴが、例えば図３２のスプリットトーンＤＣＣＨフォーマットデフォルトモードを使用してＤＣＣＨセグメント上で通信している場合、ＷＴは、ビーコンスロットにおいてＵＬＲＱＳＴ４を送信する６つの機会を受信する。ＷＴがＵＬＲＱＳＴ４を送信しようと決定する各フレキシブルレポートでは、オペレーションはまた、接続ノード４２２２を経由してサブルーチン４２５６へと進む。
【０１２８】
例示のトラフィック使用可能性サブルーチン１  ４２２４について、次に説明されることになる。オペレーションは、ステップ４２２６において開始され、ＷＴは、第１の組のキュー、例えば、｛キュー０、キュー１｝の集合についてのバックログ情報を受信し、ここで、受信される情報は、Ｎ［０］＋Ｎ［１］である。オペレーションは、ステップ４２２６からステップ４２３０へと進む。
【０１２９】
ステップ４２３０において、ＷＴは、第１の組のキューの中にトラフィックのバックログが存在するかどうかをチェックする。第１の組のキューの中にバックログが存在しない、Ｎ［０］＋Ｎ［１］＝０である場合、そのときにはオペレーションは、ステップ４２３０からステップ４２３４へと進み、ここでＷＴは、第１の数の情報ビット、例えば、１情報ビットを送信し、第１の組のキューの中にトラフィックバックログがないことを示し、例えば情報ビットは、０に等しく設定される。代わりに第１の組のキューの中にバックログが存在し、Ｎ［０］＋Ｎ［１］＞０である場合、そのときにはオペレーションは、ステップ４２３０からステップ４２３２へと進み、ここでＷＴは、第１の数の情報ビット、例えば、１情報ビットを送信し、第１の組のキューの中のトラフィックバックログを示し、例えば情報ビットは、１に等しく設定される。オペレーションは、ステップ４２３２またはステップ４２３４のいずれかからリターンステップ４２３６へと進む。
【０１３０】
例示のトラフィック使用可能性サブルーチン２  ４２３８について、次に説明されることになる。オペレーションは、ステップ４２４０において開始され、ＷＴは、第２の組のキュー、例えば、｛キュー０｝の集合についてのバックログ情報を受信し、ここで、受信される情報は、Ｎ［０］である。ステップ４２４０において、ＷＴはまた、第３の組のキュー、例えばＷＴによる使用中の要求辞書に応じて、集合｛キュー１，キュー２，キュー３｝あるいは｛キュー２｝または｛キュー１｝についてのバックログ情報を受信する。例えば、辞書（１、２、３、４）に対応して、ＷＴは、それぞれ（Ｎ［１］＋Ｎ［２］＋Ｎ［３］、Ｎ［２］、Ｎ［１］、Ｎ［１］）を受信することができる。オペレーションは、ステップ４２４０からステップ４２４６へと進む。
【０１３１】
ステップ４２４６において、ＷＴは、第２の組のキューおよび第３の組のキューに対応するバックログ情報を第２のあらかじめ決定された数、例えば、３つの情報ビットへと共同して符号化し、前記共同符号化は、オプションとして量子化を含む。一部の実施形態においては、少なくとも一部の要求辞書では、サブステップ４２４８およびサブステップ４２５０は、ステップ４２４６の一部分として実行される。一部の実施形態においては、ステップ４２４６の少なくとも一部の反復についての少なくとも一部の要求辞書では、サブステップ４２４８およびサブステップ４２５０は、ステップ４２４６の一部分として実行される。サブステップ４２４８は、オペレーションを量子化レベル制御ファクタサブルーチンへと方向づける。サブステップ４２５０は、決定された制御ファクタの関数として量子化レベルを計算する。例えば、図１９に示されるようなデフォルト要求辞書０を使用した例示のＵＬＲＱＳＴ３を考察する。その例示の場合においては、各量子化レベルは、制御ファクタｙの関数として計算される。そのような例示の実施形態においては、サブステップ４２４８および４２５０は、ＵＬＲＱＳＴ３レポートの中に配置する情報ビットパターンを決定する際に実行される。代わりに、図２１に示されるような要求辞書１を使用した例示のＵＬＲＱＳＴ３を考察する。その場合には、量子化レベルのどれも、制御ファクタ、例えば、ｙまたはｚの関数として計算されず、したがってサブステップ４２４８および４２５０は、実行されない。
【０１３２】
オペレーションは、ステップ４２４６からステップ４２５２へと進み、ここでＷＴは、第２のあらかじめ決定された数の情報ビット、例えば、３情報ビットを使用して、第２の組のキューおよび第３の組のキューについての共同符号化されたバックログ情報を送信する。オペレーションは、ステップ４２５２からリターンステップ４２５４へと進む。
【０１３３】
例示のトラフィック使用可能性サブルーチン３  ４２５６について、次に説明されることになる。オペレーションは、ステップ４２５８において開始され、ＷＴは、第４の組のキュー、例えば、｛キュー０｝の集合についてのバックログ情報を受信し、ここで、受信される情報は、Ｎ［０］である。ステップ４２４０において、ＷＴはまた、第５の組のキュー、例えばＷＴによる使用中の要求辞書に応じて、集合｛キュー１，キュー２，キュー３｝あるいは｛キュー２｝または｛キュー１｝についてのバックログ情報を受信する。例えば、辞書（０、１、２、３）に対応して、ＷＴは、それぞれ（Ｎ［１］＋Ｎ［２］＋Ｎ［３］、Ｎ［２］、Ｎ［１］、Ｎ［１］）を受信することができる。ステップ４２４０において、ＷＴはまた、第６の組のキュー、例えばＷＴによる使用中の要求辞書に応じて、集合｛キュー１，キュー３｝または｛キュー２，キュー３｝あるいは｛キュー２｝についてのバックログ情報を受信することもできる。例えば、辞書（１、２、３）に対応して、ＷＴは、それぞれ（Ｎ［１］＋Ｎ［３］、Ｎ［２］＋Ｎ［３］、Ｎ［２］）を受信することができる。ステップ４２４０において、ＷＴはまた、要求辞書３がＷＴによって使用中である場合に、第７の組のキュー、例えば、集合｛キュー３｝についてのバックログ情報を受信することもできる。オペレーションは、ステップ４２５８からステップ４２６６へと進む。
【０１３４】
ステップ４２６８において、ＷＴは、第４、第５、第６、および第７の組のキューのうちの１つに対応するバックログ情報を第３のあらかじめ決定された数、例えば、４つの情報ビットへと符号化し、前記符号化は、オプションとして量子化を含んでいる。一部の実施形態においては、少なくとも一部の要求辞書では、サブステップ４２７０およびサブステップ４２７２は、ステップ４２６８の一部分として実行される。一部の実施形態においては、ステップ４２６８の少なくとも一部の反復についての少なくとも一部の要求辞書では、サブステップ４２７０およびサブステップ４２７２は、ステップ４２６８の一部分として実行される。サブステップ４２７０は、オペレーションを量子化レベル制御ファクタサブルーチンへと方向づける。サブステップ４２７２は、決定された制御ファクタの関数として量子化レベルを計算する。
【０１３５】
オペレーションは、ステップ４２６８からステップ４２７４へと進み、ここでＷＴは、第３のあらかじめ決定された数の情報ビット、例えば、４情報ビットを使用して、第４、第５、第６、および第７の組のキューのうちの１つについての符号化されたバックログ情報を送信する。オペレーションは、ステップ４２７４からリターンステップ４２７６へと進む。
【０１３６】
例示の量子化レベル制御ファクタサブルーチン４２７８について、次に説明されることになる。一部の実施形態においては、例示の量子化レベル制御ファクタサブルーチン４２７８のインプリメンテーションは、図１７の表１７００の使用を含んでいる。第１の列１７０２は、条件をリストアップしており、第２の列１７０４は、出力制御パラメータｙの対応する値をリストアップしており、第３の列１７０６は、出力制御パラメータＺの対応する値をリストアップしている。オペレーションは、ステップ４２７９において開始され、サブルーチンは、パワー情報４２８０、例えば、最後のＤＣＣＨトランスミッタパワーバックオフレポートと、パス損失情報４２８２、例えば、最後に報告されたビーコン比レポートを受け取る。オペレーションは、ステップ４２７９からステップ４２８４へと進み、ここでＷＴは、パワー情報およびパス損失情報が第１の判断基準を満たすか否かについてチェックする。例えば、第１の判断基準は、例示の一実施形態においては、（ｘ＞２８）ＡＮＤ（ｂ＞＝９）であり、ここでｘは、最新のアップリンク送信パワーバックオフレポート、例えば、ＵＬＴｘＢＫＦ５のｄＢにおける値であり、ｂは、最新のダウンリンクビーコン比レポート、例えば、ＤＬＢＮＲ４のｄＢにおける値である。第１の判断基準が満たされる場合、そのときにはオペレーションは、ステップ４２８４からステップ４２８６へと進むが、第１の判断基準が満たされない場合には、オペレーションは、ステップ４２８８へと進む。
【０１３７】
ステップ４２８６においては、ワイヤレス端末は、制御ファクタ、例えば集合｛Ｙ，Ｚ｝を第１のあらかじめ決定された組の値、例えば、Ｙ＝Ｙ１、Ｚ＝Ｚ１へと設定し、ここでＹ１およびＺ１は、正の整数である。例示の一実施形態においては、Ｙ１＝２およびＺ１＝１０である。
【０１３８】
ステップ４２８８に戻ると、ステップ４２８８において、ＷＴは、パワー情報およびパス損失情報が第２の判断基準を満たすか否かについてチェックする。例えば例示の実施形態においては、第２の判断基準は、（ｘ＞２７）ＡＮＤ（ｂ＞＝８）である。第２の判断基準が満たされる場合、そのときにはオペレーションは、ステップ４２８８からステップ４２９０へと進み、ここでワイヤレス端末は、制御ファクタ、例えば、集合｛Ｙ，Ｚ｝を第２のあらかじめ決定された組の値、例えば、Ｙ＝Ｙ２、Ｚ＝Ｚ２へと設定し、ここでＹ２およびＺ２は、正の整数である。例示の一実施形態においては、Ｙ２＝２およびＺ２＝９である。第２の判断基準が満たされない場合、オペレーションは、別の判断基準をチェックするステップへと進み、ここで判断基準が満たされるか否かに応じて、制御ファクタは、あらかじめ決定された値に設定され、あるいはテストが継続される。
【０１３９】
量子化レベル制御ファクタサブルーチンにおいて利用される固定数のテスト判断基準が存在する。第１のＮ−１個のテスト判断基準のうちのどれも満たされない場合、オペレーションは、ステップ４２９２へと進み、ここでワイヤレス端末は、パワー情報およびパス損失情報が第Ｎの判断基準を満たすか否かについてテストする。例えば、Ｎ＝９である例示の一実施形態においては、第Ｎの判断基準は、（ｘ＞１２）ａｎｄ（ｂ＜−５）である。第Ｎの判断基準が満たされる場合、そのときにはオペレーションは、ステップ４２９２からステップ４２９４へと進み、ここでワイヤレス端末は、制御ファクタ、例えば、集合｛Ｙ，Ｚ｝を第Ｎのあらかじめ決定された組の値、例えば、Ｙ＝ＹＮ、Ｚ＝ＺＮへと設定し、ここでＹＮおよびＺＮは、正の整数である。例示の一実施形態においては、ＹＮ＝１およびＺＮ＝２である。第Ｎの判断基準が満たされない場合、ワイヤレス端末は、制御ファクタ、例えば、集合｛Ｙ，Ｚ｝を第（Ｎ＋１）のあらかじめ決定された組の値、例えば、デフォルトの組Ｙ＝ＹＤ、Ｚ＝ＺＤへと設定し、ここでＹＤおよびＺＤは、正の整数である。例示の一実施形態においては、ＹＤ＝１およびＺＤ＝１である。
【０１４０】
オペレーションは、ステップ４２８６、ステップ４２９０、他の制御ファクタ設定ステップ、ステップ４２９４、またはステップ４２９６から、ステップ４２９８へと進む。ステップ４２９８において、ＷＴは、少なくとも１つの制御ファクタ値、例えば、Ｙおよび／またはＺを戻す。
【０１４１】
図４３は、本発明に従ってワイヤレス端末を動作させる例示の一方法のフローチャート４３００である。オペレーションは、ステップ４３０２において開始され、ここでワイヤレス端末は、電源投入され、初期化され、基地局との接続を確立している。オペレーションは、開始ステップ４３０２からステップ４３０４へと進む。
【０１４２】
ステップ４３０４において、ワイヤレス端末は、ＷＴがフルトーンフォーマットＤＣＣＨモード、またはスプリットトーンフォーマットＤＣＣＨモードにおいて動作しているかどうかを決定する。フルトーンフォーマットＤＣＣＨモードにおいてＷＴに割り付けられる各ＤＣＣＨセグメントでは、ＷＴは、ステップ４３０４からステップ４３０６へと進む。スプリットトーンフォーマットＤＣＣＨモードにおいてＷＴに割り付けられる各ＤＣＣＨセグメントでは、ＷＴは、ステップ４３０４からステップ４３０８へと進む。
【０１４３】
ステップ４３０６において、ＷＴは、６情報ビット（ｂ５、ｂ４、ｂ３、ｂ２、ｂ１、ｂ０）から１組の２１個の符号化された変調シンボル値を決定する。ステップ４３０６は、サブステップ４３１２、４３１４、４３１６、および４３１８を含む。サブステップ４３１２において、ＷＴは、３つの追加ビット（ｃ２、ｃ１、ｃ０）を６情報ビットの関数として決定する。例えば、例示の一実施形態においては、ｃ２ｃ１ｃ０＝（ｂ５ｂ４ｂ３）．＾（ｂ２ｂ１ｂ０）であり、ここで．＾は、ビットごとの排他的論理和オペレーションである。オペレーションは、ステップ４３１２から４３１４へと進む。サブステップ４３１４において、ＷＴは、第１のマッピング関数と３ビット（ｂ５、ｂ４、ｂ３）を入力として使用して７個の最上位変調シンボルを決定する。オペレーションは、サブステップ４３１４からサブステップ４３１６へと進む。サブステップ４３１６において、ＷＴは、第１のマッピング関数と３ビット（ｂ２、ｂ１、ｂ０）を入力として使用して７個の次の最上位変調シンボルを決定する。オペレーションは、サブステップ４３１６からサブステップ４３１８へと進む。サブステップ４３１８において、ＷＴは、第１のマッピング関数と３ビット（ｃ２、ｃ１、ｃ０）を入力として使用して７個の最下位変調シンボルを決定する。
【０１４４】
ステップ４３０８において、ＷＴは、８情報ビット（ｂ７、ｂ６、ｂ５、ｂ４、ｂ３、ｂ２、ｂ１、ｂ０）から１組の２１個の符号化された変調シンボル値を決定する。ステップ４３０８は、サブステップ４３２０、４３２２、４３２４、および４３２６を含む。サブステップ４３２０において、ＷＴは、４つの追加ビット（ｃ３、ｃ２、ｃ１、ｃ０）を８情報ビットの関数として決定する。例えば、例示の一実施形態においては、ｃ３ｃ２ｃ１ｃ０＝（ｂ７ｂ６ｂ５ｂ４）．＾（ｂ３ｂ２ｂ１ｂ０）であり、ここで．＾は、ビットごとの排他的論理和オペレーションである。オペレーションは、ステップ４３２０から４３２２へと進む。サブステップ４３２２において、ＷＴは、第２のマッピング関数と４ビット（ｂ７、ｂ６、ｂ５、ｂ４）を入力として使用して７個の最上位変調シンボルを決定する。オペレーションは、サブステップ４３２２からサブステップ４３２４へと進む。サブステップ４３２４において、ＷＴは、第２のマッピング関数と４ビット（ｂ３、ｂ２、ｂ１、ｂ０）を入力として使用して７個の次の最上位変調シンボルを決定する。オペレーションは、サブステップ４３２４からサブステップ４３２６へと進む。サブステップ４３２６において、ＷＴは、第２のマッピング関数と４ビット（ｃ３、ｃ２、ｃ１、ｃ０）を入力として使用して７個の最下位変調シンボルを決定する。
【０１４５】
ワイヤレス端末に割り付けられる各ＤＣＣＨセグメントについて、オペレーションは、ステップ４３０６またはステップ４３０８から４３１０へと進む。ステップ４３１０において、ワイヤレス端末は、セグメントの２１個の決定された変調シンボルを送信する。
【０１４６】
一部の実施形態においては、各ＤＣＣＨセグメントは、ＤＣＣＨセグメントの各トーンシンボルがアップリンクのタイミングおよび周波数の構造において同じ単一論理トーンを使用している、２１個のＯＦＤＭトーンシンボルに対応する。論理トーンは、ＤＣＣＨセグメント中でホップされることができ、例えば、同じ論理トーンは、接続のために使用されているアップリンクトーンブロックの中の、各物理トーンが７個の連続するＯＦＤＭシンボル送信期間について同じままである３つの異なる物理トーンに対応する可能性がある。
【０１４７】
例示の一実施形態においては、各セグメントは、複数のＤＣＣＨレポートに対応する。例示の一実施形態においては、第１のマッピング関数は、図３７の表３７００によって表され、第２のマッピング関数は、図３８の表３８００によって表される。
【０１４８】
図４４は、本発明に従って、制御情報を報告するようにワイヤレス端末を動作させる例示の一方法のフローチャート４４００である。オペレーションは、４４０２において開始され、ここでワイヤレス端末は、電源投入され、初期化される。オペレーションは、開始ステップ４４０２からステップ４４０４へと進む。ステップ４４０４において、ＷＴは、以下の（ｉ）第１のモードのＷＴオペレーションから第２のモードのＷＴオペレーションへの遷移と、（ｉｉ）第２のモードのオペレーションに留まりながら第１の接続から第２の接続へのハンドオフオペレーションのうちの一方が行われているか否かについてチェックする。一部の実施形態においては、第２のモードのオペレーションは、オンモード(ON mode)のオペレーションであり、前記第１のモードのオペレーションは、ホールドモード(hold mode)のオペレーションと、スリープモード(sleep mode)のオペレーションと、アクセスモード(ACCESS mode)のオペレーションのうちの１つである。一部の実施形態においては、オンモードのオペレーション中に、ワイヤレス端末は、アップリンク上でユーザデータを送信することができ、ホールドモードとスリープモードのオペレーション中に、ワイヤレス端末は、前記アップリンク上でユーザデータを送信することが起こらないようにされる。ステップ４４０４においてチェックされる条件のうちの１つが起きている場合、オペレーションは、ステップ４４０６へと進み、そうでなければオペレーションは、ステップ４４０４へと戻り、ここでチェックが再び実行される。
【０１４９】
ステップ４４０６において、ＷＴは、初期制御情報レポートセットを送信し、初期制御情報レポートセットの前記送信は、第１の期間に等しい第１の存続時間を有する。一部の実施形態においては、初期制御情報レポートセットは、１つまたは複数のレポートを含むことができる。オペレーションは、ステップ４４０６からステップ４４０８へと進む。ステップ４４０８において、ＷＴは、ＷＴが第２のモードのオペレーション中である否かについてチェックする。ＷＴが第２のモードのオペレーション中である場合、オペレーションは、ステップ４４０８からステップ４４１０へと進み、そうでなければオペレーションは、ステップ４４０４へと進む。
【０１５０】
ステップ４４１０において、ＷＴは、第１の追加の制御情報レポートセットを送信し、第１の追加の制御情報レポートセットの送信は、第１の期間と同じ期間にわたり、第１の追加の制御情報レポートセットは、前記初期制御情報レポートセットとは異なっている。一部の実施形態においては、初期制御情報レポートセットは、初期制御情報レポートセットと第１の追加の制御情報レポートセットとが異なるフォーマットを有することに起因して、第１の追加の制御情報レポートセットとは異なっている。一部の実施形態においては、初期制御情報レポートセットは、第１の追加の制御情報レポートセットに含まれていない少なくとも１つのレポートを含んでいる。一部のそのような実施形態においては、初期制御情報レポートセットは、第１の追加の制御情報レポートセットに含まれていない少なくとも２つのレポートを含んでいる。一部の実施形態においては、第１の追加の制御情報レポートセットに含まれていない少なくとも１つのレポートは、干渉レポートとワイヤレス端末送信パワー使用可能性レポートのうちの一方である。オペレーションは、ステップ４４１０からステップ４４１２へと進む。ステップ４４１２において、ＷＴは、ＷＴが第２のモードのオペレーション中であるか否かについてチェックする。ＷＴが第２のモードのオペレーション中である場合、オペレーションは、ステップ４４１２からステップ４４１４へと進み、そうでなければオペレーションは、ステップ４４０４へと進む。
【０１５１】
ステップ４４１４において、ＷＴは、前記第１の期間と同じ期間にわたって第２の追加の制御情報レポートセットを送信し、前記第２の追加の制御情報レポートは、前記第１の追加の制御情報レポートセットに含まれていない少なくとも１つのレポートを含んでいる。オペレーションは、ステップ４４１４からステップ４４１６へと進む。ステップ４４１６において、ＷＴは、ＷＴが第２のモードのオペレーション中であるか否かについてチェックする。ＷＴが第２のモードのオペレーション中である場合、オペレーションは、ステップ４４１６からステップ４４１０へと進み、そうでなければオペレーションは、ステップ４４０４へと進む。
【０１５２】
図４５および４６は、本発明の例示の一実施形態を示すために使用される。図４５および４６は、図４４のフローチャート４４００に関して論じられた一部の実施形態に対して適用可能である。図４５のドローイング４５００は、初期制御情報レポートセット４５０２を含み、これは第１の追加の制御情報レポートセット４５０４によって追随され、これは第２の追加の制御情報レポートセット４５０６によって追随され、これは第１の追加の制御情報レポートセット４５０８の第２の反復によって追随され、これは第２の追加の制御情報４５１０の第２の反復により追随される。各制御情報レポートセット（４５０２、４５０４、４５０６、４５０８、４５１０）は、それぞれ対応する送信期間（４５１２、４５１４、４５１６、４５１８、４５２０）を有し、ここで期間（４５１２、４５１４、４５１６、４５１８、４５２０）のおのおのの存続時間は、同じであり、存続時間は、１０５個のＯＦＤＭシンボル送信期間である。
【０１５３】
点線４５２２は、イベントが、初期制御情報レポートセット送信の送信にわずかに先立って起きたことを示しており、そのイベントは、（ｉ）ブロック４５２４によって指し示されるようなアクセスモードから、ブロック４５２６によって指し示されるようなオン状態(ON state)へのモード遷移と、（ｉｉ）ブロック４５２８によって指し示されるようなホールド状態(HOLD state)からブロック４５３０によって指し示されるようなオン状態へのモード遷移と、（ｉｉｉ）ブロック４５３２によって指し示されるようなオン状態における第１の接続からブロック４５３４によって指し示されるようなオン状態における第２の接続へのハンドオフオペレーションのうちの１つである。
【０１５４】
一例として、初期制御情報レポートセット４５０２と、第１の追加の制御情報レポートセット４５０４と、第２の制御情報レポートセット４５０６は、第１のビーコンスロット中に通信されることができるが、第１の追加の制御情報レポートセット４５０８の第２の反復と、第２の追加の制御情報レポートセット４５１０の第２の反復は、次のビーコンスロット中に通信されることができる。例を用いて継続すると、各情報レポートセットは、ビーコンスロット内のスーパースロットに対応する可能性がある。例えば、図１０および１１のワイヤレス端末についてのフルトーンフォーマットＤＣＣＨに関して説明される構造を使用すると、図４５に対応するセグメントの１つの可能なマッピングは、以下である。初期制御情報レポートセットは、図１１に対応し、第１の追加の制御情報レポートセットは、ビーコンスロットのインデックス付けされたセグメント３０〜３４に対応し、第２の追加の制御情報セットは、ビーコンスロットのインデックス付けされたセグメント３０〜３９に対応する。図４５は、そのような例示のマッピングについて説明している。
【０１５５】
図４６のドローイング４６００は、例示の初期制御情報レポートセットのフォーマットについて説明している。第１の列４６０２は、ビット定義（５、４、３、２、１、０）を識別する。第２の列４６０４は、第１のセグメントが、ＲＳＶＤ２レポートと、ＵＬＲＱＳＴ４レポートを含むことを識別する。第３の列４６０６は、第２のセグメントが、ＤＬＳＮＲ５レポートと、ＵＬＲＱＳＴ１レポートを含むことを識別する。第４の列４６０８は、第３のセグメントが、ＤＬＳＳＮＲ４レポートと、ＲＳＶＤ１レポートと、ＵＬＲＱＳＴ１レポートを含むことを識別する。第５の列４６１０は、第４のセグメントが、ＤＬＢＮＲ４レポートと、ＲＳＶＤ１レポートと、ＵＬＲＱＳＴ１レポートを含むことを識別する。第６の列４６１２は、第５のセグメントが、ＵＬＴＸＢＫＦ５レポートと、ＵＬＲＱＳＴ１レポートを含むことを識別する。
【０１５６】
ドローイング４６３０は、例示の第１の追加の制御情報レポートセットのフォーマットについて説明している。第１の列４６３２は、ビット定義（５、４、３、２、１、０）を識別する。第２の列４６３４は、第１のセグメントが、ＤＬＳＮＲ５レポートと、ＵＬＲＱＳＴ１レポートを含むことを識別する。第３の列４６３６は、第２のセグメントが、ＲＳＶＤ２レポートと、ＵＬＲＱＳＴ４レポートを含むことを識別する。第４の列４６３８は、第３のセグメントが、ＤＬＤＳＮＲ３レポートと、ＵＬＲＱＳＴ３レポートを含むことを識別する。第５の列４６４０は、第４のセグメントが、ＤＬＳＮＲ５レポートと、ＵＬＲＱＳＴ１レポートを含むことを識別する。第６の列４６４２は、第６のセグメントが、ＲＳＶＤ２レポートと、ＵＬＲＱＳＴ４レポートを含むことを識別する。
【０１５７】
ドローイング４６６０は、例示の第２の追加の制御情報レポートセットのフォーマットについて説明している。第１の列４６６２は、ビット定義（５、４、３、２、１、０）を識別する。第２の列４６６４は、第１のセグメントが、ＤＬＤＳＮＲ３レポートと、ＵＬＲＱＳＴ３レポートを含むことを識別する。第３の列４６６６は、第２のセグメントが、ＤＬＳＳＮＲ４レポートと、ＲＳＶＤ１レポートと、ＵＬＲＱＳＴ１レポートを含むことを識別する。第４の列４６６８は、第３のセグメントが、ＤＬＳＮＲ５レポートと、ＵＬＲＱＳＴ１レポートを含むことを識別する。第５の列４６７０は、第４のセグメントが、ＲＳＶＤ２レポートと、ＵＬＲＱＳＴ４レポートを含むことを識別する。第６の列４６７２は、第６のセグメントが、ＤＬＤＳＮＲ３レポートと、ＵＬＲＱＳＴ３レポートを含むことを識別する。
【０１５８】
図４６において、初期レポートセットと第１の追加のレポートセットは、それらが異なるフォーマットを使用するので異なることになることが、観察されることができる。初期制御情報レポートセットは、第１の追加の制御情報レポートセットに含まれていない少なくとも２つのレポート、ＤＬＢＮＲ４とＵＬＴＸＢＫＦ５を含むことも見られることができる。ＤＬＢＮＲ４は、干渉レポートであり、ＵＬＴＸＢＫＦ５は、ワイヤレス端末パワー使用可能性レポートである。図４６の例においては、第２の追加のレポートは、第１の追加のレポートに含まれていない少なくとも１つの追加のレポート、ＲＳＶＤ１レポートを含んでいる。
【０１５９】
図４７は、本発明に従って、リカーリングベースで(on a recurring basis)複数の異なる制御情報レポートの送信を制御する際に使用するためのあらかじめ決定されたレポートシーケンスを指し示す情報を含む通信デバイスを動作させる例示の一方法のフローチャート４７００である。一部の実施形態においては、通信デバイスは、ワイヤレス端末、例えば、モバイルノードである。例えば、ワイヤレス端末は、多元接続直交周波数分割多重化（ＯＦＤＭ）ワイヤレス通信システムにおける複数のワイヤレス端末のうちの１つとすることができる。
【０１６０】
オペレーションは、ステップ４７０２において開始され、ステップ４７０４へと進む。ステップ４７０４において、通信デバイスは、以下の（ｉ）第１のモードの通信デバイスオペレーションから第２のモードの通信デバイオペレーションへの遷移と、（ｉｉ）第２のモードの通信デバイスオペレーションに留まりながら、例えば第１の基地局セクタ物理アタッチメントポイントとの第１の接続から、例えば第２の基地局セクタ物理アタッチメントポイントとの第２の接続へのハンドオフオペレーションのうちの少なくとも一方が行われているかどうかについてチェックする。一部の実施形態においては、第２のモードの通信デバイスオペレーションは、オンモードのオペレーションであり、第１のモードのオペレーションは、ホールドモードのオペレーションとスリープモードのオペレーションのうちの一方である。一部のそのような実施形態においては、通信デバイスは、オンモードのオペレーション中にアップリンク上でユーザデータを送信することができ、ホールドモードおよびスリープモードのオペレーション中にはアップリンク上でユーザデータを送信することが起こらないようにされる。
【０１６１】
ステップ４７０４のテスト条件のうちの少なくとも１つが満たされた場合、そのときにはオペレーションは、実施形態に応じてステップ４７０４から、ステップ４７０６またはステップ４７０８のいずれかへと進む。ステップ４７０６は、一部の実施形態において含まれるが、他の実施形態においては省略されるオプショナルなステップである。
【０１６２】
ステップ４７０６は、通信デバイスが複数の異なる初期条件制御情報レポートセットをサポートする一部の実施形態に含まれる。ステップ４７０６においては、通信デバイスは、置換されるべきシーケンスの部分の関数として複数の初期制御情報レポートセットのうちのどちらを送信すべきかを選択する。オペレーションは、ステップ４７０６からステップ４７０８へと進む。
【０１６３】
ステップ４７０８において、通信デバイスは、初期制御情報レポートセットを送信する。様々な実施形態においては、初期制御情報レポートセットを送信することは、送信されたレポートがあらかじめ決定されたシーケンスに従っている場合に、初期レポートを送信するために使用される期間中に送信されていないことになる少なくとも１つのレポートを送信することを含んでいる。例えば、与えられた初期レポートでは、送信されたレポートがあらかじめ決定されたシーケンスに従っていた場合に初期レポートを送信するために使用される期間中に送信されていないことになる少なくとも１つのレポートは、干渉レポート、例えば、ビーコン比レポートと、通信デバイス送信パワー使用可能性レポート、例えば、通信デバイストランスミッタパワーバックオフレポートのうちの一方である。様々な実施形態においては、初期制御情報レポートセットは、１つまたは複数のレポートを含むことができる。一部の実施形態においては、初期制御情報レポートセットを送信することは、専用アップリンク制御チャネル上で前記初期制御情報レポートセットを送信することを含んでいる。一部のそのような実施形態においては、専用アップリンク制御チャネルは、シングルトーンチャネルである。一部のそのような実施形態においては、シングルトーンチャネルのシングルトーンは、時間にわたってホップされ、例えば、シングル論理チャネルトーンは、トーンホッピングに起因して異なる物理トーンへと変化する。様々な実施形態においては、あらかじめ決定されたレポートシーケンスは、前記初期レポートセットを送信するために使用される送信期間よりも長い期間にわたって反復する。例えば、例示の一実施形態においては、あらかじめ決定された報告シーケンスは、９１２個のＯＦＤＭシンボル送信時間間隔周期であるビーコンスロットを用いて、ビーコンスロットに基づいて反復するが、初期レポートセットを送信するために使用される例示の期間は、１０５個のＯＦＤＭシンボル送信期間とすることができる。
【０１６４】
オペレーションは、ステップ４７０８からステップ４７１０へと進み、ここで通信デバイスは、それが第２のモードのオペレーション中であるかどうかについてチェックする。通信デバイスが、第２のモードのオペレーション中である場合、オペレーションは、ステップ４７１２へと進み、そうでなければオペレーションは、ステップ４７０４へと進む。ステップ４７１２において、通信デバイスは、あらかじめ決定された報告シーケンスにおいて指し示される情報に従って、追加の制御情報レポートセットを送信する。オペレーションは、ステップ４７１２から４７１０へと進む。
【０１６５】
一部の実施形態においては、ステップ４７０８の初期制御情報レポートセット送信に追随するステップ４７１２は、第１の追加の制御情報レポートセットを含み、ここで初期制御情報レポートセットは、第１の追加の制御情報レポートセットには含まれない少なくとも１つの情報レポートセットを含んでいる。例えば、前記第１の追加の制御情報レポートセットには含まれない少なくとも１つの情報レポートは、干渉レポート、例えば、ビーコン比レポートと、通信デバイスパワー使用可能性レポート、例えば、通信デバイス送信パワーバックオフレポートのうちの一方である。
【０１６６】
様々な実施形態においては、ステップ４７１２の初期制御情報レポートに追随するステップ４７１２の反復は、例えば、通信デバイスが第２のモードのオペレーションに留まるが、第１の追加の制御情報レポートセットの送信を含み、これは第２の追加の制御情報レポートセットによって追随され、これは別の第１の追加の制御情報レポートセットによって追随され、ここで第２の追加の制御情報レポートセットは、第１の追加の制御情報レポートセットに含まれていない少なくとも１つのレポートを含んでいる。
【０１６７】
例示の一実施形態として、あらかじめ決定されたレポートシーケンスが、図１０のドローイング１０９９によって示されるようなビーコンスロットにおけるアップリンク専用制御チャネルセグメントについての４０個のインデックス付けされたセグメントのレポートシーケンスであることを考察する。さらに、あらかじめ決定されたレポートシーケンスのセグメントは、セグメントインデックス（０〜４）、（５〜９）、（１０〜１４）、（１５〜１９）、（２０〜２４）、（２５〜２９）、（３０〜３４）、（３５〜３９）を有するスーパースロットに基づいてグループ分けされ、各グループが、ビーコンスロットのスーパースロットに対応することを考察する。ステップ４７０４の条件が満たされ、例えば通信デバイスが、ホールド状態のオペレーションからオン状態のオペレーションへとちょうどマイグレートしている場合、通信デバイスは、第１のスーパースロットについて図１１の表１１９９において指し示されるような初期レポートセットを使用し、次いでオン状態に留まりながら後続のスーパースロットについて図１０の表１０９９のあらかじめ決定されたシーケンスを使用する。例えば、初期レポートセットは、いつオンモードのオペレーションへの状態遷移が起きるかに応じて、セグメントインデックスのグループ分け（０〜４）、（５〜９）、（１０〜１４）、（１５〜１９）、（２０〜２４）、（２５〜２９）、（３０〜３４）、（３５〜３９）に対応する組のうちのどれでも置換することができる。
【０１６８】
変形(variation)として、通信デバイスが、置換されるべきシーケンスの中の位置の関数として選択する複数の、例えば、２つの異なる初期制御チャネル情報レポートセットが存在する場合の例示の一実施形態を考察する。図４８は、制御チャネル情報レポートセットの２つの例示の異なるフォーマット４８００および４８５０を示している。初期レポートセット＃１のフォーマットにおいては、第４のセグメント４８１０は、ＤＬＢＮＲ４レポートと、ＲＳＶＤ１レポートと、ＵＬＲＱＳＴ１レポートを含むが、初期レポートセット＃２のフォーマットにおいては、第４のセグメント４８６０は、ＲＳＶＤ２レポートと、ＵＬＲＱＳＴ４レポートを含むことに注意すべきである。図１０のあらかじめ決定された報告シーケンスを使用した例示の一実施形態においては、初期制御情報レポートが、（セグメントインデックス１０〜１４を置換する）ビーコンスロットの第３のスーパースロットにおいて送信されるべきである場合、そのときには初期制御情報レポートセット＃２  ４８５０のフォーマットが使用され、そうでなければ初期制御情報レポートセット＃１のフォーマットが使用される。図１０の例示のあらかじめ決定された報告シーケンスにおいては、４ビットのダウンリンクビーコン比レポート、ＤＬＢＮＲ４は、ビーコンスロット中に一度起きるだけであり、それは、ビーコンスロットの第４のスーパースロットにおいて起きることに注意すべきである。この例示の実施形態においては、ビーコンスロットの次の後続スーパースロット（第４のスーパースロット）において、通信デバイスは、図１０のあらかじめ決定された構造に従って、ＤＬＢＮＲ４レポートを送信するようにスケジュールされるので、初期レポートの第２の組のフォーマット４８５０が、第３のスーパースロットにおいて使用される。
【０１６９】
別の変形として、通信デバイスが、置換されるべきシーケンスの中の位置の関数として選択する複数の、例えば、５つの異なる初期制御チャネル情報レポートセットが存在し、異なる初期制御情報レポートセットのおのおのが異なるサイズである場合の例示の一実施形態を考察する。図４９は、初期制御情報レポートセット＃１  ４９００、初期制御情報レポートセット＃２  ４９１０、初期制御情報レポートセット＃３  ４９２０、初期制御情報レポートセット＃４  ４９３０、初期制御情報レポートセット＃５  ４９４０を示している。図１０のあらかじめ決定された報告シーケンスを使用した例示の一実施形態においては、初期制御情報レポートが、ビーコンスロットのＤＣＣＨインデックス値＝０、５、１０、１５、２０、２５、３０、または３５を有するセグメントにおいて開始されて送信されるべきである場合、そのときには初期制御情報レポートセット＃１  ４９００が使用される。代わりに初期制御情報レポートが、ビーコンスロットのＤＣＣＨインデックス値＝１、６、１１、１６、２１、２６、３１、または３６を有するセグメントにおいて開始されて送信されるべきである場合、そのときには初期制御情報レポートセット＃２  ４９１０が使用される。代わりに初期制御情報レポートが、ビーコンスロットのＤＣＣＨインデックス値＝２、７、１２、１７、２２、２７、３２、または３７を有するセグメントにおいて開始されて送信されるべきである場合、そのときには初期制御情報レポートセット＃３  ４９２０が使用される。代わりに初期制御情報レポートが、ビーコンスロットのＤＣＣＨインデックス値＝３、８、１３、１８、２３、２８、３３、または３８を有するセグメントにおいて開始されて送信されるべきである場合、そのときには初期制御情報レポートセット＃４  ４９３０が使用される。代わりに初期制御情報レポートが、ビーコンスロットのＤＣＣＨインデックス値＝４、９、１４、１９、２４、２９、３４、または３９を有するセグメントにおいて開始されて送信されるべきである場合、そのときには初期制御情報レポートセット＃５  ４９４０が使用される。
【０１７０】
本発明に従って、異なる初期情報レポートセットが、スーパースロットの与えられたＤＣＣＨセグメントについて、レポートセットのサイズにおいても、レポートセットの内容(content)においても異なる場合の実施形態が可能である。
【０１７１】
図５０は、本発明に従ってワイヤレス端末を動作させる例示の一方法のフローチャートである。例えば、ワイヤレス端末は、例示のスペクトル拡散多元接続直交周波数分割多重化（ＯＦＤＭ）ワイヤレス通信システムにおけるモバイルノードとすることができる。オペレーションは、ステップ５００２において開始され、ここでワイヤレス端末は、電源投入され、基地局セクタアタッチメントポイントとの通信リンクを確立されており、アップリンク専用制御チャネルレポートのために使用するために専用制御チャネルセグメントを割り付けられており、第１のモードのオペレーションまたは第２のモードのオペレーションのいずれかで確立されている。例えば、一部の実施形態においては、第１のモードのオペレーションは、フルトーンモードの専用制御チャネルオペレーションであるが、第２のモードのオペレーションは、スプリットトーンモードの専用制御チャネルオペレーションである。一部の実施形態においては、各専用制御チャネルセグメントは、同じ数のトーンシンボル、例えば、２１個のトーンシンボルを含んでいる。オペレーションは、ステップ５００２からステップ５４００へと進む。２つの例示のタイプの実施形態が、フローチャート５０００に示される。第１のタイプの実施形態においては、基地局は、第１のモードのオペレーションと第２のモードのオペレーションとの間の変更を指令するモード制御信号を送信する。そのような例示の実施形態においては、オペレーションは、ステップ５００２からステップ５０１０および５０２０へと進む。第２のタイプの実施形態においては、ワイヤレス端末は、第１のモードと第２のモードとの間のモード遷移を要求する。そのような一実施形態においては、オペレーションは、ステップ５００２からステップ５０２６およびステップ５０３４へと進む。本発明に従って、基地局が、ワイヤレス端末からの入力なしにモード変更を指令することができ、ワイヤレス端末が、モード変更を要求することができ、例えば、基地局とワイヤレス端末が、おのおのモード変更を開始することができる場合の実施形態も可能である。
【０１７２】
ステップ５００４において、ＷＴは、ＷＴが現在、第１のモードのオペレーション中であるか、または第２のモードのオペレーション中であるかについてチェックする。ＷＴが現在、第１のモードのオペレーション中である、例えば、フルトーンモードにある場合、オペレーションは、ステップ５００４からステップ５００６へと進む。ステップ５００６において、ＷＴは、第１の期間中に第１の組の専用制御チャネルセグメントを使用し、前記第１の組は、第１の数の専用制御チャネルセグメントを含んでいる。しかしながら、ＷＴが、第２のモードのオペレーション中である、例えば、スプリットトーンモードにあることがステップ５００４において決定される場合には、オペレーションは、ステップ５００４からステップ５００８へと進む。ステップ５００８において、ＷＴは、前記第１の期間と同じ存続時間を有する第２の期間中に第２の組の専用制御チャネルセグメントを使用し、前記第２の組の制御チャネルセグメントは、前記第１の数のセグメントよりも少ないセグメントを含んでいる。
【０１７３】
例えば、例示の一実施形態においては、第１の期間がビーコンスロットであると考える場合に、フルトーンモードにおける第１の組は、シングル論理トーンを使用した４０個のＤＣＣＨセグメントを含むが、スプリットトーンモードにおける第２の組は、シングル論理トーンを使用した１３個のＤＣＣＨセグメントを含んでいる。フルモードにおいてＷＴによって使用されるシングル論理トーンは、スプリットトーンモードにおいて使用されるシングル論理トーンと同じ、あるいは異なっていてもよい。
【０１７４】
別の例として、同じ例示の実施形態において、第１の期間がビーコンスロットの第１の８９１個のＯＦＤＭシンボル送信時間間隔であると考える場合には、フルトーンモードにおける第１の組は、シングル論理トーンを使用した３９個のＤＣＣＨセグメントを含むが、スプリットトーンモードにおける第２の組は、シングル論理トーンを使用した１３個のＤＣＣＨセグメントを含んでいる。この例においては、セグメントの第２の数によって除算されたセグメントの第１の数は、整数３である。フルモードにおいてＷＴによって使用されるシングル論理トーンは、スプリットトーンモードにおいて使用されるシングル論理トーンと同じ、あるいは異なっていてもよい。
【０１７５】
第２のモード、例えば、スプリットトーンモードのオペレーション中に、ＷＴによって使用される第２の組の専用制御チャネルセグメントは、一部の実施形態においては、第２の期間ではない期間中に、フルトーンモードのオペレーションにおける同じ、または異なるＷＴによって使用されることができる、より大きな組の専用制御チャネルセグメントのサブセットである。例えば、ワイヤレス端末によって第１の期間中に使用される第１の組の専用制御チャネルセグメントは、より大きな組の専用制御チャネルセグメントとすることができ、第１および第２の組の専用制御チャネルセグメントは、同じ論理トーンに対応する可能性がある。
【０１７６】
オペレーションは、ＷＴを対象とする第１のタイプの各モード制御信号、例えば、第１のモードのオペレーションから第２のモードのオペレーションへとスイッチングさせるようにＷＴに指令するモード制御信号では、ステップ５００２からステップ５０１０へと進む。ステップ５０１０において、ＷＴは、第１のタイプのモード制御信号を基地局から受信する。オペレーションは、ステップ５０１０からステップ５０１２へと進む。ステップ５０１２において、ＷＴは、それが現在第１のモードのオペレーション中であるか否かについてチェックする。ワイヤレス端末が、第１のモードのオペレーション中である場合、オペレーションは、ステップ５０１４へと進み、ここでＷＴは、前記受信制御信号に応じて第１のモードのオペレーションから第２のモードのオペレーションへとスイッチングする。しかしながら、ＷＴが、現在第１のモードのオペレーション中でないことがステップ５０１２において決定される場合には、ＷＴは、接続ノードＡ５０１６を経由してステップ５０１８へと進み、ここでＷＴは、基地局とＷＴとの間に誤解が存在するので、モード変更のインプリメンテーションを停止する。
【０１７７】
オペレーションは、ＷＴを対象とする第２のタイプの各モード制御信号、例えば、第２のモードのオペレーションから第１のモードのオペレーションへとスイッチングさせるようにＷＴに指令するモード制御信号では、ステップ５００２からステップ５０２０へと進む。ステップ５０２０において、ＷＴは、第２のタイプのモード制御信号を基地局から受信する。オペレーションは、ステップ５０２０からステップ５０２２へと進む。ステップ５０２２において、ＷＴは、それが現在第２のモードのオペレーション中であるか否かについてチェックする。ワイヤレス端末が、第２のモードのオペレーション中である場合、オペレーションは、ステップ５０２４へと進み、ここでＷＴは、前記受信された第２のモードの制御信号に応じて第２のモードのオペレーションから第１のモードのオペレーションへとスイッチングする。しかしながら、ＷＴが、現在第２のモードのオペレーション中でないことがステップ５０２２において決定される場合には、ＷＴは、接続ノードＡ５０１６を経由してステップ５０１８へと進み、ここでＷＴは、基地局とＷＴとの間に誤解が存在するので、モード変更のインプリメンテーションを停止する。
【０１７８】
一部の実施形態においては、基地局からの第１および／または第２のタイプのモード制御変更コマンド信号はまた、ＷＴによって使用される論理トーンが、モードスイッチに従って変化することになるかどうかを識別する情報を含み、一部の実施形態においては、新しいモードにおいてＷＴによって使用される論理トーンを識別する情報を含んでいる。一部の実施形態においては、ＷＴがステップ５０１８へと進む場合、ＷＴは、例えば、誤解が存在すること、およびモード遷移が完了されていないことを指し示して基地局に信号で伝える。
【０１７９】
オペレーションは、ワイヤレス端末が、第１のモード、例えば、フルトーンＤＣＣＨモードのオペレーションから、第２のモード、例えば、スプリットトーンＤＣＣＨモードのオペレーションへとモード変更を開始するように進むたびごとに、ステップ５００２からステップ５０２６へと進む。ステップ５０２６において、ＷＴは、モード制御信号を基地局に対して送信する。オペレーションは、ステップ５０２６からステップ５０２８へと進む。ステップ５０２８において、ＷＴは、肯定応答信号を基地局から受信する。オペレーションは、ステップ５０２８からステップ５０３０へと進む。ステップ５０３０において、受信肯定応答信号が肯定的な肯定応答である場合、オペレーションは、ステップ５０３２へと進み、ここでワイヤレス端末は、前記受信された肯定的な肯定応答信号に応じて第１のモードのオペレーションから第２のモードのオペレーションへとスイッチングする。しかしながら、ステップ５０３０において、ＷＴが、受信信号が否定的な肯定応答信号であり、あるいはＷＴが正常に受信信号を復号化することができないことを決定する場合には、ＷＴは、接続ノードＡ５０１６を経由してステップ５０１８へと進み、ここでＷＴは、モード変更オペレーションを停止する。
【０１８０】
オペレーションは、ワイヤレス端末が、第２のモード、例えば、スプリットトーンＤＣＣＨモードのオペレーションから、第２のモード、例えば、フルトーンＤＣＣＨモードのオペレーションへとモード変更を開始するように進むたびごとに、ステップ５００２からステップ５０３４へと進む。ステップ５０３４において、ＷＴは、モード制御信号を基地局に対して送信する。オペレーションは、ステップ５０３４からステップ５０３６へと進む。ステップ５０３６において、ＷＴは、肯定応答信号を基地局から受信する。オペレーションは、ステップ５０３６からステップ５０３８へと進む。ステップ５０３８において、受信肯定応答信号が肯定的な肯定応答である場合、オペレーションは、ステップ５０４０へと進み、ここでワイヤレス端末は、前記受信された肯定的な肯定応答信号に応じて第２のモードのオペレーションから第１のモードのオペレーションへとスイッチングする。しかしながら、ステップ５０３８において、ＷＴが、受信信号が否定的な肯定応答信号であり、あるいはＷＴが正常に受信信号を復号化することができないことを決定する場合には、ＷＴは、接続ノードＡ５０１６を経由してステップ５０１８へと進み、ここでＷＴは、モード変更オペレーションを停止する。
【０１８１】
図５１は、本発明に従って、例示のオペレーションを示す図である。図５１の例示の実施形態においては、専用制御チャネルは、専用制御チャネルにおける各論理トーンについて０から１５までのインデックス付けされた１６個のセグメントの反復パターン(repeating pattern)を使用するように構成される。本発明に従って、他の実施形態は、リカーリングパターン(recurring pattern)における異なる数のインデックス付けされたＤＣＣＨセグメント、例えば、４０個のセグメントを使用することができる。（０、１、２、３）でインデックス付けされた４つの例示の論理ＤＣＣＨトーンが、図５１に示される。一部の実施形態においては、各セグメントは、同じ量のエアリンクリソースを占有する。例えば、一部の実施形態においては、各セグメントは、同じ数のトーンシンボル、例えば、２１個のトーンシンボルを有する。ドローイング５１００は、ドローイング５１０４における論理トーンに対応するパターンの２つの連続する反復について時間上でセグメントのインデックスを識別する。
【０１８２】
ドローイング５１０４は、水平軸５１０８上の時間に対して、垂直軸５１０６上に論理ＤＣＣＨトーンインデックスをプロットしている。同じ存続時間を有する第１の期間５１１０と第２の期間５１１２が示される。凡例５１１４は、（ｉ）広い間隔のクロスハッチシェーディングを有する正方形５１１６は、ＷＴ１フルトーンＤＣＣＨモードセグメントを表し、（ｉｉ）広い間隔の垂直水平線のシェーディングを有する正方形５１１８は、ＷＴ４フルトーンＤＣＣＨモードセグメントを表し、（ｉｉｉ）狭い間隔の垂直水平線のシェーディングを有する正方形５１２０は、ＷＴ５フルトーンＤＣＣＨモードセグメントを表し、（ｉｖ）微細なクロスハッチシェーディングを有する正方形５１２２は、ＷＴ６フルトーンＤＣＣＨモードセグメントを表し、（ｖ）左から右へと上向きの傾きをもつ広い間隔の斜め線シェーディングを有する正方形５１２４は、ＷＴ１スプリットトーンＤＣＣＨモードセグメントを表し、（ｖｉ）左から右へと下向きの傾きをもつ狭い間隔の斜め線シェーディングを有する正方形５１２６は、ＷＴ２スプリットトーンＤＣＣＨモードセグメントを表し、（ｖｉｉ）左から右へと上向きの傾きをもつ狭い間隔の斜め線シェーディングを有する正方形５１２８は、ＷＴ３スプリットトーンＤＣＣＨモードセグメントを表し、（ｖｉｉｉ）広い間隔の垂直線のシェーディングを有する正方形５１３０は、ＷＴ４スプリットトーンＤＣＣＨモードセグメントを表すことを識別する。
【０１８３】
ドローイング５１０４において、ＷＴ１は、第１の期間５１１０中にフルトーンＤＣＣＨモードにあり、その期間中に論理トーン０に対応する１組の１５個のセグメント（０〜１４でインデックス付けされる）を使用することが観察されることができる。第１の期間と同じ存続時間である第２の期間５１１２中に、ＷＴ１は、スプリットトーンＤＣＣＨモードにあり、論理トーン０に対応するインデックス値（０、３、６、９、１２）を有する１組の５個のセグメントを使用し、この論理トーン０は、第１の期間５１１０中に使用されるセグメントの組のサブセットである。
【０１８４】
ドローイング５１０４において、ＷＴ４は、第１の期間５１１０中にフルトーンＤＣＣＨモードにあり、論理トーン２に対応する１組の１５個のセグメント（０〜１４でインデックス付けされる）を使用し、ＷＴ４は、第２の期間５１１２中にスプリットトーンフォーマットにあり、論理トーン３に対応するインデックス値（１、４、７、１０、１３）を有する１組の５個のセグメントを使用することが観察されることもできる。論理トーン３に対応するインデックス値（１、４、７、１０、１３）を有する５個のセグメントの組は、第１の期間５１１０中にフルトーンＤＣＣＨモードにあるＷＴ６によって使用されるセグメントのより大きな組の一部分であることも観察されるべきである。
【０１８５】
図５２は、本発明に従って基地局を動作させる例示の一方法の図のフローチャート５２００である。例示の方法のオペレーションは、ステップ５２０２において開始され、ここで基地局は、電源投入され、初期化される。オペレーションは、ステップ５２０４およびステップ５２０６へと進む。ステップ５２０４において、基地局は、進行に基づいてフルトーンＤＣＣＨサブチャネルと、スプリットトーンＤＣＣＨサブチャネルとの間で専用制御チャネルリソースを区分し、複数のワイヤレス端末の間でフルトーンＤＣＣＨサブチャネルとスプリットトーンＤＣＣＨサブチャネルを割り付ける。例えば、例示の一実施形態においては、ＤＣＣＨチャネルは、３１個の論理トーンを使用し、各論理トーンは、例えばビーコンスロットに基づいて反復パターンの１回の反復の形の４０個のＤＣＣＨチャネルセグメントに対応する。与えられた任意の時に、各論理トーンは、トーンに対応するＤＣＣＨセグメントが単一のＷＴに割り付けられるフルトーンＤＣＣＨモードのオペレーション、またはトーンに対応するＤＣＣＨセグメントが固定最大数までのＷＴに割り付けられることができるスプリットトーンＤＣＣＨモードのいずれかに対応する可能性があり、ここでＷＴの固定最大数＝３である。ＤＣＣＨチャネルについて３１個の論理トーンを使用したそのような例示の一実施形態においては、各ＤＣＣＨチャネル論理トーンが、フルトーンモードにある場合に、基地局セクタアタッチメントポイントは、３１個のＷＴに割り付けられたＤＣＣＨセグメントを有することができる。それとは正反対に、各ＤＣＣＨチャネル論理トーンがスプリットトーンフォーマットにある場合、そのときには９３個のＷＴが、セグメントを割り当てられることができる。一般に、与えられた任意の時に、ＤＣＣＨチャネルは、例えばそれらのアタッチメントポイントとして基地局を使用してＷＴの現在のローディング条件と現在のニーズに対応するように、区分され、フルトーンサブチャネルとスプリットトーンサブチャネルの組合せを含むことができる。
【０１８６】
図５３は、別の例示の実施形態、例えば、リカーリングベースで反復する論理トーンに対応する１６個のインデックス付けされたＤＣＣＨセグメントを使用した一実施形態についての専用制御チャネルリソースの例示の区分と割付けを示している。図５３に関して説明される方法は、ステップ５２０４において使用されることができ、他の実施形態へと拡張されることができる。
【０１８７】
ステップ５２０４は、サブステップ５２１６を含み、このサブステップにおいて、基地局は、ＷＴに対してサブチャネル割付け情報を通信する。サブステップ５２１６は、サブステップ５２１８を含んでいる。サブステップ５２１８においては、基地局は、専用制御チャネルセグメントの割付けを受信するＷＴに対してユーザ識別子、例えば、オン状態ユーザ識別子を割り当てる。
【０１８８】
ステップ５２０６において、基地局は、進行に基づいて、割り付けられたＤＣＣＨサブチャネル上で通信される専用制御チャネルレポートを含む、ＷＴからのアップリンク信号を受信する。一部の実施形態においては、ワイヤレス端末は、フルトーンＤＣＣＨモードのオペレーション中に、そしてスプリットトーンＤＣＣＨモードのオペレーション中にＤＣＣＨセグメントにおいて送信される情報を通信するために異なる符号化を使用する。それ故に、基地局は、モードに基づいて異なる復号化オペレーションを実行する。
【０１８９】
２つの例示のタイプの実施形態が、フローチャート５２００に示されている。第１のタイプの実施形態において、基地局は、第１のモードのオペレーションと第２のモードのオペレーションとの間の、例えばフルトーンＤＣＣＨモードとスプリットトーンＤＣＣＨモードとの間の変更を指令するモード制御信号を送信する。そのような例示の実施形態においては、オペレーションは、ステップ５２０２からステップ５２０８および５０１０へと進む。第２のタイプの実施形態においては、ワイヤレス端末は、第１のモードと第２のモードとの間の、例えばフルトーンＤＣＣＨモードとスプリットトーンＤＣＣＨモードとの間のモード遷移を要求する。そのような一実施形態においては、オペレーションは、ステップ５２０２からステップ５２１２および５２１４へと進む。本発明に従って、基地局が、ワイヤレス端末からの入力なしにモード変更を指令することができ、ワイヤレス端末が、モード変更を要求することができ、例えば、基地局とワイヤレス端末が、おのおのモード変更を開始することができる場合の実施形態も可能である。
【０１９０】
オペレーションは、基地局が、第１のモード、例えば、フルモードＤＣＣＨモードから第２のモード、例えば、スプリットトーンＤＣＣＨモードへと変更するようにＷＴに指令することを決定する各インスタンスでは、ステップ５２０８へと進む。ステップ５２０８において、基地局は、第１のモード、例えば、フルトーンＤＣＣＨモードから第２のモード、例えば、スプリットトーンＤＣＣＨモードへのＷＴ遷移を開始させるモード制御信号をＷＴに対して送信する。
【０１９１】
オペレーションは、基地局が、第２のモード、例えば、スプリットトーンＤＣＣＨモードから第１のモード、例えば、フルトーンＤＣＣＨモードへと変更するようにＷＴに指令することを決定する各インスタンスでは、ステップ５２１０へと進む。ステップ５２１０において、基地局は、第２のモード、例えば、スプリットトーンＤＣＣＨモードから第１のモード、例えば、フルトーンＤＣＣＨモードへのＷＴ遷移を開始させるモード制御信号をＷＴに対して送信する。
【０１９２】
オペレーションは、基地局が、第１のモード、例えば、フルトーンＤＣＣＨモードから第２のモード、例えば、スプリットトーンＤＣＣＨモードへと変更する要求をＷＴから受信する各インスタンスでは、ステップ５２１２へと進む。ステップ５２１２において、基地局は、第１のモードのオペレーションから第２のモードのオペレーションへの、例えば、フルトーンＤＣＣＨモードからスプリットトーンＤＣＣＨモードへの遷移を要求するモード制御信号をＷＴから受信する。基地局が、要求を受け入れることを決定する場合に、オペレーションは、ステップ５２１２からステップ５２２０へと進む。ステップ５２２０において、基地局は、要求を送信したＷＴに対して肯定的な肯定応答信号を送信する。
【０１９３】
オペレーションは、基地局が、第２のモード、例えば、スプリットトーンＤＣＣＨモードから第１のモード、例えば、フルトーンＤＣＣＨモードへと変更する要求をＷＴから受信する各インスタンスでは、ステップ５２１４へと進む。ステップ５２１４において、基地局は、第２のモードのオペレーションから第１のモードのオペレーションへの、例えば、スプリットトーンＤＣＣＨモードからフルトーンＤＣＣＨモードへの遷移を要求するモード制御信号をＷＴから受信する。基地局が、要求を受け入れることを決定する場合に、オペレーションは、ステップ５２１４からステップ５２２２へと進む。ステップ５２２２において、基地局は、要求を送信したＷＴに対して肯定的な肯定応答信号を送信する。
【０１９４】
図５３は、本発明に従って例示のオペレーションを示す図である。図５３の例示の実施形態においては、専用制御チャネルは、専用制御チャネルにおける各論理トーンについて０から１５までのインデックス付けされた１６個のセグメントの反復パターンを使用するように構成される。本発明に従って、他の実施形態は、リカーリングパターンにおける異なる数のインデックス付けされたＤＣＣＨセグメント、例えば、４０個のセグメントを使用することができる。（０、１、２）でインデックス付けされた３つの例示の論理ＤＣＣＨトーンが、図５３に示される。一部の実施形態においては、各セグメントは、同じ量のエアリンクリソースを占有する。例えば、一部の実施形態においては、各セグメントは、同じ数のトーンシンボル、例えば、２１個のトーンシンボルを有する。ドローイング５３００は、ドローイング５３０４における論理トーンに対応するリカーリングインデックス付けパターン(recurring indexing pattern)の２つの連続する反復について時間上でセグメントのインデックスを識別する。
【０１９５】
ドローイング５３０４は、水平軸５３０８上の時間に対して、垂直軸５３０６上に論理ＤＣＣＨトーンインデックスをプロットしている。同じ存続時間を有する第１の期間５３１０と第２の期間５３１２が示される。凡例５３１４は、（ｉ）広い間隔のクロスハッチシェーディングを有する正方形５３１６は、ＷＴ１フルトーンＤＣＣＨモードセグメントを表し、（ｉｉ）狭い間隔のクロスハッチシェーディングを有する正方形５３１８は、ＷＴ２フルトーンＤＣＣＨモードセグメントを表し、（ｉｉｉ）広い間隔の垂直水平線のシェーディングを有する正方形５３２０は、ＷＴ４フルトーンＤＣＣＨモードセグメントを表し、（ｉｖ）狭い間隔の垂直水平線のシェーディングを有する正方形５３２２は、ＷＴ９フルトーンＤＣＣＨモードセグメントを表し、（ｖ）左から右へと上向きの傾きをもつ広い間隔の斜め線シェーディングを有する正方形５３２４は、ＷＴ１スプリットトーンＤＣＣＨモードセグメントを表し、（ｖｉ）左から右へと下向きの傾きをもつ狭い間隔の斜め線シェーディングを有する正方形５３２６は、ＷＴ２スプリットトーンＤＣＣＨモードセグメントを表し、（ｖｉｉ）左から右へと上向きの傾きをもつ狭い間隔の斜め線シェーディングを有する正方形５３２８は、ＷＴ３スプリットトーンＤＣＣＨモードセグメントを表し、（ｖｉｉｉ）広い間隔の垂直線のシェーディングを有する正方形５３３０は、ＷＴ４スプリットトーンＤＣＣＨモードセグメントを表し、（ｉｘ）狭い間隔の垂直線のシェーディングを有する正方形５３３２は、ＷＴ５スプリットトーンＤＣＣＨモードセグメントを表し、（ｘ）広い間隔の水平線のシェーディングを有する正方形５３３４は、ＷＴ６スプリットトーンＤＣＣＨモードセグメントを表し、（ｘｉ）狭い間隔の水平線のシェーディングを有する正方形５３３６は、ＷＴ７スプリットトーンＤＣＣＨモードセグメントを表し、（ｘｉｉ）ドットシェーディングを有する正方形５３３８は、ＷＴ８スプリットトーンＤＣＣＨモードセグメントを表すことを識別する。
【０１９６】
ドローイング５３０４において、ＷＴ１は、第１の期間５３１０中にフルトーンＤＣＣＨモードにあり、その期間中に論理トーン０に対応する１組の１５個のセグメント（０〜１４でインデックス付けされる）を使用することが観察されることができる。本発明の一部の実施形態に従って、基地局は、第１の期間５３１０中における使用のための論理トーン０に対応する１５個のセグメント（０〜１４でインデックス付けされる）の組を含む第１の専用制御サブチャネルをＷＴ１に対して割り付けた。
【０１９７】
ドローイング５３０４において、ＷＴ２、ＷＴ３、およびＷＴ４は、おのおの第１の期間５３１０中にスプリットトーンＤＣＣＨモードにあり、そしておのおの、第１の期間５３１０中に同じ論理トーン、論理トーン１に対応する（（０、３、６、９、１２）、（１、４、７、１０、１３）、（２、５、８、１１、１４））でそれぞれインデックス付けされた１組の５個のセグメントを使用することが観察されることもできる。本発明の一部の実施形態に従って、基地局は、おのおのが、第１の期間５３１０中に同じ論理トーン、論理トーン１に対応するインデックス値（（０、３、６、９、１２）、（１、４、７、１０、１３）、（２、５、８、１１、１４））をそれぞれ有する１組の５個のセグメントを含む（第２、第３、および第４の）専用制御サブチャネルを（ＷＴ２、ＷＴ３、ＷＴ３）に対して割り付けた。
【０１９８】
ドローイング５３０４において、ＷＴ６、ＷＴ７、およびＷＴ８は、おのおの第１の期間５３１０中にスプリットトーンＤＣＣＨモードにあり、そしておのおの、第１の期間５３１０中に同じ論理トーン、論理トーン２に対応する（（０、３、６、９、１２）、（１、４、７、１０、１３）、（２、５、８、１１、１４））でそれぞれインデックス付けされた１組の５個のセグメントを使用することが観察されることもできる。本発明の一部の実施形態に従って、基地局は、おのおのが、第１の期間５３１０中に同じ論理トーン、論理トーン２に対応するインデックス値（（０、３、６、９、１２）、（１、４、７、１０、１３）、（２、５、８、１１、１４））をそれぞれ有する１組の５個のセグメントを含む（第５、第６、および第７の）専用制御サブチャネルを（ＷＴ６、ＷＴ７、ＷＴ８）に対して割り付けた。
【０１９９】
ドローイング５３０４において、（ＷＴ１、ＷＴ５）は、第２の期間５３１２中にスプリットトーンＤＣＣＨモードにあり、そしておのおの、第２の期間５３１２中に論理トーン０に対応するインデックス値（０、３、６、９、１２）、（１、４、７、１０、１３））をそれぞれ有する１組の５個のセグメントを使用することが観察されることができる。本発明の一部の実施形態に従って、基地局は、第２の期間５３１２中に論理トーン０に対応するインデックス（０、３、６、９、１２）、（１、４、７、１０、１３））をそれぞれ有する５個のセグメントの組を含む（第８、第９の）専用制御サブチャネルを（ＷＴ１、ＷＴ５）に対して割り付けた。ＷＴ１は、第１の期間中に論理トーン０を使用したが、ＷＴ５は、第１の期間中に論理トーン０を使用しなかった。
【０２００】
ドローイング５３０４において、（ＷＴ２）は、第２の期間５３１２中にフルトーンＤＣＣＨモードにあり、そして第２の期間５３１２中に論理トーン１に対応する（０〜１４）でインデックス付けされた１組の１５個のセグメントを使用することが観察されることもできる。本発明の一部の実施形態に従って、基地局は、第２の期間５３１２中に論理トーン１に対応する（０〜１４）でインデックス付けされた１５個のセグメントの組を含む（第１０の）専用制御サブチャネルを（ＷＴ２）に対して割り付けた。ＷＴ２は、第１の期間５３１０中に論理トーン１を使用した（ＷＴ２、ＷＴ３、ＷＴ４）の組からのＷＴのうちの１つであることに注意されることができる。
【０２０１】
ドローイング５３０４において、（ＷＴ９）は、第２の期間５３１２中にフルトーンＤＣＣＨモードにあり、そしておのおの第２の期間５３１２中に論理トーン２に対応する（０〜１４）でインデックス付けされた１組の１５個のセグメントを使用することが観察されることもできる。本発明の一部の実施形態に従って、基地局は、第２の期間５３１２中に論理トーン２に対応する（０〜１４）でインデックス付けされた１５個のセグメントの組を含む（第１１の）専用制御サブチャネルを（ＷＴ９）に対して割り付けた。ＷＴ９は、第１の期間５３１０中に論理トーン２を使用したＷＴ（ＷＴ６、ＷＴ７、ＷＴ８）とは異なるＷＴであることに注意されることができる。
【０２０２】
一部の実施形態においては、論理トーン（トーン０、トーン１、トーン２）は、複数のシンボル送信期間のおのおのについて、例えば、第１の期間５３１０において論理トーンがどの物理トーンに対応するかを決定するアップリンクトーンホッピングオペレーション(uplink tone hopping operation)に従っている。例えば、論理トーン０、１、および２は、アップリンク信号方式(uplink signaling)について使用される１組の１１３個の物理トーンに対するホッピングシーケンスに従ってホップされる１１３個の論理トーンを含む論理チャネル構造の一部分とすることができる。その例を用いて継続して、各ＤＣＣＨセグメントが、単一論理トーンに対応し、２１個の連続するＯＦＤＭシンボル送信期間に対応することを考察する。例示の一実施形態においては、論理トーンは、ワイヤレス端末が、セグメントの７つの連続するシンボル送信期間について各物理トーンを使用して、その論理トーンが３つの物理トーンに対応するようにホップされる。
【０２０３】
リカーリングベースで反復する論理トーンに対応する４０個のインデックス付けされたＤＣＣＨチャネルセグメントを使用した例示の一実施形態においては、例示の第１および第２の期間は、おのおの３９個のＤＣＣＨセグメント、例えば、論理トーンに対応するビーコンスロットの第１の３９個のＤＣＣＨセグメントを含むことができる。そのような一実施形態においては、与えられたトーンがフルトーンフォーマットである場合、ＷＴには、割付けに対応する第１または第２の期間についての１組の３９個のＤＣＣＨセグメントが、基地局によって割り付けられる。与えられたトーンがスプリットトーンフォーマットである場合、ＷＴには、割付けに対応する第１または第２の期間についての１組の１３個のＤＣＣＨセグメントが割り付けられる。フルトーンモードにおいては、第４０のインデックス付けされたセグメントが割り付けられ、フルトーンモードにおいてＷＴによって使用されることもできる。スプリットトーンモードにおいて、一部の実施形態においては、第４０のインデックス付けされたセグメントは、留保されたセグメントである。
【０２０４】
図５４は、本発明に従ってワイヤレス端末を動作させる例示の一方法のフローチャート５４００の図である。オペレーションは、ステップ５４０２において開始され、ここでワイヤレス端末は、電源投入され、初期化される。オペレーションは、ステップ５４０２から、ステップ５４０４、５４０６、および５４０８へと進む。ステップ５４０４において、ワイヤレス端末は、ダウンリンクヌルチャネル(down link null channel)（ＤＬ．ＮＣＨ）の受信パワーを測定し、干渉パワー（Ｎ）を決定する。例えば、ヌルチャネルは、基地局が故意にこれらのトーンシンボルを使用して送信しない、ワイヤレス端末についての現在のアタッチメントポイントとしての役割を果たす基地局によって使用される例示のダウンリンクタイミングおよび周波数の構造におけるあらかじめ決定されたトーンシンボルに対応する。それ故に、ワイヤレス端末レシーバによって測定される、ヌルチャネル上の受信パワーは、干渉を表す。ステップ５４０６において、ワイヤレス端末は、ダウンリンクパイロットチャネル（ＤＬ．ＰＩＣＨ）の受信パワー（Ｇ＊Ｐ０）を測定する。ステップ５４０８において、ワイヤレス端末は、ダウンリンクパイロットチャネル（ＤＬ．ＰＩＣＨ）の信号対雑音比（ＳＮＲ０）を測定する。オペレーションは、ステップ５４０４、５４０６、および５４０８からステップ５４１０へと進む。
【０２０５】
ステップ５４１０において、ワイヤレス端末は、干渉パワーと、ダウンリンクパイロットチャネルの測定された受信パワーと、ダウンリンクパイロットチャネルの測定されたＳＮＲの関数として飽和レベルのダウンリンク信号対雑音比を計算する。例えば、飽和レベルのＤＬ  ＳＮＲ＝１／ａ０＝（１／ＳＮＲ０−Ｎ／（ＧＰ０））−１である。オペレーションは、ステップ５４１０からステップ５４１２へと進む。ステップ５４１２において、ワイヤレス端末は、専用制御チャネルレポートにおける計算された飽和レベルを表すように、飽和レベルのダウンリンクＳＮＲの量子化レベルのあらかじめ決定された表から最も近い値を選択し、ワイヤレス端末は、レポートを生成する。オペレーションは、ステップ５４１２からステップ５４１４へと進む。ステップ５４１４において、ワイヤレス端末は、生成されたレポートを基地局に対して送信し、前記生成されたレポートは、ワイヤレス端末に割り付けられた専用制御チャネルセグメントを使用して、例えばあらかじめ決定されたインデックス付けされた専用制御チャネルセグメントのあらかじめ決定された部分を使用して通信される。例えば、例示のＷＴは、図１０の反復報告構造を使用してフルトーンフォーマットモードのＤＣＣＨオペレーション中であるようにすることができ、レポートは、インデックス番号ｓ２＝３６を有するＤＣＣＨセグメント１０３６のＤＬＳＳＮＲ４レポートとすることができる。
【０２０６】
図５５は、本発明に従って、そして本発明の方法を使用してインプリメントされる例示のワイヤレス端末５５００、例えば、モバイルノードの図である。例示のＷＴ５５００は、図１の例示のシステムのワイヤレス端末のうちのどれにすることもできる。例示のワイヤレス端末５５００は、ワイヤレス端末５５００がデータおよび情報を交換するバス５５１２を経由して一緒に結合されたレシーバモジュール５５０２と、トランスミッタモジュール５５０４と、プロセッサ５５０６と、ユーザＩ／Ｏデバイス５５０８と、メモリ５５１０とを含む。
【０２０７】
レシーバモジュール５５０２、例えば、ＯＦＤＭレシーバは、ワイヤレス端末５５００が基地局からダウンリンク信号を受信する受信アンテナ５５０３に結合される。ワイヤレス端末５５００によって受信されるダウンリンク信号は、モード制御信号と、モード制御要求応答信号と、ユーザ識別子、例えば、論理アップリンク専用制御チャネルトーンに関連するオン識別子(ON identifier)の割当てを含む割当て信号と、アップリンクおよび／またはダウンリンクのトラフィックチャネル割当て信号と、ダウンリンクトラフィックチャネル信号と、ダウンリンク基地局識別信号とを含む。レシーバモジュール５５０２は、ワイヤレス端末５５００が、基地局による送信に先立って符号化されている受信信号を復号化するデコーダ５５１８を含んでいる。トランスミッタモジュール５５０４、例えば、ＯＦＤＭトランスミッタは、ワイヤレス端末５５００が、アップリンク信号を基地局へと送信する送信アンテナ５５０５に結合される。一部の実施形態においては、同じアンテナは、トランスミッタとレシーバのために使用される。ワイヤレス端末によって送信されるアップリンク信号は、モード要求信号と、アクセス信号と、第１および第２のモードのオペレーション中における専用制御チャネルセグメント信号と、アップリンクトラフィックチャネル信号とを含む。トランスミッタモジュール５５０４は、ワイヤレス端末５５００が、送信に先立って少なくとも一部のアップリンク信号を符号化するエンコーダ５５２０を含んでいる。エンコーダ５５２０は、第１の符号化モジュール５５２２と、第２の符号化モジュール５５２４とを含んでいる。第１の符号化モジュール５５２２は、第１の符号化方法による第１のモードのオペレーション中にＤＣＣＨセグメントの形で(in DCCH segments)送信されるべき情報を符号化する。第２の符号化モジュール５５２４は、第２の符号化方法による第２のモードのオペレーション中にＤＣＣＨセグメントの形で送信されるべき情報を符号化する。第１の符号化方法と第２の符号化方法は、異なっている。
【０２０８】
ユーザＩ／Ｏデバイス５５０８、例えば、マイクロフォン、キーボード、キーパッド、マウス、スイッチ、カメラ、ディスプレイ、スピーカなどは、データ／情報を入力し、データ／情報を出力し、ワイヤレス端末の少なくとも一部のファンクションを制御する、例えば、通信セッションを開始するために使用される。メモリ５５１０は、ルーチン５５２６とデータ／情報５５２８とを含んでいる。プロセッサ５５０６、例えば、ＣＰＵは、ワイヤレス端末５５００のオペレーションを制御し、本発明の方法をインプリメントするためにメモリ５５１０の中のルーチン５５２６を実行し、データ／情報５５２８を使用する。
【０２０９】
ルーチン５５２６は、通信ルーチン５５３０と、ワイヤレス端末制御ルーチン５５３２とを含む。通信ルーチン５５３０は、ワイヤレス端末５５００によって使用される様々な通信プロトコルをインプリメントする。ワイヤレス端末制御ルーチン５５３２は、レシーバモジュール５５０２と、トランスミッタモジュール５５０４と、ユーザＩ／Ｏデバイス５５０８の制御オペレーションを含めて、ワイヤレス端末５５００のオペレーションを制御する。ワイヤレス端末制御ルーチン５５３２は、第１のモードの専用制御チャネル通信モジュール５５３４と、第２のモードの専用制御チャネル通信モジュール５５３６と、専用制御チャネルモード制御モジュール５５３８と、モード要求信号生成モジュール５５４０と、応答検出モジュール５５４２と、アップリンク専用制御チャネルトーン決定モジュール５５４３とを含む。
【０２１０】
第１のモードの専用制御チャネル通信モジュール５５３４は、第１のモードのオペレーション中に、専用制御チャネルセグメントの、第１の期間にわたって第１の数の制御チャネルセグメントを含む第１の組を使用して専用制御チャネル通信を制御する。第１のモードは、一部の実施形態においては、専用制御チャネルオペレーションのフルトーンモードである。第２のモードの専用制御チャネル通信モジュール５５３６は、第２のモードのオペレーション中に、前記第１の期間と同じ存続時間を有する期間に対応し、前記第１の数の専用制御チャネルセグメントよりも少ないセグメントを含む専用制御チャネルセグメントの第２の組を使用して専用制御チャネル通信を制御する。第２のモードは、一部の実施形態においては、専用制御チャネルオペレーションのスプリットトーンモードである。様々な実施形態において、専用制御チャネルセグメントは、第１のモードのオペレーションであろうと第２のモードのオペレーションであろうと、同じ量のアップリンクエアリンクリソース、例えば、同じ数のトーンシンボル、例えば、２１個のトーンシンボルを使用する。例えば、専用制御チャネルセグメントは、基地局によって使用されているタイミングおよび周波数の構造における１つの論理トーンに対応する可能性があるが、おのおのが、アップリンクトーンホッピング情報に従って、異なる物理アップリンクトーンに関連している３組の７個のトーンシンボルを有する３つの物理トーンに対応する可能性がある。
【０２１１】
ＤＣＣＨモード制御モジュール５５３８は、一部の実施形態においては、基地局からの受信されたモード制御信号、例えば、基地局からのモード制御コマンド信号に応じて、前記第１のモードのオペレーションと前記第２のモードのオペレーションのうちの一方の中へのスイッチングを制御する。一部の実施形態においては、モード制御信号はまた、スプリットトーンモードのオペレーションでは、アップリンク専用制御チャネルセグメントのどの組が、スプリットトーンモードのオペレーションに関連づけられるかを識別する。例えば、与えられた論理ＤＣＣＨチャネルトーンでは、スプリットトーンオペレーションにおいて、複数の、例えば、３つのオーバーラップしていない組のＤＣＣＨセグメントが存在する可能性があり、モード制御信号は、それらの組のうちのどれがワイヤレス端末に関連づけられるべきかを識別することができる。ＤＣＣＨモード制御モジュール５５３８は、一部の実施形態においては、受信された肯定的な要求肯定応答信号に応じて、第１のモード、例えば、フルトーンＤＣＣＨモードのオペレーションと、第２のモード、例えば、スプリットトーンＤＣＣＨモードのオペレーションのうちの一方である要求されたモードのオペレーションへのスイッチングを制御する。
【０２１２】
モード要求生成モジュール５５４０は、要求されたモードのＤＣＣＨオペレーションを指し示すモード要求信号を生成する。応答検出モジュール５５４２は、基地局からの、前記モード要求信号に対する応答を検出する。応答検出モジュール５５４２の出力は、ワイヤレス端末５５００が、要求されたモードのオペレーションにスイッチングされるべきかどうかを決定するために、ＤＣＣＨモード制御モジュール５５３８によって使用される。
【０２１３】
アップリンクＤＣＣＨトーン決定モジュール５５４３は、割り当てられた論理ＤＣＣＨトーンが、ワイヤレス端末に記憶されるアップリンクトーンホッピング情報に基づいて時間上で対応する物理トーンを決定する。
【０２１４】
データ／情報５５２８は、ユーザ／デバイス／セッション／リソース情報５５４４と、システムデータ／情報５５４６と、現在のモードのオペレーション情報５５４８と、端末ＩＤ情報５５５０と、ＤＣＣＨ論理トーン情報５５５２と、モード要求信号情報５５５４と、タイミング情報５５５６と、基地局識別情報５５５８と、データ５５６０と、ＤＣＣＨセグメント信号情報５５６２と、モード要求応答信号情報５５６４とを含む。ユーザ／デバイス／セッション／リソース情報５５４４は、ＷＴ５５００との通信セッションにおけるピアノードに対応する情報と、アドレス情報と、経路指定情報と、認証情報を含むセッション情報と、ＷＴ５５００に割り付けられる通信セッションに関連する割り付けられたＤＣＣＨセグメントとアップリンクおよび／またはダウンリンクのトラフィックチャネルセグメントを含むリソース情報とを含む。現在のモードのオペレーション情報５５４８は、ワイヤレス端末が、現在第１の、例えば、フルトーンＤＣＣＨモードのオペレーション中であるか、または第２の、例えば、スプリットトーンＤＣＣＨモードのオペレーション中であるかを識別する情報を含んでいる。一部の実施形態においては、ＤＣＣＨに関する第１のモードのオペレーションと第２のモードのオペレーションは、両方ともにワイヤレス端末のオン状態のオペレーションに対応する。現在のモードのオペレーション情報５５４８はまた、他のモードのワイヤレス端末のオペレーション、例えば、スリープ、ホールドなどを識別する情報も含んでいる。端末識別子情報５５５０は、基地局により割り当てられたワイヤレス端末識別子、例えば、登録されたユーザ識別子および／またはオン状態識別子を含んでいる。一部の実施形態においては、オン状態識別子は、ワイヤレス端末に対してオン状態識別子を割り付けた基地局セクタアタッチメントポイントによって使用されるＤＣＣＨ論理トーンに関連づけられる。ＤＣＣＨ論理トーン情報５５５２は、ワイヤレス端末が、第１のモードのＤＣＣＨオペレーションと第２のモードのＤＣＣＨオペレーションのうちの一方の中にあるときに、アップリンクＤＣＣＨセグメント信号を通信するときに使用するワイヤレス端末に現在割り付けられるＤＣＣＨ論理トーンを識別する情報を含んでいる。タイミング情報５５５６は、ワイヤレス端末のためのアタッチメントポイントとしての役割を果たす基地局によって使用される反復タイミング構造内のワイヤレス端末の現在のタイミングを識別する情報を含んでいる。基地局識別情報５５５８は、基地局識別子と、基地局セクタ識別子と、ワイヤレス端末によって使用されている基地局セクタアタッチメントポイントに関連する基地局のトーンブロックおよび／またはキャリアの識別子とを含む。データ５５６０は、通信セッションにおいて通信されるアップリンクおよび／またはダウンリンクのユーザデータ、例えば、音声、オーディオデータ、イメージデータ、テキストデータ、ファイルデータを含む。ＤＣＣＨセグメント信号情報５５６２は、ワイヤレス端末に割り付けられたＤＣＣＨセグメントに対応して通信されるべき情報、例えば、様々な制御情報レポートを表すＤＣＣＨセグメントの形で通信されるべき情報ビットを含んでいる。モード要求信号情報５５５４は、モジュール５５４０によって生成されるモード要求信号に対応する情報を含んでいる。モード要求応答信号情報５５６４は、モジュール５５４２によって検出される応答情報を含んでいる。
【０２１５】
システムデータ／情報５５４６は、フルトーンモードＤＣＣＨ情報５５６６と、スプリットトーンモードＤＣＣＨ情報５６８と、複数の組の基地局データ／情報（基地局１データ／情報５５７０、...、基地局Ｍデータ／情報５５７２）とを含む。フルトーンモードＤＣＣＨ情報５５６６は、チャネル構造情報５５７４とセグメント符号化情報５５７６とを含んでいる。フルトーンモードＤＣＣＨチャネル構造情報５５７４は、ワイヤレス端末がフルトーンＤＣＣＨモードのオペレーション中であるときに、セグメントと、セグメントの形で通信されるべきレポートとを識別する情報を含んでいる。例えば、例示の一実施形態においては、ＤＣＣＨチャネルの中に、複数の、例えば、３１個のＤＣＣＨトーンが存在し、各論理ＤＣＣＨトーンは、フルトーンモードにあるときに、ＤＣＣＨチャネルにおける単一論理ＤＣＣＨトーンに関連する４０個のＤＣＣＨセグメントのリカーリングパターンに従っている。フルトーンモードＤＣＣＨセグメント符号化情報５５７６は、ＤＣＣＨセグメントを符号化するために第１の符号化モジュール５５２２によって使用される情報を含んでいる。スプリットトーンモードＤＣＣＨ情報５５６８は、チャネル構造情報５５７８とセグメント符号化情報５５８０とを含む。スプリットトーンモードＤＣＣＨチャネル構造情報５５７８は、ワイヤレス端末が、スプリットトーンＤＣＣＨモードのオペレーション中であるときに、セグメントを識別する情報と、セグメントの形で通信されるべきレポートとを含む。例えば、例示の一実施形態においては、ＤＣＣＨチャネルの中に、複数の、例えば、３１個のＤＣＣＨトーンが存在し、各論理ＤＣＣＨトーンは、スプリットトーンモードにあるときに、時間上で３つまでの異なるＷＴの間で分割される。例えば、与えられた論理ＤＣＣＨトーンでは、ＷＴは、リカーリングパターンの中の４０個のセグメントから使用すべき１組の１３個のＤＣＣＨセグメントを受信し、各組の１３個のＤＣＣＨセグメントは、他の２組の１３個のＤＣＣＨセグメントとオーバーラップしていない。そのような一実施形態においては、人は、例えば、フルトーンモードにある場合には単一のＷＴに割り付けられるが、スプリットトーンフォーマットにおいては３つのワイヤレス端末の間で区分される３９個のＤＣＣＨセグメントを含む構造における時間間隔を考えることができる。スプリットトーンモードＤＣＣＨセグメント符号化情報５５８０は、ＤＣＣＨセグメントを符号化するために第２の符号化モジュール５５２４によって使用される情報を含んでいる。
【０２１６】
一部の実施形態においては、１つの期間中に、与えられた論理ＤＣＣＨトーンが、フルトーンモードのオペレーションにおいて使用されるが、他の時間においては同じ論理ＤＣＣＨトーンは、スプリットトーンモードのオペレーションにおいて使用される。それ故に、ＷＴ５５００には、リカーリング構造(recurring structure)において１組のＤＣＣＨチャネルセグメントが割り付けられることができるが、スプリットトーンモードのＤＣＣＨオペレーションにおいては、これは、フルトーンモードのオペレーションにおいて使用されるＤＣＣＨチャネルセグメントのより大きな組のサブセットである。
【０２１７】
基地局１データ／情報５５７０は、アタッチメントポイントに関連する基地局、セクタ、キャリアおよび／またはトーンブロックを識別するために使用される基地局識別情報を含んでいる。基地局１データ／情報５５７０は、ダウンリンクタイミング／周波数構造情報５５８２とアップリンクタイミング／周波数構造情報５５８４も含んでいる。アップリンクタイミング／周波数構造情報５５８４は、アップリンクトーンホッピング情報５５８６を含んでいる。
【０２１８】
図５６は、本発明に従って、そして本発明の方法を使用してインプリメントされる例示の基地局５６００、例えば、アクセスノードの図である。例示の基地局５６００は、図１の例示のシステムの基地局のうちのどれにすることもできる。例示の基地局５６００は、様々な要素がデータおよび情報を交換するバス５６１４を経由して一緒に結合されたレシーバモジュール５６０２と、トランスミッタモジュール５６０４と、プロセッサ５６０８と、Ｉ／Ｏインターフェース５６１０と、メモリ５６１２とを含む。
【０２１９】
レシーバモジュール５６０２、例えば、ＯＦＤＭレシーバは、受信アンテナ５６０３を経由して複数のワイヤレス端末からのアップリンク信号を受信する。アップリンク信号は、ワイヤレス端末からの専用制御チャネルセグメント信号と、モード変更についての要求と、アップリンクトラフィックチャネルセグメント信号とを含む。レシーバモジュール５６０２は、ワイヤレス端末による送信に先立って符号化されたアップリンク信号を復号化するためのデコーダモジュール５６１５を含んでいる。デコーダモジュール５６１５は、第１のデコーダサブモジュール５６１６と、第２のデコーダサブモジュール５６１８とを含む。第１のデコーダサブモジュール５６１６は、フルトーンＤＣＣＨモードのオペレーションにおいて使用される論理トーンに対応する専用制御チャネルセグメントの形で受信される情報を復号化する。第２のデコーダサブモジュール５６１８は、スプリットトーンＤＣＣＨモードのオペレーションにおいて使用される論理トーンに対応する専用制御チャネルセグメントの形で受信される情報を復号化する。第１のデコーダサブモジュールと第２のデコーダサブモジュール（５６１６、５６１８）は、異なる復号化方法をインプリメントする。
【０２２０】
トランスミッタモジュール５６０４、例えば、ＯＦＤＭトランスミッタは、送信アンテナ５６０５を経由してダウンリンク信号をワイヤレス端末に対して送信する。送信されるダウンリンク信号は、登録信号と、ＤＣＣＨ制御信号と、トラフィックチャネル割当て信号と、ダウンリンクトラフィックチャネル信号とを含む。
【０２２１】
Ｉ／Ｏインターフェース５６１０は、基地局５６００を他のネットワークノードに、例えば、他の基地局、ＡＡＡサーバノード、ホームエージェントノード、ルータなど、および／またはインターネットに結合するためのインターフェースを提供する。Ｉ／Ｏインターフェース５６１０により、基地局５６００をネットワークアタッチメントのそのポイントとして使用するワイヤレス端末は、バックホール通信ネットワークを経由して、ピアノード、例えば、異なるセルの中の他のワイヤレス端末と通信することができるようになる。
【０２２２】
メモリ５６１２は、ルーチン５６２０とデータ／情報５６２２とを含んでいる。プロセッサ５６０８、例えば、ＣＰＵは、基地局５６００のオペレーションを制御し、本発明の方法をインプリメントするためにメモリ５６１２の中のルーチン５６２０を実行し、データ／情報５６２２を使用する。ルーチン５６２０は、通信ルーチン５６２４と、基地局制御ルーチン５６２６とを含む。通信ルーチン５６２４は、基地局５６００によって使用される様々な通信プロトコルをインプリメントする。基地局制御ルーチン５６２６は、制御チャネルリソース割付けモジュール５６２８と、論理トーン専用モジュール５６３０と、ワイヤレス端末専用制御チャネルモード制御モジュール５６３２と、スケジューラモジュール５６３４とを含む。
【０２２３】
制御チャネルリソース割付けモジュール５６２８は、アップリンクにおける専用制御チャネルセグメントに対応する論理トーンを含めて、専用制御チャネルリソースを割り付ける。制御チャネルリソース割付けモジュール５６２８は、フルトーン割付けサブモジュール５６３６と、スプリットトーン割付けサブモジュール５６３８とを含む。フルトーン割付けサブモジュール５６３６は、専用制御チャネルに対応する前記論理トーンのうちの１つを単一のワイヤレス端末に割り付ける。スプリットトーン割付けサブモジュール５６３８は、専用制御チャネルに対応する論理トーンのうちの１つに対応する異なる組の専用制御チャネルセグメントを時分割に基づいて使用されるべき複数のワイヤレス端末に割り付け、複数のワイヤレス端末のおのおのは、前記論理トーンが時分割に基づいて使用されるべき時間の異なるオーバーラップしない部分に専用にされている。例えば、一部の実施形態においては、単一の論理専用制御チャネルトーンは、スプリットトーンモードのオペレーションにおいて３つまでのワイヤレス端末に割り付けられ、それらによって共用されることができる。与えられた任意の時刻に、フルトーン割付けサブモジュール５６３６は、ＤＣＣＨチャネルトーンのどの上でも動作しておらず、あるいはＤＣＣＨチャネルトーンの一部、またはおのおのの上で動作していることができる。与えられた任意の時刻に、スプリットトーン割付けサブモジュール５６３８は、ＤＣＣＨチャネルトーンのどの上でも動作しておらず、あるいはＤＣＣＨチャネルトーンの一部、またはおのおのの上で動作していることができる。
【０２２４】
論理トーン専用モジュール５６３０は、論理専用制御チャネルトーンが、フルトーン専用制御チャネルをインプリメントするために使用されるべきか、あるいはスプリットトーン専用制御チャネルをインプリメントするために使用されるべきかを制御する。論理トーン専用モジュール５６３０は、フルトーン専用制御チャネルに、そしてスプリットトーン専用制御チャネルに専用化される論理トーンの数を調整するようにワイヤレス端末ローディングに対応する。一部の実施形態においては、論理トーン専用モジュール５６３０は、フルトーンモードまたはスプリットトーンモードのいずれかで動作するようにワイヤレス端末からの要求に対応しており、論理トーンの割付けを受信されたワイヤレス端末要求の関数として論理トーンの割付けを調整する。例えば、基地局５６００は、一部の実施形態において、与えられたセクタとアップリンクトーンブロックについて、専用制御チャネルについての１組の論理トーン、例えば、３１個の論理トーンを使用し、与えられた任意の時刻に、論理専用制御チャネルトーンは、論理トーン専用モジュール５６３０により、フルトーンモード論理トーンとスプリットトーンモード論理トーンとの間で区分される。
【０２２５】
ワイヤレス端末専用制御チャネルモード制御モジュール５６３２は、ワイヤレス端末に対する論理トーン割当てと、専用制御チャネルモード割当てを指し示すための制御信号を生成する。一部の実施形態においては、ワイヤレス端末には、生成された制御信号によってオン状態識別子(ON state identifier)が割り当てられ、オン識別子(ON identifier)の値は、アップリンクチャネル構造における特定の論理専用制御チャネルトーンに関連づけられる。一部の実施形態においては、モジュール５６３２によって生成される割当ては、割当てに対応するワイヤレス端末が、割り当てられた論理トーンに関してフルトーンモードまたはスプリットトーンモードで動作すべきことを指し示す。スプリットトーンモード割当てはさらに、割当てに対応するワイヤレス端末が、割り当てられた論理専用制御チャネルトーンに対応する複数のセグメントのうちのどちらを使用すべきかを指し示す。
【０２２６】
スケジューラモジュール５６３４は、ワイヤレス端末に対して、例えばネットワークアタッチメントのそれらのポイントとして基地局５６００を使用しており、オン状態にあり、現在、スプリットトーンモードまたはフルトーンモードのいずれかにおいて、割り当てられた専用制御チャネルを有するワイヤレス端末に対してアップリンクおよび／またはダウンリンクのトラフィックチャネルセグメントをスケジュールする。
【０２２７】
データ／情報５６２２は、システムデータ／情報５６４０と、現在のＤＣＣＨ論理トーンインプリメンテーション情報５６４２と、受信ＤＣＣＨ信号情報５６４４と、ＤＣＣＨ制御信号情報５６４６と、複数の組のワイヤレス端末データ／情報５６４８（ＷＴ１データ／情報５６５０、...、ＷＴ  Ｎデータ／情報５６５２）とを含む。システムデータ／情報５６４０は、フルトーンモードＤＣＣＨ情報５６５４と、スプリットトーンモードＤＣＣＨ情報５６５６と、ダウンリンクタイミング／周波数構造情報５６５８と、アップリンクタイミング／周波数構造情報５６６０とを含む。フルトーンモードＤＣＣＨ情報５６５４は、フルトーンモードチャネル構造情報５６６２と、フルトーンモードセグメント符号化情報５６６４とを含む。スプリットトーンモードＤＣＣＨ情報５６５６は、スプリットトーンモードチャネル構造情報５６６６と、スプリットトーンモードセグメント符号化情報５６６８とを含む。アップリンクタイミング／周波数構造情報５６６０は、アップリンクトーンホッピング情報５６６０を含んでいる。アップリンクトーンブロックチャネル構造における各単一論理トーンは、時間上で周波数においてホップされる物理トーンに対応する。例えば、単一論理専用制御チャネルトーンを考察する。一部の実施形態においては、単一論理ＤＣＣＨトーンに対応する各ＤＣＣＨセグメントは、７つの連続するＯＦＤＭシンボル期間にわたって使用される第１の物理トーンと、７つの連続するＯＦＤＭシンボル期間にわたって使用される第２の物理トーンと、７つの連続するＯＦＤＭシンボル期間にわたって使用される第３の物理トーンとに対応する２１個のＯＦＤＭトーンシンボルを備え、第１、第２、および第３のトーンは、基地局とワイヤレス端末の両方に知られているインプリメントされたアップリンクトーンホッピングシーケンスに従って選択される。少なくとも一部のＤＣＣＨセグメントについての少なくとも一部の専用制御チャネル論理トーンでは、第１の物理トーンと第２の物理トーンと第３の物理トーンは、異なる。
【０２２８】
現在のＤＣＣＨ論理トーンインプリメンテーション情報５６４２は、論理トーン専用モジュール５６３０についての、例えば与えられた各論理専用制御チャネルトーンが、現在フルトーンフォーマットにおいて使用されているか、あるいはスプリットトーンフォーマットにおいて使用されているかについての決定を識別する情報を含んでいる。受信ＤＣＣＨ信号情報５６４４は、基地局５６００のアップリンク専用制御チャネル構造における専用制御チャネルセグメントのどれかの上で受信される情報を含んでいる。ＤＣＣＨ制御信号情報５６４６は、専用制御チャネルオペレーションの専用制御チャネル論理トーンとモードを割り当てることに対応する割当て情報を含んでいる。ＤＣＣＨ制御信号情報５６４６は、専用制御チャネルについてのワイヤレス端末からの受信される要求、ＤＣＣＨモードのオペレーションについての要求、および／またはＤＣＣＨモードのオペレーションの変更についての要求も含む。ＤＣＣＨ制御信号情報５６４６は、ワイヤレス端末からの受信される要求に応じて情報を信号で伝える肯定応答も含んでいる。
【０２２９】
ＷＴ１データ／情報５６５０は、識別情報５６６２と、受信ＤＣＣＨ情報５６６４と、ユーザデータ５６６６とを含む。識別情報５６６２は、基地局によって割り当てられるＷＴオン識別子５６６８と、モード情報５６７０とを含む。一部の実施形態においては、基地局によって割り当てられるオン識別子の値は、基地局によって使用されるアップリンクチャネル構造における論理専用制御チャネルトーンに関連づけられる。モード情報５６５０は、ＷＴが、フルトーンＤＣＣＨモードのオペレーション中であるか、あるいはスプリットトーンモードＤＣＣＨモードのオペレーション中であるかと、いつＷＴが、論理トーンに関連するＤＣＣＨセグメントのサブセットにＷＴを関連づけるスプリットトーンモード情報にあるかを識別する情報を含んでいる。受信ＤＣＣＨ情報５６６４は、ＷＴ１に関連する、例えばアップリンクトラフィックチャネル要求、ビーコン比レポート、パワーレポート、自己雑音レポート、および／または信号対雑音比レポートを伝える受信ＤＣＣＨレポートを含んでいる。ユーザデータ５６６６は、通信セッションに対応し、ＷＴ１に割り付けられるアップリンクおよび／またはダウンリンクのトラフィックチャネルセグメントを経由して通信される、ＷＴ１に関連するアップリンクおよび／またはダウンリンクのトラフィックチャネルユーザデータ、例えば、音声データ、オーディオデータ、イメージデータ、テキストデータ、ファイルデータなどを含む。
【０２３０】
図５７は、本発明に従って、そして本発明の方法を使用してインプリメントされる例示のワイヤレス端末５７００、例えば、モバイルノードの図である。例示のＷＴ５７００は、図１の例示のシステムのワイヤレス端末のうちのどれにすることもできる。例示のワイヤレス端末５７００は、ワイヤレス端末がデータおよび情報を交換するバス５７１２を経由して一緒に結合されたレシーバモジュール５７０２と、トランスミッタモジュール５７０４と、プロセッサ５７０６と、ユーザＩ／Ｏデバイス５７０８と、メモリ５７１０とを含む。
【０２３１】
レシーバモジュール５７０２、例えば、ＯＦＤＭレシーバは、ワイヤレス端末５７００が基地局からダウンリンク信号を受信する受信アンテナ５７０３に結合される。ワイヤレス端末５７００によって受信されるダウンリンク信号は、ビーコン信号、パイロット信号、登録応答信号、パワー制御信号、タイミング制御信号、ワイヤレス端末識別子の、例えば、ＤＣＣＨチャネル論理トーンに対応するオン状態識別子、例えば、アップリンク反復構造における１組のＤＣＣＨチャネルセグメントを識別するために使用される他のＤＣＣＨ割当て情報の割当て、アップリンクトラフィックチャネルセグメントの割当て、および／またはダウンリンクトラフィックチャネルセグメントの割当てを含む。レシーバモジュール５７０２は、ワイヤレス端末５７００が、基地局により、送信に先立って符号化されている受信信号を復号化するデコーダ５７１４を含んでいる。トランスミッタモジュール５７０４、例えば、ＯＦＤＭトランスミッタは、ワイヤレス端末５７００が、アップリンク信号を基地局へと送信する送信アンテナ５７０５に結合される。ワイヤレス端末５７００によって送信されるアップリンク信号は、アクセス信号と、ハンドオフ信号と、パワー制御信号と、タイミング制御信号と、ＤＣＣＨチャネルセグメント信号と、アップリンクトラフィックチャネルセグメント信号とを含む。ＤＣＣＨチャネルセグメント信号は、初期ＤＣＣＨレポートセット信号と、スケジュールされたＤＣＣＨレポートセット信号とを含む。一部の実施形態においては、同じアンテナがトランスミッタとレシーバのために使用される。トランスミッタモジュール５７０４は、ワイヤレス端末５７００が、送信に先立って少なくとも一部のアップリンク信号を符号化するエンコーダ５７１６を含んでいる。
【０２３２】
ユーザＩ／Ｏデバイス５７０８は、例えば、マイクロフォン、キーボード、キーパッド、マウス、スイッチ、カメラ、ディスプレイ、スピーカなどは、データ／情報を入力し、データ／情報を出力し、ワイヤレス端末の少なくとも一部のファンクションを制御する、例えば通信セッションを開始するために使用される。メモリ５７１０は、ルーチン５７１８と、データ／情報５７２０とを含んでいる。プロセッサ５７０６、例えば、ＣＰＵは、ワイヤレス端末５７００のオペレーションを制御し、本発明の方法をインプリメントするために、メモリ５７１０の中のルーチン５７１８を実行し、データ／情報５７２０を使用する。
【０２３３】
ルーチン５７１８は、通信ルーチン５７２２と、ワイヤレス端末制御ルーチン５７２４とを含む。通信ルーチン５７２２は、ワイヤレス端末５７００によって使用される様々な通信プロトコルをインプリメントする。ワイヤレス端末制御ルーチン５７２４は、レシーバモジュール５７０２と、トランスミッタモジュール５７０４と、ユーザＩ／Ｏデバイス５７０８の制御オペレーションを含めて、ワイヤレス端末５７００のオペレーションを制御する。ワイヤレス端末制御ルーチン５７２４は、レポート送信制御モジュール５７２６と、初期レポート生成モジュール５７２８と、スケジュール化レポート生成モジュール５７３０と、タイミング制御モジュール５７３２とを含む。レポート送信制御モジュール５７２６は、ハンドオフ検出モジュール５７３４を含んでいる。初期レポート生成モジュール５７２８は、レポートサイズセット決定サブモジュール(report size set determination sub-module)５７３６を含んでいる。
【０２３４】
レポート送信制御モジュールは、第１のモードのオペレーションから第２のモードのオペレーションへの前記ワイヤレス端末による遷移に続いて初期情報レポートセットを送信するように、そして前記初期レポートセットの送信に続いてアップリンク報告スケジュールに応じてスケジュールされたレポートを送信するようにワイヤレス端末５７００を制御する。一部の実施形態においては、第１のモードのオペレーションは、スリープ状態とホールド状態のうちの一方であり、第２のモードのオペレーションは、オン状態、例えば、ワイヤレス端末が、ユーザデータを送信するように許可されるオン状態である。様々な実施形態においては、第２のモード、例えば、オン状態において、ワイヤレス端末は、ユーザデータを送信するために使用されることができるアップリンクトラフィックチャネルリソースについての要求を含む情報を報告するための専用アップリンク報告チャネルを有する。様々な実施形態においては、第１のモード、例えば、スリープ状態またはホールド状態において、ワイヤレス端末は、ユーザデータを送信するために使用されることができるアップリンクトラフィックチャネルリソースについての要求を含む情報を報告するための専用アップリンク報告チャネルを有してはいない。
【０２３５】
レポート送信制御モジュール５７２６に対応する初期レポート生成モジュール５７２８は、前記初期レポートセットが、送信されるべきアップリンク送信スケジュールに関して時点の関数として初期情報レポートセットを生成する。スケジュール化レポート生成モジュール５７３０は、前記初期情報レポートに続いて送信されるべきスケジュール化レポート情報セットを生成する。タイミング制御モジュール５７３２は、基地局から受信されるダウンリンク信号に基づいて、例えば閉ループタイミング制御の一部分としてアップリンク報告構造と相互に関連している。一部の実施形態においては、タイミング制御モジュール５７３２は、タイミング制御回路として部分的に、あるいは全体的にインプリメントされる。ハンドオフ検出モジュール５７３４は、第１のアクセスノードアタッチメントポイントから第２のアクセスノードアタッチメントポイントへのハンドオフを検出し、ある種のタイプの識別されたハンドオフに続いて、初期情報レポートセットを生成するようにワイヤレス端末を制御し、生成された初期情報レポートセットは、第２のアクセスノードアタッチメントポイントに対して送信される予定になっている。ある種のタイプの識別されたハンドオフは、一部の実施形態においては、ワイヤレス端末が、第２のアクセスノードに関してオン状態に進む前に第２のアクセスノードアタッチメントポイントに関してアクセス状態のオペレーションを介して遷移するハンドオフを含んでいる。例えば、第１と第２のアクセスノードアタッチメントポイントは、互いに関してタイミング同期化されていない異なるセルに配置される異なるアクセスノードに対応することができ、ワイヤレス端末は、第２のアクセスノードに関してタイミング同期化を達成するようにアクセス状態を介して進む必要がある。
【０２３６】
ハンドオフ検出モジュール５７３４は、ある種の他のタイプのハンドオフの下で、第１のアクセスノードアタッチメントポイントから第２のアクセスノードアタッチメントポイントへのハンドオフに続く初期情報レポートの生成および送信をなしで済ませるように、そしてスケジュール化レポート情報セットを送信することに直ちに進むようにワイヤレス端末を制御する。例えば、第１のアクセスノードアタッチメントポイントと第２のアクセスノードアタッチメントポイントは、タイミング同期化され、同じアクセスノード、例えば、異なる隣接したセクタおよび／またはトーンブロックに対応することができ、ある種の他のタイプのハンドオフは、例えば、アクセス状態を介して遷移する必要なしに第１のアタッチメントポイントに関するオン状態から第２のアタッチメントポイントに関するオン状態への遷移を含むハンドオフである。
【０２３７】
レポートセットサイズ決定サブモジュール(report set size determination sub-module)５７３６は、前記初期レポートが送信されるべきアップリンク送信スケジュールに関して時点の関数として初期レポートセットサイズを決定する。例えば、初期レポート情報セットサイズは、一部の実施形態においては、アップリンクタイミング構造において、どこで初期レポート送信が開始されるべきか、例えばスーパースロット内のポイントに応じて、複数のセットサイズのうちの、例えば１個、２個、３個、４個または５個のＤＣＣＨセグメントに対応する１つである。一部の実施形態においては、初期レポートセットに含まれるレポートのタイプは、アップリンクタイミング構造において、どこで初期レポート送信が開始されるべきかについての、例えばビーコンスロット内のスーパースロットロケーションに依存した関数である。
【０２３８】
データ／情報５７２０は、ユーザ／デバイス／セッション／リソース情報５７３８と、システムデータ／情報５７４０と、基地局識別情報５７４２と、端末識別情報５７４４と、タイミング制御情報５７４６と、現在の状態のオペレーション情報５７４８と、ＤＣＣＨチャネル情報５７５０と、初期レポート時間情報５７５２と、決定された初期レポートサイズ情報５７５４と、初期レポート制御情報５７５６と、生成された初期レポート情報セット５７５８と、生成されたスケジュール化情報レポート情報セット５７６０と、ハンドオフ情報５７６２と、アップリンクトラフィック要求情報５７６４と、ユーザデータ５７６６とを含む。初期レポート制御情報は、サイズ情報５７６８と、時間情報５７７０とを含む。
【０２３９】
ユーザ／デバイス／セッション／リソース情報５７３８は、情報ユーザ識別情報、例えば、ユーザログインＩＤ、パスワード、およびユーザ優先順位の情報と、デバイス情報、例えば、デバイス識別情報およびデバイス特性パラメータと、セッション情報、例えばピア、例えば、ＷＴ５７００との通信セッションにある他のＷＴに属する情報、セッションキーなどの通信セッション情報、アドレス指定情報および／または経路指定情報と、リソース情報、例えば、アップリンクおよび／またはダウンリンクのエアリンクセグメント、および／またはＷＴ５７００に割り付けられた識別子とを含む。
【０２４０】
システムデータ／情報５７４０は、複数の組の基地局情報（基地局１データ／情報５７７２、...、基地局Ｍデータ／情報５７７４）と、リカーリングアップリンク報告構造情報(recurring uplink reporting structure information)５７８０と、初期ＤＣＣＨレポート情報５７９０とを含む。基地局１データ／情報５７７２は、ダウンリンクタイミング／周波数構造情報５７７６と、アップリンクタイミング／周波数構造情報５７７８とを含む。ダウンリンクタイミング／周波数構造情報５７７６は、反復ダウンリンク構造における様々なチャネルおよびセグメント、例えば割当て、ビーコン、パイロット、ダウンリンクトラフィックチャネルなどを識別し、タイミング、例えばＯＦＤＭシンボル時間の存続時間、インデックス付け、ＯＦＤＭシンボル時間の、例えばスロット、スーパースロット、ビーコンスロット、ウルトラスロットなどへのグループ分けを識別するダウンリンク論理トーン構造を含んでいる。情報５７７６はまた、基地局識別情報、例えばセル、セクタと、キャリア／トーンブロック識別情報も含む。情報５７７６は、論理トーンを物理トーンにマッピングするために使用されるダウンリンクトーンホッピング情報も含んでいる。アップリンクタイミング／周波数構造情報５７７８は、反復アップリンク構造における様々なチャネルおよびセグメント、例えばアクセス、割当て、パワー制御チャネル、タイミング制御チャネル、専用制御チャネル（ＤＣＣＨ）、アップリンクトラフィックチャネルなどを識別し、タイミング、例えば、ＯＦＤＭシンボル時間の存続時間、インデックス付け、ＯＦＤＭシンボル時間の、例えば、ハーフスロット、スロット、スーパースロット、ビーコンスロット、ウルトラスロットなどへのグループ分け、ならびにダウンリンクをアップリンクタイミングＢＳ１、例えば基地局におけるアップリンク反復タイミング構造と、ダウンリンク反復タイミング構造との間のタイミングオフセットに相互に関連づける情報を識別するアップリンク論理トーン構造を含んでいる。情報５７７８は、論理トーンを物理トーンにマッピングするために使用されるアップリンクトーンホッピング情報も含んでいる。
【０２４１】
リカーリングアップリンク報告構造情報５７８０は、ＤＣＣＨレポートのフォーマット情報５７８２と、ＤＣＣＨレポートセット情報５７８４とを含む。ＤＣＣＨレポートセット情報５７８４は、セット情報５７８６と、時間情報５７８８とを含む。例えば、リカーリングアップリンク報告構造情報５７８０は、一部の実施形態においては、固定数のインデックス付けされたＤＣＣＨセグメント、例えば、４０個のインデックス付けされたＤＣＣＨセグメントのリカーリングパターンを識別する情報を含んでいる。インデックス付けされたＤＣＣＨセグメントのおのおのは、より多くのタイプのＤＣＣＨレポート、例えば、アップリンクトラフィックチャネル要求レポート、ビーコン比レポート、異なるＳＮＲレポートなどの干渉レポートのうちの１つを含んでいる。異なるタイプのレポートのうちのおのおののフォーマットは、ＤＣＣＨレポートのフォーマット情報５７８２の中で、例えば固定数の情報ビットを異なる潜在ビットパターンに関連づける各タイプのレポートと、対応するビットパターンによって伝えられる情報の解釈について、識別される。ＤＣＣＨレポートセット情報５７８４は、リカーリングＤＣＣＨ報告構造(recurring DCCH reporting structure)の中の異なるインデックス付けされたセグメントに関連するレポートの異なるグループ分けを識別する。セット情報５７８６は、対応する時間情報エントリ５７８８によって識別されるインデックス付けされた各ＤＣＣＨセグメントについてセグメントの形で通信される１組のレポートと、セグメントの中のこれらのレポートの順序を識別する。例えば、例示の一実施形態においては、インデックス値＝６を有する例示のＤＣＣＨセグメントは、５ビットのアップリンク送信パワーバックオフレポートと、１ビットのアップリンクトラフィックチャネルセグメント要求レポートとを含むが、インデックス値＝３２を有するＤＣＣＨセグメントは、３ビットのダウンリンク差信号対雑音比レポートと、３ビットのアップリンクトラフィックチャネル要求レポートとを含む。（図１０を参照。）
初期ＤＣＣＨレポート情報５７９０は、フォーマット情報５７９２と、レポートセット情報５７９４とを含む。フォーマット情報５７９２は、送信されるべき初期レポートセットのフォーマットを指し示す情報を含んでいる。一部の実施形態においては、初期レポートセットの中で送信されるべき初期レポートのフォーマット、グループ分け、および／または初期レポートの数は、初期レポートセットが、例えばリカーリングアップリンクタイミング構造(recurring uplink timing structure)に関して送信されるべき時間に依存する。レポートセット情報５７９４は、様々な初期レポートセット、例えば、レポートの数、レポートのタイプ、およびレポートの、例えば初期レポートの中で通信されるべきＤＣＣＨセグメントに関連する順序付けられたグループ分けを識別する情報を含んでいる。
【０２４２】
基地局識別情報５７４２は、ワイヤレス端末によって使用されている基地局アタッチメントポイントを識別する情報を含んでいる。基地局識別情報５７４２は、物理アタッチメントポイント識別子、例えば、セル、セクタと、基地局アタッチメントポイントに関連するキャリア／トーンブロック識別子とを含む。一部の実施形態においては、少なくとも一部の基地局識別子情報が、ビーコン信号を経由して通信される。基地局識別情報５７４２は、基地局アドレス情報も含んでいる。端末識別情報５７４４は、ワイヤレス端末に関連する基地局によって割り当てられた識別子、例えば、登録ユーザ識別子およびオン状態識別子を含み、オン状態識別子は、ワイヤレス端末によって使用されるべき論理ＤＣＣＨトーンに関連づけられる。タイミング制御情報５７４６は、アップリンク報告構造と相互に関連づけるためのタイミング制御モジュール５７３２によって使用される、基地局からの受信ダウンリンク信号を含み、少なくとも一部の受信ダウンリンクタイミング制御信号は、閉ループタイミング制御のために使用される。タイミング制御情報５７４６はまた、反復するアップリンクタイミング構造およびダウンリンクタイミング構造に関する現在のタイミング、例えば、構造に関するＯＦＤＭシンボル送信期間を識別する情報も含んでいる。現在の状態のオペレーション情報５７４８は、ワイヤレス端末の現在の状態のオペレーション、例えば、スリープ、ホールド、オンを識別する情報を含んでいる。現在の状態のオペレーション情報５７４８は、アクセスプロセスにおいて、あるいはハンドオフのプロセスにおいて、いつＷＴが、フルトーンＤＣＣＨモードのオペレーション中であり、あるいはスプリットトーンモードのＤＣＣＨオペレーション中であるかを識別する情報も含んでいる。さらに、現在の状態のオペレーション情報５７４８は、ワイヤレス端末に、使用すべき論理ＤＣＣＨチャネルトーンが割り当てられるときに、ワイヤレス端末が、初期ＤＣＣＨレポートセットを通信しているか、あるいはリカーリング報告構造情報ＤＣＣＨレポートセット(recurring reporting structure information DCCH report sets)を通信しているかを識別する情報を含んでいる。初期レポート時間情報５７５２は、初期ＤＣＣＨレポートセットが送信されるべきアップリンク送信スケジュールに関する時点を識別する情報を含んでいる。決定された初期レポートサイズ情報５７５４は、レポートセットサイズ決定サブモジュール５７３６の出力である。初期レポート制御情報５７５６は、初期レポートセットの内容を制御するために初期レポート生成モジュール５７２８によって使用される情報を含んでいる。初期レポート制御情報５７５６は、サイズ情報５７６８と、時間情報５７７０とを含む。生成された初期レポート情報セット５７５８は、初期ＤＣＣＨレポート構造情報５７９０と、初期レポート制御情報５７５６と、例えばアップリンクトラフィックチャネル要求情報５７６４、ＳＮＲ情報、測定された干渉情報などの初期レポートのレポートに含まれるべき情報とを含むデータ／情報５７２０を使用して、ワイヤレス端末初期レポート生成モジュール５７２８によって生成される初期レポートセットである。生成されたスケジュール化レポート情報セット５７６０は、例えば各組がワイヤレス端末によって使用されるべきスケジュール化ＤＣＣＨセグメントに対応する生成されたスケジュール化情報レポートセットを含んでいる。データ／情報５７２０を使用してスケジュール化レポート生成モジュール５７３０によって生成されている生成されたスケジュール化レポート情報セット５７６０は、リカーリングアップリンク報告構造情報５７８０と、例えばアップリンクトラフィックチャネル要求情報５７６４、ＳＮＲ情報、測定された干渉情報などの初期レポートのレポートに含まれるべき情報とを含む。アップリンクトラフィック要求情報５７６４は、アップリンクのトラフィックチャネルセグメントリソースについての要求に属する情報、例えば、異なる要求グループキューに対応して通信されるべきアップリンクユーザデータのフレームの数を含んでいる。ユーザデータ５７６６は、アップリンクトラフィックチャネルセグメントを経由して通信され、かつ／またはダウンリンクトラフィックチャネルセグメントを経由して受信されるべき音声データ、オーディオデータ、イメージデータ、テキストデータ、ファイルデータを含む。
【０２４３】
図５８は、本発明に従って、そして本発明の方法を使用してインプリメントされる例示の基地局５８００、例えば、アクセスノードの図である。例示の基地局５８００は、図１の例示のシステムの基地局のうちのどれにすることもできる。例示の基地局５８００は、様々な要素が、データおよび情報を交換するバス５８１２を経由して一緒に結合された、レシーバモジュール５８０２と、トランスミッタモジュール５８０４と、プロセッサ５８０６と、Ｉ／Ｏインターフェース５８０８と、メモリ５８１０とを含む。
【０２４４】
レシーバモジュール５８０２、例えば、ＯＦＤＭレシーバは、受信アンテナ５８０３を経由して複数のワイヤレス端末からのアップリンク信号を受信する。アップリンク信号は、ワイヤレス端末からの専用制御チャネルレポート情報セットと、アクセス信号と、モード変更についての要求と、アップリンクトラフィックチャネルセグメント信号とを含む。レシーバモジュール５８０２は、ワイヤレス端末による送信に先立って符号化されたアップリンク信号を復号化するためのデコーダモジュール５８１４を含んでいる。
【０２４５】
トランスミッタモジュール５８０４、例えば、ＯＦＤＭトランスミッタは、送信アンテナ５８０５を経由してダウンリンク信号をワイヤレス端末に対して送信する。送信されるダウンリンク信号は、登録信号と、ＤＣＣＨ制御信号と、トラフィックチャネル割当て信号と、ダウンリンクトラフィックチャネル信号とを含む。
【０２４６】
Ｉ／Ｏインターフェース５８０８は、基地局５８００を他のネットワークノードに、例えば、他の基地局、ＡＡＡサーバノード、ホームエージェントノード、ルータなど、および／またはインターネットに結合するためのインターフェースを提供する。Ｉ／Ｏインターフェース５８０８により、基地局５８００をネットワークアタッチメントのそのポイントとして使用するワイヤレス端末は、バックホール通信ネットワークを経由して、ピアノード、例えば、異なるセルの中の他のワイヤレス端末と通信することができるようになる。
【０２４７】
メモリ５８１０は、ルーチン５８２０と、データ／情報５８２２とを含んでいる。プロセッサ５８０６、例えば、ＣＰＵは、基地局５８００のオペレーションを制御し、本発明の方法をインプリメントするためにメモリ５８１０の中のルーチン５８２０を実行し、データ／情報５８２２を使用する。ルーチン５８２０は、通信ルーチン５８２４と、基地局制御ルーチン５８２６とを含む。通信ルーチン５８２４は、基地局５８００によって使用される様々な通信プロトコルをインプリメントする。基地局制御ルーチン５８２６は、スケジューラモジュール５８２８と、レポートセット解釈モジュール５８３０と、アクセスモジュール５８３２と、ハンドオフモジュール５８３４と、登録ワイヤレス端末状態遷移モジュール５８３６とを含む。
【０２４８】
スケジューラモジュール５８２８は、ワイヤレス端末に対する、例えばネットワークアタッチメントのそれらのポイントとして基地局５８００を使用しており、オン状態にあり、そして現在、スプリットトーンモードまたはフルトーンモードのいずれかにある割り当てられた専用制御チャネルを有するワイヤレス端末に対するアップリンクおよび／またはダウンリンクのトラフィックチャネルセグメントをスケジュールする。
【０２４９】
レポートセット解釈モジュール５８３０、例えば、ＤＣＣＨレポートセット解釈モジュールは、初期レポートセット解釈サブモジュール５８３８と、リカーリング報告構造レポートセット解釈サブモジュール(recurring reporting structure report set interpretation sub-module)５８４０とを含む。レポートセット解釈モジュール５８３０は、初期ＤＣＣＨレポート情報５８５０またはリカーリングアップリンク報告構造情報５８４８に従って、各受信ＤＣＣＨレポートセットを解釈する。レポートセット解釈モジュール５８３０は、ワイヤレス端末によるオン状態への遷移に対応する。レポートセット解釈モジュール５８３０は、初期情報レポートセットとして、現在の接続に関するホールド状態からオン状態へのワイヤレス端末のマイグレーションと、現在の接続に関するアクセス状態からオン状態へのワイヤレス端末のマイグレーションと、基地局へのハンドオフに先立つ別の接続に関して存在したオン状態からオン状態へのワイヤレス端末のマイグレーションのうちの１つの直後にワイヤレス端末から受信されるＤＣＣＨレポート情報セットを解釈する。レポートセット解釈モジュール５８３０は、初期レポートセット解釈サブモジュール５８３８と、リカーリング報告構造レポートセット解釈サブモジュール５８４０とを含む。初期レポートセット解釈サブモジュール５８３８は、例えば解釈された初期レポートセット情報を取得するために、初期ＤＣＣＨレポート情報５８５０を含むデータ／情報５８２２を使用して、初期ＤＣＣＨレポートセットであることが決定されている、受信ＤＣＣＨセグメントに対応する受信情報レポートセットを処理する。リカーリング報告構造レポートセット解釈サブモジュール５８４０は、例えば解釈されたリカーリング構造レポートセット情報を取得するために、リカーリングアップリンク報告構造情報５８４８を含むデータ／情報５８２２を使用して、リカーリング報告構造ＤＣＣＨレポートセットであることが決定されている、受信ＤＣＣＨセグメントに対応する受信情報レポートセットを処理する。
【０２５０】
アクセスモジュール５８３２は、ワイヤレス端末アクセスオペレーションに関連したオペレーションを制御する。例えば、ワイヤレス端末は、アクセスモードを介して、基地局アタッチメントポイントとのアップリンクタイミング同期化を達成し、そしてアップリンクＤＣＣＨセグメント信号を通信するために使用されるべきアップリンクのタイミングおよび周波数の構造における論理ＤＣＣＨチャネルトーンに関連するＷＴオン状態識別子を受信するオン状態へと遷移する。オン状態へのこの遷移に続いて、初期レポートセット解釈サブモジュール５８３８は、スーパースロットの残りについてのＤＣＣＨセグメント、例えば、１個、２個、３個、４個、または５個のＤＣＣＨセグメントを処理するようにアクティブにされ、次いでオペレーションは、ワイヤレス端末からの後続のＤＣＣＨセグメントを処理するためにリカーリング報告構造レポートセット解釈サブモジュール５８４０へと転送される。モジュール５８４０に対して制御を転送する前にモジュール５８３８によって処理されるＤＣＣＨセグメントの数および／またはこれらのセグメントについて使用されるフォーマットは、アクセスが、リカーリングアップリンクＤＣＣＨ報告構造に関して行われる時刻の関数である。
【０２５１】
ハンドオフモジュール５８３４は、１つのアタッチメントポイントから別のアタッチメントポイントへのワイヤレス端末のハンドオフに属するオペレーションを制御する。例えば、第１の基地局アタッチメントポイントを有するオン状態のオペレーション中のワイヤレス端末は、基地局５８００アタッチメントポイントである第２の基地局アタッチメントポイントに関してオン状態へと遷移するために基地局５８００へのハンドオフオペレーションを実行することができ、ハンドオフモジュール５８３４は、初期レポートセット解釈サブモジュール５８３８をアクティブにする。
【０２５２】
登録ワイヤレス端末状態遷移モジュール５８３６は、基地局に登録しているワイヤレス端末のモード変更に関連したオペレーションを実行する。例えば、ワイヤレス端末がアップリンクユーザデータを送信することが起こらないようにされているホールド状態のオペレーション中に現在ある登録されたワイヤレス端末は、ＷＴが、ＤＣＣＨ論理チャネルトーンに関連するオン状態識別子が割り当てられ、ワイヤレス端末が、アップリンクユーザデータを通信するために使用されるべきアップリンクトラフィックチャネルセグメントを受信することができるオン状態のオペレーションへと遷移することができる。登録ＷＴ状態遷移モジュール５８３６は、ワイヤレス端末のホールドからオンへのモード遷移に応じて、初期レポートセット解釈サブモジュール５８３８をアクティブにする。
【０２５３】
基地局５８００は、複数のオン状態ワイヤレス端末を管理する。同じ期間に対応する異なるワイヤレス端末から通信される１組の受信ＤＣＣＨセグメントについては、基地局は、そのうちに、初期レポートセット解釈サブモジュール５８３８を使用して一部のセグメントを処理し、リカーリング報告構造セット解釈サブモジュール５８４０を使用して一部のレポートを処理する。
【０２５４】
データ／情報５８２２は、システムデータ／情報５８４２と、アクセス信号情報５８６０と、ハンドオフ信号情報５８６２と、モード遷移シグナリング情報と、時間情報５８６６と、現在のＤＣＣＨ論理トーンインプリメンテーション情報５８６８と、受信ＤＣＣＨセグメント情報５８７０と、基地局識別情報５８５９と、ＷＴデータ／情報５８７２とを含む。
【０２５５】
システムデータ／情報５８４２は、ダウンリンクタイミング／周波数構造情報５８４４と、アップリンクタイミング／周波数構造情報５８４６と、リカーリングアップリンク報告構造情報５８４８と、初期ＤＣＣＨレポート情報５８５０とを含む。リカーリングアップリンク報告構造情報５８４８は、ＤＣＣＨレポートのフォーマット情報５８５２と、ＤＣＣＨレポートセット情報５８５４とを含む。ＤＣＣＨレポートセット情報５８５４は、セット情報５８５６と、時間情報５８５８とを含む。初期ＤＣＣＨレポート情報５８５０は、フォーマット情報５８５１と、レポートセット情報５８５３とを含む。
【０２５６】
ダウンリンクタイミング／周波数構造情報５８４４は、反復ダウンリンク構造における、様々なチャネルおよびセグメント、例えば、割当て、ビーコン、パイロット、ダウンリンクトラフィックチャネルなどを識別し、タイミング、例えば、ＯＦＤＭシンボル時間の存続時間、インデックス付け、ＯＦＤＭシンボル時間の、例えばスロット、スーパースロット、ビーコンスロット、ウルトラスロットなどへのグループ分けを識別するダウンリンク論理トーン構造を含んでいる。情報５８４４はまた、基地局識別情報、例えば、セル、セクタと、キャリア／トーンブロック識別情報も含む。情報５８４４は、論理トーンを物理トーンにマッピングするために使用されるダウンリンクトーンホッピング情報も含んでいる。アップリンクタイミング／周波数構造情報５８４６は、反復アップリンク構造における様々なチャネルおよびセグメント、例えば、アクセス、割当て、パワー制御チャネル、パワー制御チャネル、専用制御チャネル（ＤＣＣＨ）、アップリンクトラフィックチャネルなどを識別し、タイミング、例えば、ＯＦＤＭシンボル時間の存続時間、インデックス付け、ＯＦＤＭシンボル時間の、例えばハーフスロット、スロット、スーパースロット、ビーコンスロット、ウルトラスロットなどへのグループ分け、ならびにダウンリンクをアップリンクタイミング、例えば、基地局におけるアップリンク反復タイミング構造と、ダウンリンク反復タイミング構造との間のタイミングオフセットに相互に関連づける情報を識別するアップリンク論理トーン構造を含んでいる。情報５８４６は、論理トーンを物理トーンにマッピングするために使用されるアップリンクトーンホッピング情報も含んでいる。
【０２５７】
リカーリングアップリンク報告構造情報５８４８は、ＤＣＣＨレポートのフォーマット情報５８５２と、ＤＣＣＨレポートセット情報５８４８とを含む。ＤＣＣＨレポートセット情報５８５４は、セット情報５８５６と、時間情報５８５８とを含む。例えば、リカーリングアップリンク報告構造情報５８４８は、一部の実施形態においては、固定数のインデックス付けされたＤＣＣＨセグメント、例えば、４０個のインデックス付けされたＤＣＣＨセグメントのリカーリングパターンを識別する情報を含んでいる。インデックス付けされたＤＣＣＨセグメントのおのおのは、より多くのタイプのＤＣＣＨレポート、例えば、アップリンクトラフィックチャネル要求レポート、ビーコン比レポート、異なるＳＮＲレポートなどの干渉レポートのうちの１つを含んでいる。異なるタイプのレポートのおのおののフォーマットは、ＤＣＣＨレポートのフォーマット情報５８５２の形で、例えば、固定数の情報ビットを異なる潜在ビットパターンと、対応するビットパターンによって伝えられる情報の解釈に関連づける各タイプのレポートについて識別される。ＤＣＣＨレポートセット情報５８５４は、リカーリングＤＣＣＨ報告構造における異なるインデックス付けされたセグメントに関連するレポートの異なるグループ分けを識別する。セット情報５８５６は、対応する時間情報エントリ５８５８によって識別されるインデックス付けされた各ＤＣＣＨセグメントについて、セグメントの形で通信される１組のレポートと、セグメントの中のこれらのレポートの順序を識別する。例えば例示の一実施形態においては、インデックス値＝６を有する例示のＤＣＣＨセグメントは、５ビットのアップリンク送信パワーバックオフレポートと、１ビットのアップリンクトラフィックチャネルセグメント要求レポートとを含むが、インデックス値＝３２を有するＤＣＣＨセグメントは、３ビットのダウンリンクデルタ信号対ノード比レポートと、３ビットのアップリンクトラフィックチャネル要求レポートとを含む。（図１０を参照。）
初期ＤＣＣＨレポート情報５８５０は、フォーマット情報５８５１と、レポートセット情報５８５３とを含む。フォーマット情報５８５１は、送信されるべき初期レポートセットのフォーマットを指し示す情報を含んでいる。一部の実施形態においては、初期レポートセットの中で送信されるべき初期レポートのフォーマット、グループ分け、および／または初期レポートの数は、初期レポートセットが、例えばリカーリングアップリンクタイミング構造に関して、送信されるべき時刻に依存する。レポートセット情報５８５３は、様々な初期レポートセットを識別する情報、例えば、初期レポートセットの中で通信されるべきＤＣＣＨセグメントに関連するレポートの数、レポートのタイプ、およびレポートの順序づけられたグループ分けを含む。
【０２５８】
基地局識別情報５８５９は、ワイヤレス端末によって使用されている基地局アタッチメントポイントを識別する情報を含んでいる。基地局識別情報５８５９は、物理アタッチメントポイント識別子、例えば、セル、セクタと、基地局アタッチメントポイントに関連するキャリア／トーンブロック識別子とを含む。一部の実施形態においては、少なくとも一部の基地局識別子情報が、ビーコン信号を経由して通信される。基地局識別情報は、基地局アドレス情報も含んでいる。アクセス信号情報５８６０は、ワイヤレス端末から受信されるアクセス要求信号と、ワイヤレス端末に送信されるアクセス応答信号と、アクセスに関連したタイミング信号と、ワイヤレス端末についてのアクセス状態からオン状態への遷移に応じて初期レポート解釈サブモジュール５８３８をアクティブにする基地局内部シグナリングとを含む。ハンドオフ信号情報５８６２は、他の基地局から受信されるハンドオフシグナリングと、別の接続のＷＴオン状態から基地局５８００アタッチメントポイント接続に関するＷＴオン状態への遷移に応じて初期レポート解釈サブモジュール５８３８をアクティブにする基地局内部シグナリングとを含むハンドオフオペレーションに属する情報を含んでいる。モード遷移シグナリング情報(mode transitioning signaling information)５８６４は、状態変化、例えば、ホールド状態からオン状態への変化に関する現在登録されているワイヤレス端末と基地局５８００との間の信号と、例えばホールドからオンへの状態遷移に応じて初期レポートセット解釈サブモジュール５８３８をアクティブにする基地局内部シグナリングとを含む。登録ＷＴ状態遷移モジュール５８３６はまた、一部の状態変化、例えば、オン状態からホールド状態、スリープ状態、またはオフ状態のうちの１つへのワイヤレス端末遷移に応じてワイヤレス端末に関してリカーリング報告構造レポートセット解釈サブモジュール５８４０を非アクティブにもする。
【０２５９】
時間情報５８６６は、現在の時間情報、例えば、基地局によって使用されているリカーリングアップリンクタイミング構造内のインデックス付けされたＯＦＤＭシンボル期間を含んでいる。現在のＤＣＣＨ論理トーンインプリメンテーション情報５８６８は、基地局論理ＤＣＣＨトーンのうちのどれが、現在フルトーンＤＣＣＨモードにあり、どれがスプリットトーンＤＣＣＨモードにあるかを識別する情報を含んでいる。受信ＤＣＣＨセグメント情報５８６０は、現在論理ＤＣＣＨトーンが割り当てられている複数のＷＴユーザに対応する受信ＤＣＣＨセグメントからの情報を含んでいる。
【０２６０】
ＷＴデータ／情報５８７２は、複数の組のワイヤレス端末情報（ＷＴ１データ／情報５８７４、...、ＷＴ  Ｎデータ／情報５８７６）を含んでいる。ＷＴ１データ／情報５８７４は、識別情報５８８６と、モード情報５８８８と、受信ＤＣＣＨ情報５８８０と、処理されたＤＣＣＨ情報５８８２と、ユーザデータ５８８４とを含む。受信ＤＣＣＨ情報５８８０は、初期受信レポートセット情報５８９２と、リカーリングレポート構造受信レポートセット情報(recurring report structure received report sets information)５８９４とを含む。処理されたＤＣＣＨ情報５８８２は、解釈された初期レポートセット情報５８９６と、解釈されたリカーリング構造レポートセット情報(interpreted recurring structure report sets information)５８９８とを含む。識別情報５８８６は、基地局によって割り当てられたワイヤレス端末登録識別子、ＷＴ１に関連するアドレス指定情報を含んでいる。時に、識別情報５８８６は、ＷＴオン状態識別子、ＤＣＣＨセグメント信号を通信するためにワイヤレス端末によって使用されるべき論理ＤＣＣＨチャネルトーンに関連するオン状態識別子を含んでいる。モード情報５８８８は、ハンドオフなどのプロセスにおける、ＷＴ１の現在の状態、例えば、スリープ状態、ホールド状態、アクセス状態、オン状態を識別する情報と、オン状態をさらに限定する情報、例えば、フルトーンＤＣＣＨオン、またはスプリットトーンＤＣＣＨオンとを含む。ユーザデータ５８８４は、ＷＴ１との通信セッションにおけるＷＴ１のピアノードから受信され、ピアノードへと通信されるべきアップリンクおよび／またはダウンリンクのトラフィックチャネルセグメント情報、例えば、音声データ、オーディオデータ、イメージデータ、テキストデータ、ファイルデータなどを含む。
【０２６１】
初期受信レポートセット情報５８９２は、初期報告情報５８５０に従ってフォーマットを使用して通信されたＷＴ１ＤＣＣＨセグメントに対応する１組の情報を含んでおり、解釈された初期レポート情報セット情報５８９６を回復するモジュール５８３８によって解釈される。リカーリングレポート構造受信レポートセット情報５８９４は、リカーリングアップリンク報告構造情報５８４８に従ってフォーマットを使用して通信されたＷＴ１ＤＣＣＨセグメントに対応する１組の情報を含んでおり、解釈されたリカーリングレポート情報セット情報５８９８を回復するモジュール５８４０によって解釈される。
【０２６２】
図５９Ａと、図５９Ｂと、図５９Ｃの組合せを備える図５９は、本発明に従ってワイヤレス端末を動作させる例示の一方法のフローチャート５９００である。例示の方法は、ステップ５９０１において開始され、ここでワイヤレス端末は、電源投入され、初期化される。オペレーションは、ステップ５９０１から、ステップ５９０２およびステップ５９０４へと進む。ステップ５９０２において、ワイヤレス端末は、進行に基づいてアップリンクリカーリングＤＣＣＨ報告スケジュールに関連して、そしてアップリンクトーンホッピング情報に関連して現在の時間を追跡する。時間情報５９０６は、本方法の他のステップにおいて使用されるようにステップ５９０２から出力される。
【０２６３】
ステップ５９０４において、ワイヤレス端末は、ワイヤレス端末のアタッチメントのポイントとしての役割を果たすアクセスノードのアップリンクチャネル構造におけるＤＣＣＨ論理トーンに関連する基地局オン状態識別子を受信する。オペレーションは、ステップ５９０４からステップ５９０８へと進む。ステップ５９０８において、ワイヤレス端末は、ワイヤレス端末がフルトーンＤＣＣＨモードのオペレーション中であるべきか、あるいはスプリットトーンＤＣＣＨモードのオペレーション中であるべきかを識別する情報を受信し、前記情報は、ＤＣＣＨ論理トーンに関連する複数の組のＤＣＣＨセグメントのうちの１つをやはり識別するスプリットトーンＤＣＣＨモードのオペレーションを指し示している。例えば、例示の一実施形態においては、フルトーンＤＣＣＨモードにあるときに、ワイヤレス端末には、アップリンクチャネル構造におけるリカーリングセットの４０個のインデックス付けされたＤＣＣＨセグメントに対応する単一論理ＤＣＣＨトーンが割り付けられるが、スプリットトーンモードのオペレーションにおいては、ワイヤレス端末には、ワイヤレス端末がリカーリングアップリンクチャネル構造における１組の１３個のインデックス付けされたセグメントを受信するように時分割される単一論理ＤＣＣＨトーンが割り付けられ、そして２つの他のワイヤレス端末にはおのおの、アップリンクチャネル構造における異なる１組の１３個のセグメントが割り付けられることができる。一部の実施形態においては、ステップ５９０４および５９０８において通信される情報は、同じメッセージの中で通信される。オペレーションは、ステップ５９０８からステップ５９１０へと進む。
【０２６４】
ステップ５９１０において、ワイヤレス端末が、それがフルトーンＤＣＣＨモードにあることを決定している場合、ワイヤレス端末は、ステップ５９１２へと進むが、ワイヤレス端末が、それがスプリットトーンＤＣＣＨモードにあることを決定している場合には、オペレーションは、ステップ５９１４へと進む。
【０２６５】
ステップ５９１２において、ワイヤレス端末は、時間情報５９０６と、識別された論理ＤＣＣＨトーンとを使用して、ワイヤレス端末に割り付けられたＤＣＣＨ通信セグメントを識別する。例えば、例示の一実施形態においては、各ビーコンスロットについて、ワイヤレス端末は、割り当てられた論理ＤＣＣＨトーンに対応する１組の４０個のインデックス付けされたＤＣＣＨセグメントを識別する。オペレーションは、識別された各通信セグメントについてステップ５９１２からステップ５９１６へと進む。ステップ５９１６において、ワイヤレス端末は、時間情報５９０６と、リカーリング構造内のＤＣＣＨセグメントのインデックス付けされた値と、レポートタイプの組をインデックス付けされた各セグメントに関連づける記憶情報とを使用して、ＤＣＣＨ通信セグメントの形で通信されるべき１組のレポートタイプを識別する。オペレーションは、ステップ５９１６から接続ノードＡ５９２０を経由してステップ５９２４へと進む。
【０２６６】
ステップ５９２４において、ワイヤレス端末は、ステップ５９１６において識別されたレポートタイプのうちのどれかがフレキシブルレポートを含むかどうかについてチェックする。識別されたレポートタイプのうちのどれかがフレキシブルレポートを指し示す場合、そのときにはオペレーションは、ステップ５９２４からステップ５９２８へと進み、そうでなければオペレーションは、ステップ５９２４からステップ５９２６へと進む。
【０２６７】
ステップ５９２６において、ワイヤレス端末は、報告スケジュールによって指示される、セグメントの各固定タイプ情報レポートについて、伝えられるべき情報をレポートサイズに対応する固定数の情報ビットに対してマッピングする。オペレーションは、ステップ５９２６からステップ５９４２へと進む。
【０２６８】
ステップ５９２８において、ワイヤレス端末は、複数の固定タイプ情報レポートタイプのうちのどのタイプのレポートをフレキシブルレポートボディ(flexible report body)として含めるべきかを選択する。ステップ５９２８は、サブステップ５９３０を含んでいる。サブステップ５９３０において、ワイヤレス端末は、レポート優先順位付けオペレーションのファンクションとして選択を実行する。サブステップ５９３０は、サブステップ５９３２および５９３４を含んでいる。サブステップ５９３２において、ワイヤレス端末は、アクセスノードに対する通信のためにキューに入れられるアップリンクデータ、例えば、複数の要求キューにおけるバックログの量と、少なくとも１つの信号干渉測定値、例えば、ビーコン比レポートを考慮する。サブステップ５９３４において、ワイヤレス端末は、少なくとも１つのレポートの中で以前に報告された情報における変化、例えば、ダウンリンク飽和レベルの自己雑音ＳＮＲレポートの中の測定された変化の量を決定する。オペレーションは、ステップ５９２８からステップ５９３６へと進む。
【０２６９】
ステップ５９３６において、ワイヤレス端末は、フレキシブルボディレポートのタイプをタイプ識別子、例えば、２ビットのフレキシブルレポートボディ識別子へと符号化する。オペレーションは、ステップ５９３６からステップ５９３８へと進む。ステップ５９３８において、ワイヤレス端末は、選択されたレポートタイプに従ってフレキシブルレポートボディの中で伝えられるべき情報をフレキシブルレポートボディサイズに対応するいくつかの情報ビットに対してマッピングする。オペレーションは、ステップ５９３８からステップ５９４０またはステップ５９４２のいずれかへと進む。ステップ５９４２は、一部の実施形態に含まれるオプショナルなステップである。ステップ５９４０において、各固定タイプ情報について、フレキシブルレポートに加えて、セグメントのレポートは、伝えられるべき情報をレポートサイズに対応する固定数の情報ビットに対してマッピングする。オペレーションは、ステップ５９４０からステップ５９４２へと進む。例えば、一部の実施形態においては、フレキシブルレポートを含むＤＣＣＨセグメントは、フルトーンモードにあるときにそれ自体のためにセグメントによって通信される情報ビットの全部の数を利用し、例えばセグメントは、６情報ビットを伝え、２ビットは、レポートのタイプを識別するために使用され、４ビットは、レポートのボディを伝えるために使用される。そのような一実施形態においては、ステップ５９４０は、実行されない。一部の他の実施形態においては、フルトーンＤＣＣＨモードにおいてＤＣＣＨセグメントによって伝えられるビットの総数は、フレキシブルレポートによって表されるビットの数よりも大きく、ステップ５９４０は、セグメントの残りの情報ビットを利用するために含められる。例えば、セグメントは、全部で７つの情報ビットを伝え、そのうちの６つは、フレキシブルレポートによって利用され、１つは、固定１情報ビットのアップリンクトラフィック要求レポートのために使用される。
【０２７０】
ステップ５９４２において、ワイヤレス端末は、ＤＣＣＨセグメントの形で通信されるべき１つまたは複数のレポートを表す１組の変調シンボルを生成するために符号化オペレーションおよび変調オペレーションを実行する。オペレーションは、ステップ５９４２からステップ５９４４へと進む。ステップ５９４４において、ワイヤレス端末は、生成された変調シンボルの組のうちの各変調シンボルについて、時間情報５９０６とトーンホッピング情報を使用して変調シンボルを伝えるために使用されるべき物理トーンを決定する。例えば、例示の一実施形態においては、各ＤＣＣＨセグメントは、各トーンシンボルが、１つのＱＰＳＫ変調シンボルを伝えるために使用される２１個のＯＦＤＭトーンシンボルに対応し、２１個のＯＦＤＭトーンシンボルのおのおのは、同じ論理ＤＣＣＨトーンに対応している。しかしながら、アップリンクトーンホッピングに起因して、第１の組の７つの連続するＯＦＤＭシンボル期間の中の７つのＯＦＤＭトーンシンボルは、第１の物理トーンに対応し、第２の組の７つの連続するＯＦＤＭシンボル期間の中の第２の組の７つのＯＦＤＭトーンシンボルは、第２の物理トーンに対応し、第３の組の７つの連続するＯＦＤＭシンボル期間は、第３の物理トーンに対応し、第１と、第２と、第３の物理トーンは、異なっている。オペレーションは、ステップ５９４４からステップ５９４６へと進む。ステップ５９４６において、ワイヤレス端末は、決定された対応する物理トーンを使用してＤＣＣＨセグメントの各変調シンボルを送信する。
【０２７１】
ステップ５９１４に戻ると、ステップ５９１４において、ワイヤレス端末は、時間情報５９０６と、識別された論理ＤＣＣＨトーンと、複数の組のＤＣＣＨセグメントのうちの１つを識別する情報とを使用して、ワイヤレス端末に割り付けられたＤＣＣＨ通信セグメントを識別する。例えば例示の一実施形態においては、各ビーコンスロットについて、ワイヤレス端末は、割り当てられた論理ＤＣＣＨトーンに対応する１組の１３個のインデックス付けされたＤＣＣＨセグメントを識別する。オペレーションは、識別された各ＤＣＣＨ通信セグメントについて、ステップ５９１４からステップ５９１８へと進む。ステップ５９１８において、ワイヤレス端末は、時間情報５９０６と、リカーリング構造(recurring structure)内のＤＣＣＨセグメントのインデックス付けされた値と、レポートタイプの組をインデックス付けされた各セグメントに関連づける記憶情報とを使用して、ＤＣＣＨ通信セグメントの形で通信されるべき１組のレポートタイプを識別する。オペレーションは、ステップ５９１６から接続ノードＢ５９２２を経由してステップ５９４８へと進む。
【０２７２】
ステップ５９４８において、ワイヤレス端末は、ステップ５９１８において識別されたレポートタイプのうちのどれかがフレキシブルレポートを含むかどうかについてチェックする。識別されたレポートタイプのうちのどれかがフレキシブルレポートを指し示す場合、そのときにはオペレーションは、ステップ５９４８からステップ５９５２へと進み、そうでなければオペレーションは、ステップ５９４８からステップ５９５０へと進む。
【０２７３】
ステップ５９５０において、ワイヤレス端末は、報告スケジュールによって指示される、セグメントの各固定タイプ情報レポートについて、伝えられるべき情報をレポートサイズに対応する固定数の情報ビットに対してマッピングする。オペレーションは、ステップ５９５０からステップ５９６６へと進む。
【０２７４】
ステップ５９５２において、ワイヤレス端末は、複数の固定タイプ情報レポートタイプのうちのどのタイプのレポートをフレキシブルレポートボディとして含めるべきかを選択する。ステップ５９５２は、サブステップ５９５４を含んでいる。サブステップ５９５４において、ワイヤレス端末は、レポート優先順位付けオペレーションのファンクションとして選択を実行する。サブステップ５９５４は、サブステップ５９５６および５９５８を含んでいる。サブステップ５９５６において、ワイヤレス端末は、アクセスノードに対する通信のためにキューに入れられるアップリンクデータ、例えば、複数の要求キューにおけるバックログの量と、少なくとも１つの信号干渉測定値、例えば、ビーコン比レポートを考慮する。サブステップ５９５８において、ワイヤレス端末は、少なくとも１つのレポートの中で以前に報告された情報における変化、例えば、ダウンリンク飽和レベルの自己雑音ＳＮＲレポートの中の測定された変化の量を決定する。オペレーションは、ステップ５９５２からステップ５９６０へと進む。
【０２７５】
ステップ５９６０において、ワイヤレス端末は、フレキシブルボディレポートのタイプをタイプ識別子、例えば、単一ビットのフレキシブルレポートボディ識別子へと符号化する。オペレーションは、ステップ５９６０からステップ５９６２へと進む。ステップ５９６２において、ワイヤレス端末は、選択されたレポートタイプに従ってフレキシブルレポートボディの中で伝えられるべき情報をフレキシブルレポートボディサイズに対応するいくつかの情報ビットに対してマッピングする。オペレーションは、ステップ５９６２からステップ５９６４またはステップ５９６６のいずれかへと進む。ステップ５９６４は、一部の実施形態に含まれるオプショナルなステップである。ステップ５９６４において、各固定タイプ情報について、フレキシブルレポートに加えて、セグメントのレポートは、伝えられるべき情報をレポートサイズに対応する固定数の情報ビットに対してマッピングする。オペレーションは、ステップ５９６４からステップ５９６６へと進む。例えば、一部の実施形態においては、フレキシブルレポートを含むＤＣＣＨセグメントは、スプリットトーンモードにあるときにそれ自体のためにセグメントによって通信される情報ビットの全部の数を利用し、そのような一実施形態においては、ステップ５９６４は、実行されない。一部の他の実施形態においては、スプリットトーンＤＣＣＨモードにおいてＤＣＣＨセグメントによって伝えられるビットの総数は、フレキシブルレポートによって表されるビットの数よりも大きく、ステップ５９４０は、セグメントの残りの情報ビットを利用するために含められる。例えば、セグメントは、全部で８つの情報ビットを伝え、そのうちの６つは、フレキシブルレポートによって利用され、１情報ビットは、固定１情報ビットのアップリンクトラフィック要求レポートのために使用され、１情報ビットは、別のあらかじめ決定されたレポートタイプのために使用される。一部の実施形態においては、フレキシブルレポートのボディのサイズは、フレキシブルレポートによって伝えられるべきレポートのタイプ、例えば、４ビットのアップリンクトラフィックチャネル要求、または５ビットのアップリンク送信パワーバックオフレポートの異なる選択に対応して変化し、そのセグメントの中の使用可能なビットのうちの残りは、例えば、１ビットまたは２ビットのあらかじめ決定された固定レポートタイプに対して割り付けられることができる。
【０２７６】
ステップ５９６６において、ワイヤレス端末は、ＤＣＣＨセグメントの形で通信されるべき１つまたは複数のレポートを表す１組の変調シンボルを生成するために符号化オペレーションおよび変調オペレーションを実行する。オペレーションは、ステップ５９６６からステップ５９６８へと進む。ステップ５９６８において、ワイヤレス端末は、生成された変調シンボルの組のうちの各変調シンボルについて、時間情報５９０６とトーンホッピング情報を使用して変調シンボルを伝えるために使用されるべき物理トーンを決定する。例えば、例示の一実施形態においては、各ＤＣＣＨセグメントは、各トーンシンボルが、１つのＱＰＳＫ変調シンボルを伝えるために使用される２１個のＯＦＤＭトーンシンボルに対応し、２１個のＯＦＤＭトーンシンボルのおのおのは、同じ論理ＤＣＣＨトーンに対応している。しかしながら、アップリンクトーンホッピングに起因して、第１の組の７つの連続するＯＦＤＭシンボル期間の中の７つのＯＦＤＭトーンシンボルは、第１の物理トーンに対応し、第２の組の７つの連続するＯＦＤＭシンボル期間の中の第２の組の７つのＯＦＤＭトーンシンボルは、第２の物理トーンに対応し、第３の組の７つの連続するＯＦＤＭシンボル期間は、第３の物理トーンに対応し、第１と、第２と、第３の物理トーンは、トーンホッピング情報に従って決定されており、異なる可能性がある。オペレーションは、ステップ５９６８からステップ５９７０へと進む。ステップ５９７０において、ワイヤレス端末は、決定された対応する物理トーンを使用してＤＣＣＨセグメントの各変調シンボルを送信する。
【０２７７】
図６０は、本発明に従って、送信パワー情報を基地局に供給するようにワイヤレス端末を動作させる例示の一方法のフローチャート６０００である。オペレーションは、ステップ６００２において開始される。例えば、ワイヤレス端末は、以前に電源投入されており、基地局との接続を確立しており、オン状態のオペレーションに遷移しており、フルトーンモードまたはスプリットトーンモードのＤＣＣＨオペレーションにおいて使用すべき専用制御チャネルセグメントが割り当てられている可能性がある。フルトーンＤＣＣＨモードのオペレーションは、一部の実施形態においては、ワイヤレストーンが、他のワイヤレス端末と共用されないＤＣＣＨセグメントのために使用される単一論理トーンチャネルに専用になっているモードであるが、スプリットトーンＤＣＣＨモードのオペレーションは、一部の実施形態においては、ワイヤレス端末が、別の１つまたは複数のワイヤレス端末と時分割で使用されるように割り付けられることができる単一論理ＤＣＣＨトーンチャネルの一部分に専用になっているモードである。オペレーションは、開始ステップ６００２からステップ６００４へと進む。
【０２７８】
ステップ６００４において、ワイヤレス端末は、パワーレポートに対応する時点におけるワイヤレス端末に知られているパワーレベルを有する基準信号の送信パワーに対する、ワイヤレス端末の最大送信パワーの比を指し示すパワーレポートを生成する。一部の実施形態においては、パワーレポートは、ｄＢ値を指し示すバックオフレポート、例えば、ワイヤレス端末送信パワーバックオフレポートである。一部の実施形態においては、最大送信パワー値は、ワイヤレス端末のパワー出力能力に依存する。一部の実施形態においては、最大送信パワーは、ワイヤレス端末の最大出力パワーレベルを制限する政府規制(government regulation)によって指定される。一部の実施形態においては、基準信号は、基地局から受信される少なくとも１つの閉ループパワーレベル制御信号に基づいてワイヤレス端末によって制御される。一部の実施形態においては、基準信号は、専用制御チャネル上で基地局に対して送信される制御情報信号である。基準信号は、一部の実施形態においては、それが送信されるべき基地局により、受信パワーレベルについて測定される。様々な実施形態においては、専用制御チャネルは、制御情報を送信する際に使用するためのワイヤレス端末に専用の単一論理トーンに対応する単一トーン制御チャネルである。様々な実施形態においては、パワーレポートは、時間における単一の瞬間に対応するパワーレポートである。一部の実施形態においては、知られている基準信号は、パワーレポートと同じチャネル、例えば、同じＤＣＣＨチャネル上で送信される信号である。様々な実施形態においては、生成されるパワーレポートが対応する時点は、前記パワーレポートが送信されるべき通信セグメント、例えば、ＤＣＣＨセグメントの開始からの知られているオフセットを有する。ステップ６００４は、サブステップ６００６と、サブステップ６００８と、サブステップ６０１０と、サブステップ６０１２とを含む。
【０２７９】
サブステップ６００６において、ワイヤレス端末は、ｄＢｍにおけるワイヤレス端末の最大送信パワーから、ｄＢｍにおけるアップリンク専用制御チャネルのパートーン送信パワーを差し引くことを含む減算オペレーションを実行する。オペレーションは、サブステップ６００６からサブステップ６００８へと進む。サブステップ６００８において、ワイヤレス端末は、ワイヤレス端末が、フルトーンＤＣＣＨモードのオペレーション中であるか、スプリットトーンＤＣＣＨモードのオペレーション中であるかに応じて異なるサブステップへと進む。ワイヤレス端末が、フルトーンＤＣＣＨモードのオペレーション中である場合、オペレーションは、サブステップ６００８からサブステップ６０１０へと進む。ワイヤレス端末が、スプリットトーンＤＣＣＨモードのオペレーション中である場合、オペレーションは、サブステップ６００８からサブステップ６０１２へと進む。サブステップ６０１０において、ワイヤレス端末は、第１のフォーマットに従ってパワーレポート、例えば、５情報ビットのパワーレポートを生成する。例えば、サブステップ６００６の結果は、各レベルが異なる５ビットのパターンに対応する複数の異なるレベルと比較され、サブステップ６００６の結果に最も近いレベルが、そのレポートについて選択され、そのレベルに対応するビットパターンが、そのレポートのために使用される。例示の一実施形態においては、レベルは、６．５ｄＢから４０ｄＢまで広がる。（図２６を参照。）サブステップ６０１２においては、ワイヤレス端末は、第２のフォーマットに従ってパワーレポート、例えば、４情報ビットのパワーレポートを生成する。例えば、サブステップ６００６の結果は、各レベルが異なる４ビットのパターンに対応する複数の異なるレベルと比較され、サブステップ６００６の結果に最も近いレベルが、そのレポートについて選択され、そのレベルに対応するビットパターンが、そのレポートのために使用される。例示の一実施形態においては、レベルは、６ｄＢから３６ｄＢまで広がる。（図３５を参照。）オペレーションは、ステップ６００４からステップ６０１４へと進む。
【０２８０】
ステップ６０１４において、ワイヤレス端末は、生成されたパワーレポートを基地局へと送信するように動作させられる。ステップ６０１４は、サブステップ６０１６、６０１８、６０２０、６０２２、および６０２８を含む。サブステップ６０１６において、ワイヤレス端末は、ワイヤレス端末が、フルトーンＤＣＣＨモードのオペレーション中であるか、スプリットトーンＤＣＣＨモードのオペレーション中であるかに応じて異なるサブステップへと進む。ワイヤレス端末が、フルトーンＤＣＣＨモードのオペレーション中である場合、オペレーションは、サブステップ６０１６からサブステップ６０１８へと進む。ワイヤレス端末が、スプリットトーンＤＣＣＨモードのオペレーション中である場合、オペレーションは、サブステップ６０１６からサブステップ６０２０へと進む。
【０２８１】
サブステップ６０１８において、ワイヤレス端末は、ＤＣＣＨセグメントについての１組の変調シンボル、例えば、１組の２１個の変調シンボルを生成するために、生成されたパワーレポートを追加の情報ビット（単数または複数）、例えば、１つの追加情報ビットと組み合わせ、そして組み合わされた情報ビットの組、例えば、６情報ビットの組を一緒に符号化する。例えば、１つの追加情報ビットは、一部の実施形態においては、単一情報ビットのアップリンクトラフィックチャネルリソース要求レポートである。サブステップ６０２０において、ワイヤレス端末は、ＤＣＣＨセグメントについての１組の変調シンボル、例えば、１組の２１個の変調シンボルを生成するために、生成されたパワーレポートを追加の情報ビット（単数または複数）、例えば、４つの追加情報ビットと組み合わせ、そして組み合わされた情報ビットの組、例えば、８情報ビットの組を一緒に符号化する。例えば、４つの追加情報ビットの組は、一部の実施形態においては、４情報ビットのアップリンクトラフィックチャネルリソース要求レポートである。オペレーションは、サブステップ６０１８またはサブステップ６０２０からサブステップ６０２２へと進む。
【０２８２】
サブステップ６０２２において、ワイヤレス端末は、ＤＣＣＨセグメントについての複数の連続するＯＦＤＭシンボル送信期間のおのおのの間に使用される単一ＯＦＤＭトーンを決定する。サブステップ６０２２は、サブステップ６０２４およびサブステップ６０２６を含む。サブステップ６０２４において、ワイヤレス端末は、ワイヤレス端末に割り当てられる論理ＤＣＣＨチャネルトーンを決定し、サブステップ６０２６において、ワイヤレス端末は、トーンホッピング情報に基づいて異なる時点において論理ＤＣＣＨチャネルトーンが対応する物理トーンを決定する。例えば、一部の実施形態においては、例示のＤＣＣＨセグメントは、単一ＤＣＣＨチャネル論理トーンに対応し、ＤＣＣＨセグメントは、２１個のＯＦＤＭトーンシンボルと、２１個の連続するＯＦＤＭシンボル送信期間のおのおのについての１つのＯＦＤＭトーンシンボルと、第１の組の７つのために使用される同じ物理トーンと、第２の組の７つのために使用される第２の物理トーンと、第３の組の７つのために使用される第３の物理トーンとを含む。オペレーションは、サブステップ６０２２からサブステップ６０２８へと進む。サブステップ６０２８において、各ＯＦＤＭシンボル送信期間についてＤＣＣＨセグメントに対応して、ワイヤレス端末は、その時点についての決定された物理トーンを使用して、生成された変調シンボルの組からの変調シンボルを送信する。
【０２８３】
オペレーションは、ステップ６０１４からステップ６００４へと進み、ここでワイヤレス端末は、別のパワーレポートを生成するように進む。一部の実施形態においては、パワーレポートは、ワイヤレス端末による制御情報の送信を制御するために使用される専用制御チャネル報告構造の各リカーリングサイクル(recurring cycle)中に２回送信される。一部の実施形態においては、パワーレポートは、５００のＯＦＤＭシンボル送信期間ごとに平均して少なくとも１回、但し、平均して少なくとも２００のシンボル送信期間だけ空けられた間隔を置いて送信される。
【０２８４】
例示の実施形態の様々な特徴が、本発明に従って、次に説明されることになる。ワイヤレス端末（ＷＴ）は、ＷＴトランスミッタにおけるＭＡＣフレームキューのステータスを報告するためにＵＬＲＱＳＴ１、ＵＬＲＱＳＴ３またはＵＬＲＱＳＴ４を使用する。
【０２８５】
ＷＴトランスミッタは、ＭＡＣフレームキューを保持し、このＭＡＣフレームキューは、リンク上で送信されるべきＭＡＣフレームをバッファする。ＭＡＣフレームは、ＬＬＣフレームから変換され、このＬＬＣフレームは、上位レイヤプロトコルのパケットから構築される。アップリンクユーザデータパケットは、４つの要求グループのうちの１つに属する。パケットは、特定の要求グループに関連づけられる。パケットが１つの要求グループに属する場合、そのときにはパケットのＭＡＣフレームのおのおのはまた、その要求グループに属する。
【０２８６】
ＷＴは、ＷＴが送信しようと意図する可能性がある４つの要求グループの中のＭＡＣフレームの数を報告する。ＡＲＱプロトコルにおいて、これらのＭＡＣフレームは、「新しい(new)」または「再送信されるべき(to be retransmitted)」としてマーク付けされる。
【０２８７】
ＷＴは、４つの要素Ｎ［０：３］のベクトルを保持し、すなわちｋ＝０：３について、Ｎ［ｋ］は、ＷＴが要求グループｋにおいて送信しようと意図するＭＡＣフレームの数を表す。ＷＴは、Ｎ［０：３］についての情報を基地局セクタ（ＢＳＳ）に対して報告し、その結果、ＢＳＳは、アップリンクトラフィックチャネル（ＵＬ．ＴＣＨ）セグメントの割当てを決定するために、アップリンク（ＵＬ）スケジューリングアルゴリズムにおける情報を利用することができる。
【０２８８】
ＷＴは、図６１の表６１００に応じて、Ｎ［０］＋Ｎ［１］を報告するためにＵＬＲＱＳＴ１を使用する。
【０２８９】
与えられたときに、ＷＴは、１つの要求辞書だけを使用する。ＷＴがちょうどアクティブ状態に入ったときに、ＷＴは、デフォルト要求辞書を使用する。要求辞書を変更するために、ＷＴおよびＢＳＳは、上位レイヤコンフィギュレーションプロトコルを使用する。ＷＴが、オン状態からホールド状態へとマイグレートするときに、ＷＴは、オン状態において使用される最後の要求辞書を保持し、その結果、ＷＴが、後でホールド状態からオン状態へとマイグレートするときに、ＷＴは、要求辞書が明示的に変更されるまで同じ要求辞書を使用し続けるようになる。しかしながら、ＷＴがアクティブ状態を離れる場合、そのときには使用された最後の要求辞書のメモリは、クリアされる。
【０２９０】
ＵＬＲＱＳＴ３またはＵＬＲＱＳＴ４を決定するために、ＷＴは、まず以下の２つのパラメータ、ｙおよびｚを計算し、次いで以下の辞書のうちの１つを使用する。最新の５ビットのアップリンク送信パワーバックオフレポート（ＵＬＴＸＢＫＦ５）レポートの（ｄＢにおける）値をｘによって示し、最新の一般的な４ビットのダウンリンクビーコン比レポート（ＤＬＢＮＲ４）の（ｄＢ）における値をｂ０によって示す。ＷＴは、さらに調整された一般的なＤＬＢＮＲ４レポート値ｂを以下のｂ＝ｂ０−ｕｌＴＣＨｒａｔｅＦｌａｓｈＡｓｓｉｇｎｍｅｎｔＯｆｆｓｅｔのように決定し、ここでマイナスは、ｄＢの意味で定義される。基地局セクタは、ダウンリンクブロードキャストチャネルにおいてｕｌＴＣＨｒａｔｅＦｌａｓｈＡｓｓｉｇｎｍｅｎｔＯｆｆｓｅｔの値をブロードキャストする。ＷＴは、ＷＴが、ブロードキャストチャネルからその値を受信するまで、０ｄＢに等しいｕｌＴＣＨｒａｔｅＦｌａｓｈＡｓｓｉｇｎｍｅｎｔＯｆｆｓｅｔを使用する。
【０２９１】
ｘおよびｂを仮定して、ＷＴは、第１の列における条件が満たされた、図６２の表６２００における第１の行からのものとしてｙおよびｚを決定する。例えば、ｘ＝１７およびｂ＝３である場合、そのときにはｚ＝ｍｉｎ（４，Ｎｍａｘ）およびｙ＝１である。ＷＴがサポートすることができる最高レートのオプションをＲｍａｘで示し、その最高レートのオプションのＭＡＣフレームの数をＮｍａｘで示す。
【０２９２】
ＷＴは、要求辞書に応じてＭＡＣフレームキューの実際のＮ［０：３］を報告するために、ＵＬＲＱＳＴ３またはＵＬＲＱＳＴ４を使用する。要求辞書は、要求辞書(request dictionary)（ＲＤ）参照番号によって識別される。
【０２９３】
例示の要求辞書は、任意のＵＬＲＱＳＴ４レポートまたはＵＬＲＱＳＴ３レポートが、実際のＮ［０：３］を完全に含まないこともあることを示している。レポートは、事実上、実際のＮ［０：３］の量子化されたバージョンである。一般的なガイドラインは、ＷＴが、最初に要求グループ０および１について、そして次に要求グループ２について、そして最後に要求グループ３について、報告されたＭＡＣフレームキューと実際のＭＡＣフレームキューとの間の不一致を最小にするためにレポートを送信すべきことである。しかしながら、ＷＴは、ＷＴを最も利するレポートを決定するフレキシビリティを有する。例えば、ＷＴが要求辞書２を使用しているとき、ＷＴは、Ｎ［１］＋Ｎ［３］を報告するためにＵＬＲＱＳＴ４を使用し、Ｎ［２］を報告するためにＵＬＲＱＳＴ３を使用することができる。さらに、レポートが、要求辞書に応じて要求グループのサブセットに直接に関連している場合、それは、残りの要求グループのＭＡＣフレームキューが空であることを自動的に意味してはいない。例えば、レポートが、Ｎ［２］＝１を意味する場合、そのときにはそれはＮ［０］＝０、Ｎ［１］＝０、またはＮ［３］＝０であることを自動的には意味しないこともある。
【０２９４】
図６３の表６３００と図６４の表６４００は、ＲＤ参照番号が０に等しい例示の要求辞書を定義している。ｄ１２３＝ｃｅｉｌ（（Ｎ［１］＋Ｎ［２］＋Ｎ［３］−Ｎ１２３，ｍｉｎ）／（ｙ＊ｇ））を定義し、ここで、Ｎ１２３，ｍｉｎおよびｇは、表６３００のように最新のＵＬＲＱＳＴ４レポートによって決定される変数である。
【０２９５】
図６５の表６５００と図６６の表６６００は、ＲＤ参照番号が１に等しい例示の要求辞書を定義している。
【０２９６】
図６７の表６７００と図６８の表６８００は、ＲＤ参照番号が２に等しい例示の要求辞書を定義している。
【０２９７】
図６９の表６９００と図７０の表７０００は、ＲＤ参照番号が３に等しい例示の要求辞書を定義している。
【０２９８】
図７１は、本発明に従って、そして本発明の方法を使用してインプリメントされる例示のワイヤレス端末７１００、例えば、モバイルノードの図である。例示のＷＴ７１００は、図１の例示のシステムのワイヤレス端末のうちのどれにすることもできる。例示のＷＴ７１００は、図１の例示のシステム１００のＷＴ（１３６、１３８、１４４、１４６、１５２、１５４、１６８、１７０、１７２、１７４、１７６、１７８）のうちのどれにすることもできる。例示のワイヤレス端末７１００は、様々な要素がデータおよび情報を交換することができるバス７１１２を経由して一緒に結合されたレシーバモジュール７１０２と、トランスミッタモジュール７１０４と、プロセッサ７１０６と、ユーザＩ／Ｏデバイス７１０８と、メモリ７１１０とを含む。
【０２９９】
メモリ７１１０は、ルーチン７１１８と、データ／情報７１２０とを含んでいる。プロセッサ７１０６、例えば、ＣＰＵは、ワイヤレス端末７１００のオペレーションを制御し、本発明の方法をインプリメントするために、メモリ７１１０の中のルーチン７１１８を実行し、データ／情報７１２０を使用する。
【０３００】
レシーバモジュール７１０２、例えば、ＯＦＤＭレシーバは、ワイヤレス端末７１００が、基地局からダウンリンク信号を受信する受信アンテナ７１０３に結合される。レシーバモジュール７１０２は、少なくとも一部の受信ダウンリンク信号を復号化するデコーダ７１１４を含んでいる。トランスミッタモジュール７１０４、例えば、ＯＦＤＭトランスミッタは、ワイヤレス端末７１００が、アップリンク信号を基地局に対して送信する送信アンテナ７１０５に結合される。トランスミッタモジュール７１０４は、ワイヤレス端末に専用のアップリンク専用制御チャネルセグメントを使用して複数の異なるタイプの固定レポートを送信するために使用される。トランスミッタモジュール７１０４は、ワイヤレス端末に専用のアップリンク専用制御チャネルセグメントを使用してフレキシブルレポートを送信するためにも使用され、フレキシブルレポートを含むアップリンクＤＣＣＨセグメントは、固定タイプレポートを含み、フレキシブルレポートを含まない少なくとも一部のアップリンクＤＣＣＨセグメントと同じサイズである。トランスミッタモジュール７１０４は、送信に先立って少なくとも一部のアップリンク信号を符号化するために使用されるエンコーダ７１１６を含んでいる。一部の実施形態においては、個別の各専用制御チャネルアップリンクセグメントは、他の専用制御チャネルアップリンクセグメントとは独立に符号化される。様々な実施形態においては、同じアンテナが、トランスミッタとレシーバの両方について使用される。
【０３０１】
ユーザＩ／Ｏデバイス７１０８、例えば、マイクロフォン、キーボード、キーパッド、スイッチ、カメラ、スピーカ、ディスプレイなどは、ユーザデータを入力／出力し、アプリケーションを制御し、ワイヤレス端末のオペレーションを制御するために使用され、例えばＷＴ７１００のユーザが、通信セッションを開始することを可能にしている。
【０３０２】
ルーチン７１１８は、通信ルーチン７１２２と、ワイヤレス端末制御ルーチン７１２４とを含む。通信ルーチン７１２２は、ワイヤレス端末７１００によって使用される様々な通信プロトコルを実行する。ワイヤレス端末制御ルーチン７１２４は、固定タイプレポート制御モジュール７１２６と、フレキシブルタイプレポート制御モジュール７１２８と、アップリンクトーンホッピングモジュール７１３０と、識別子モジュール７１３２と、符号化モジュール７１３４とを含む。
【０３０３】
固定タイプレポート制御モジュール７１２６は、報告スケジュールに応じて複数の異なるタイプの固定タイプ情報レポートの送信を制御し、前記固定タイプ情報レポートは、報告スケジュールによって指示されるタイプのものである。
【０３０４】
フレキシブルタイプレポート制御モジュール７１２８は、報告スケジュールの中のあらかじめ決定されたロケーションにおけるフレキシブルレポートの送信を制御し、前記フレキシブルタイプレポートは、フレキシブルレポートを使用して報告され得る複数のレポートからフレキシブルレポート制御モジュールによって選択されるレポートタイプのものである。フレキシブルレポート制御モジュール７１２８は、レポート優先順位付けモジュール７１３６を含んでいる。レポート優先順位付けモジュール７１３６は、複数の代替レポートのうちのどの１つがフレキシブルレポートの形で通信されるべきかを決定するときに基地局に対して通信するためにキューに入れられるアップリンクデータの量と、少なくとも１つの信号干渉測定値を考慮に入れる。レポート優先順位付けモジュール７１３８はまた、変化決定モジュール７１３８を含んでおり、この変化決定モジュールは、少なくとも１つのレポートの形で以前に報告された情報の変化の量を決定する。例えば、変化決定モジュール７１３８が、ＷＴ自己雑音を示す飽和レベルのＳＮＲの値が最後に報告された値からあまり変化していないが、アップリンクトラフィックチャネルリソースについての需要が最後に報告された要求からかなり増大していることを決定する場合、ワイヤレス端末７１００は、飽和レベルのＳＮＲレポートの代わりに、アップリンクトラフィックチャネル要求レポートを通信するためにフレキシブルレポートを使用するように選択することができる。
【０３０５】
アップリンクトーンホッピングモジュール７１３０は、送信の目的のために、記憶されたトーンホッピング情報に基づいて、専用セグメントの送信に対応する異なる時点における論理割当てＤＣＣＨチャネルトーンに対応する物理トーンを決定する。例えば、例示の一実施形態においては、ＤＣＣＨセグメントは、各ドウェル(dwell)が、７個の連続するＯＦＤＭシンボル送信時間間隔にわたって同じ物理トーンを使用した３つのドウェルに対応する。しかしながら、異なるドウェルに関連する物理トーンは、トーンホッピング情報によって決定され、異なる可能性がある。
【０３０６】
識別子モジュール７１３２は、フレキシブルレポートを用いて通信されるべきフレキシブルタイプレポート識別子を生成し、個別のフレキシブルレポートを用いて通信されるレポートタイプ識別子は、通信されているフレキシブルレポートのタイプを指し示している。様々な実施形態においては、識別子モジュール７１３２は、レポートタイプ識別子に対応するフレキシブルレポートのタイプを指し示すレポートを生成する。この例示の実施形態においては、個別のフレキシブルタイプレポートは、対応するレポートタイプ識別子を有する同じＤＣＣＨセグメントの形で通信される。この例示の実施形態においては、リカーリング報告構造内の固定レポートの位置に基づいて通信される固定レポートのタイプについては、基地局とワイヤレス端末との間にあらかじめ決定された理解が存在するので、識別子モジュール７１３２は、固定タイプレポートについては使用されない。
【０３０７】
符号化モジュール７１３４は、それらが通信されるＤＣＣＨ通信セグメントに対応する単一の符号化ユニットの中で、個別のフレキシブルレポート識別子と、対応するフレキシブルレポートとを一緒に符号化する。一部の実施形態においては、符号化モジュール７１３４は、エンコーダ７１１６と関連して動作する。
【０３０８】
データ／情報７１２０は、ユーザ／デバイス／セッション／リソース情報７１４０と、システムデータ／情報７１４２と、生成された固定タイプレポート１  ７１４４と、...と、生成された固定タイプレポートｎ  ７１４６と、選択されたタイプのフレキシブルレポート７１４８と、生成されたフレキシブルレポート７１５０と、フレキシブルレポートタイプ識別子７１５２と、符号化されたＤＣＣＨセグメント情報７１５４と、割当て論理トーン情報７１５８を含むＤＣＣＨチャネル情報７１５６と、基地局識別情報７１６０と、端末識別情報７１６２と、タイミング情報７１６４と、キューに入れられたアップリンクデータの量７１６６と、信号干渉情報７１６８と、レポート変化情報７１７０とを含む。割当て論理トーン情報７１５８は、固定レポートとフレキシブルレポートを伝えるアップリンクＤＣＣＨセグメント信号を通信するためにＷＴ７１００によって使用されるべき、基地局によって割り当てられた単一論理アップリンク専用制御チャネルトーンを識別する。一部の実施形態においては、単一割当て論理ＤＣＣＨトーンは、基地局によって割り当てられたオン状態識別子に関連づけられる。
【０３０９】
ユーザ／デバイス／セッション／リソース情報７１４０は、通信セッションに属する情報、例えば、ピアノード情報と、アドレス指定情報と、経路指定情報と、状態情報と、ＷＴ７１００に割り付けられたアップリンクおよびダウンリンクのエアリンクリソース、例えば、セグメントを識別するリソース情報とを含んでいる。生成された固定タイプのレポート１  ７１４４は、ＷＴ７１００によってサポートされる複数の固定タイプのレポートのうちの１つに対応する固定タイプレポートであり、固定タイプレポート情報７１８８を使用して生成されている。生成された固定タイプのレポートｎ  ７１４６は、ＷＴ７１００によってサポートされる複数の固定タイプのレポートのうちの１つに対応する固定タイプレポートであり、固定タイプレポート情報７１８８を使用して生成されている。選択されたタイプのフレキシブルレポート７１４８は、フレキシブルレポートの形で通信されるべきレポートのタイプについてのワイヤレス端末の選択を識別する情報であり、例えば、図３１のＴＹＰＥ２レポートに対応する４つのパターンのうちの１つを識別する２ビットのパターンである。生成されたフレキシブルレポート７１５０は、フレキシブルレポートの形で通信されるべきＷＴ７１００によって選択されることができる複数のタイプのレポートのうちの１つに対応するフレキシブルタイプレポートであり、フレキシブルタイプレポート情報７１９０、例えば、ＢＯＤＹ４レポートに対応し、例えば図１８のＵＬＲＱＳＴ４レポート、または図３０のＤＬＳＳＮＲ４レポートのうちの１つのビットパターンを表す４ビットのパターンを使用して生成されている。符号化されたＤＣＣＨセグメント情報７１５４は、符号化モジュール７１３４の出力、例えば、Ｔｙｐｅ２およびＢｏｄｙ４のレポートに対応する符号化されたＤＣＣＨセグメント、あるいは固定タイプのレポートの混合物に対応する符号化されたＤＣＣＨセグメントである。
【０３１０】
ＤＣＣＨチャネル情報７１５６は、ＷＴ７１００に割り付けられたＤＣＣＨセグメントを識別する情報、例えばＤＣＣＨモード、例えば、フルトーンＤＣＣＨモードまたはスプリットトーンＤＣＣＨモードのオペレーションを識別する情報と、基地局アタッチメントポイントによって使用されるＤＣＣＨチャネル構造における割当て論理ＤＣＣＨトーン７１５８を識別する情報とを含む。基地局識別情報７１６０は、ＷＴ７２００によって使用される基地局アタッチメントポイントを識別する情報、例えば、基地局、基地局セクタ、および／またはアタッチメントポイントに関連するキャリアまたはトーンのブロック対を識別する情報を含んでいる。端末識別情報７１６２は、ＷＴ７１００識別情報と、ＷＴ７１００に一時的に関連づけられる基地局によって割り当てられたワイヤレス端末識別子、例えば、登録ユーザ識別子、アクティブユーザ識別子、論理ＤＣＣＨチャネルトーンに関連するオン状態識別子とを含む。タイミング情報７１６４は、例えばリカーリングタイミング構造内の現在のＯＦＤＭシンボル時間を識別する現在のタイミング情報を含んでいる。タイミング情報７１６４は、いつ異なるタイプの固定レポートを送信すべきかを決定する際に、アップリンクタイミング／周波数構造情報７１７８と、固定タイプレポート送信スケジューリング情報７１８４と一緒に固定タイプ制御モジュール７１２６によって使用される。タイミング情報７１６４は、いつフレキシブルレポートを送信すべきかを決定する際に、アップリンクタイミング／周波数構造情報７１７８と、フレキシブルタイプレポート送信スケジューリング情報７１８６と一緒にフレキシブルレポート制御モジュール７１２８によって使用される。キューに入れられたアップリンクデータの量７１６６、例えば、要求グループキューにおけるＭＡＣフレームの量、および／または要求グループキューセットにおけるＭＡＣフレームの量の組合せは、フレキシブルレポートスロットにおいて通信されるべきレポートのタイプを選択する際にレポート優先順位付けモジュール７１３６によって使用される。信号干渉情報７１６８もまた、フレキシブルレポートスロットにおいて通信されるべきレポートのタイプを選択する際に優先順位付けモジュール７１３６によって使用される。レポート変化情報７１７０、例えば、変化決定モジュール７１３８から得られる、以前に通信されたＤＣＣＨレポートからのデルタを示す情報は、フレキシブルレポートスロットにおいて通信されるべきレポートのタイプを選択する際にレポート優先順位付けモジュール７１３６によって使用される。
【０３１１】
システムデータ／情報７１４２は、複数の組の基地局データ／情報（ＢＳ１データ／情報７１７２、...、ＢＳ  Ｍデータ／情報７１７４）と、ＤＣＣＨレポート送信スケジューリング情報７１８２と、固定タイプレポート情報７１８８と、フレキシブルタイプレポート情報７１９０とを含む。ＢＳ１データ／情報７１７２は、ダウンリンクタイミングおよび周波数の構造情報７１７６と、アップリンクタイミング／周波数構造情報７１７８とを含む。ダウンリンクタイミング／周波数構造情報７１７６は、ダウンリンクキャリア情報と、ダウンリンクトーンブロック情報と、ダウンリンクトーンの数と、ダウンリンクトーンホッピング情報と、ダウンリンクチャネルセグメント情報と、ＯＦＤＭシンボルタイミング情報と、ＯＦＤＭシンボルのグループ分けとを含む。アップリンクタイミング／周波数構造情報７１７８は、アップリンクキャリア情報と、アップリンクトーンブロック情報と、アップリンクトーンの数と、アップリンクトーンホッピング情報と、アップリンクチャネルセグメント情報と、ＯＦＤＭシンボルタイミング情報と、ＯＦＤＭシンボルのグループ分けとを含む。アップリンクタイミング／周波数構造情報７１７８は、トーンホッピング情報７１８０を含んでいる。
【０３１２】
ＤＣＣＨレポート送信スケジューリング情報７１８２は、通信制御チャネルの専用セグメントを使用して、基地局、例えば、アクセスノードに対するレポートの送信を制御する際に使用される。ＤＣＣＨ送信スケジューリング情報７１８２は、リカーリング報告スケジュールの中の異なるＤＣＣＨセグメントの複合物を識別し、リカーリングスケジュール内の固定タイプレポートのロケーションおよびタイプを識別し、リカーリングスケジュール内のフレキシブルタイプレポートのロケーションを識別する情報を含んでいる。レポート送信スケジューリング情報７１８２は、固定タイプレポート情報７１８４と、フレキシブルタイプレポート情報７１８６とを含む。例えば、例示の一実施形態においては、リカーリングスケジュールは、４０個のインデックス付けされたＤＣＣＨセグメントを含み、固定レポートおよび／またはフレキシブルレポートの包含の観点からのインデックス付けされた各セグメントの複合物は、レポート送信スケジューリング情報７１８２によって識別される。図１０は、ビーコンスロットの中で行われるフルトーンＤＣＣＨモードのオペレーションにおいて使用される４０個のインデックス付けされたＤＣＣＨセグメントを含むリカーリング構造に対応する例示のＤＣＣＨレポート送信スケジュール情報の一例を提供している。図１０の例においては、ＢＯＤＹ４レポートは、フレキシブルレポートであり、ＴＹＰＥ２レポートは、同じＤＣＣＨセグメントについての対応するＢＯＤＹ４レポートの形で通信されるレポートのタイプを識別する識別子レポートである。他の例示されたレポート、例えば、ＤＬＳＮＲ５レポートと、ＵＬＲＱＳＴ１レポートと、ＤＬＤＮＳＮＲ３レポートと、ＵＬＲＱＳＴ３レポートと、ＲＳＶＤ２レポートと、ＵＬＲＱＳＴ４レポートと、ＵＬＴＸＢＫＦ５レポートと、ＤＬＢＮＲ４レポートと、ＲＳＶＤ１レポートと、ＤＬＳＳＮＲ４レポートとは、固定タイプレポートである。報告スケジュールの１回の反復の中にはフレキシブルレポートよりも多くの固定レポートが存在する。一部の実施形態においては、報告スケジュールは、報告スケジュールの１回の反復の中にはフレキシブルレポートの少なくとも８倍の数の固定レポートを含んでいる。一部の実施形態においては、報告スケジュールは、固定レポートを送信するために使用される９つの各専用制御チャネルセグメントについて１つのフレキシブルレポートを報告するために使用される平均して１つよりも少ない専用制御チャネルセグメントを含んでいる。
【０３１３】
固定タイプレポート情報７１８８は、専用制御チャネル上で通信される複数の固定タイプのレポートのおのおのについてのフォーマットを識別する情報、例えば、通信されることができる可能性のあるビットパターンのおのおのに対して与えられるレポートおよび解釈に関連する情報ビットの数を含んでいる。複数の固定タイプ情報レポートは、アップリンクトラフィックチャネルレポートと、ワイヤレス端末のセルフノーズ(self-nose)レポート、例えば、ダウンリンク飽和レベルの自己雑音(self-noise)ＳＮＲレポートと、ダウンリンクＳＮＲの絶対レポートと、ダウンリンクＳＮＲの相対レポートと、アップリンク送信パワーレポート、例えば、ＷＴ送信パワーバックオフレポートと、干渉レポート、例えば、ビーコン比レポートとを含む。図１３、１５、１６、１８、１９、２６、２９、および３０は、それぞれＤＬＳＳＮＲ５レポート、ＤＬＤＳＮＲ３レポート、ＵＬＲＱＳＴ１レポート、ＵＬＲＱＳＴ４レポート、ＵＬＲＱＳＴ３レポート、ＵＬＴｘＢＫＦ５レポート、およびＤＬＢＮＲ４レポートに対応する例示の固定タイプレポート情報７１８８を示している。
【０３１４】
フレキシブルタイプレポート情報７１９０は、専用制御チャネル上で通信されるべきフレキシブルレポートの形で通信されるように選択されることができる可能なタイプのレポートのおのおのについてのフォーマットを識別する情報、例えば、通信されることができる可能なビットパターンのおのおのに対して与えられレポートおよび解釈に関連する情報ビットの数を含んでいる。フレキシブルタイプレポート情報７１９０はまた、フレキシブルレポートを伴うフレキシブルタイプインジケータレポートを識別する情報、例えば、各ビットパターンが示すフレキシブルタイプインジケータレポートとフレキシブルレポートのタイプの指定に関連する情報ビットの数も含んでいる。一部の実施形態においては、フレキシブルレポートにおいて通信されるべき、ＷＴによって選択されることができる少なくとも一部のタイプのレポートは、固定タイプのレポートと同じである。例えば、例示の一実施形態においては、フレキシブルレポートは、リカーリング報告スケジュールにおいてあらかじめ決定された固定位置における固定タイプレポートとして通信されるときに使用される同じフォーマットに従う４ビットのアップリンクトラフィックチャネル要求レポートと、４ビットのダウンリンク飽和レベルのＳＮＲレポートとを含む１組のレポートから選択されることができる。図３１、１８、および３０は、例示のフレキシブルタイプレポート情報７１９０を示している。
【０３１５】
図７２は、本発明に従って、そして本発明の方法を使用してインプリメントされる例示のワイヤレス端末７２００、例えば、モバイルノードの図である。例示のＷＴ７２００は、図１の例示のシステムのワイヤレス端末のうちのどれにすることもできる。例示のＷＴ７２００は、図１の例示のシステム１００のＷＴ（１３６、１３８、１４４、１４６、１５２、１５４、１６８、１７０、１７２、１７４、１７６、１７８）のうちのどれにすることもできる。例示のワイヤレス端末７２００は、様々な要素がデータ／情報を交換することができるバス７２１２を経由して一緒に結合されたレシーバモジュール７２０２と、トランスミッタモジュール７２０４と、プロセッサ７２０６と、ユーザＩ／Ｏデバイス７２０８と、メモリ７２１０とを含む。
【０３１６】
メモリ７２１０は、ルーチン７２１８と、データ／情報７２２０とを含んでいる。プロセッサ７２０６、例えば、ＣＰＵは、ワイヤレス端末７２００のオペレーションを制御し、本発明の方法をインプリメントするために、メモリ７２１０の中のルーチン７２１８を実行し、データ／情報７２２０を使用する。
【０３１７】
レシーバモジュール７２０２、例えば、ＯＦＤＭレシーバは、ワイヤレス端末７２００が、基地局からダウンリンク信号を受信する受信アンテナ７２０３に結合される。レシーバモジュール７２０２は、少なくとも一部の受信ダウンリンク信号を復号化するデコーダ７２１４を含んでいる。受信ダウンリンク信号は、基地局アタッチメントポイント識別情報を伝える信号、例えば、ビーコン信号と、基地局によって割り当てられるワイヤレス端末識別子、例えば、基地局アタッチメントポイントによってＷＴ７２００に割り当てられる、ＷＴ７２００によって使用されるべき専用制御チャネルセグメントに関連するオン状態識別子とを含む。他の受信ダウンリンク信号は、アップリンクおよび／またはダウンリンクのトラフィックチャネルセグメントに対応する割当て信号と、ダウンリンクトラフィックチャネルセグメント信号とを含む。基地局アタッチメントポイントによるＷＴ７２００に対するアップリンクトラフィックチャネルセグメントの割当ては、ＷＴ７２００からの受信バックログ情報レポートに応じたものとすることができる。
【０３１８】
トランスミッタモジュール７２０４、例えば、ＯＦＤＭトランスミッタは、ワイヤレス端末７２００が、アップリンク信号を基地局に対して送信する送信アンテナ７２０５に結合される。トランスミッタモジュール７２０４は、少なくとも一部の生成されたバックログ情報レポートを送信するために使用される。送信される生成されたバックログ情報レポートは、ワイヤレス端末７２００に専用のアップリンク制御チャネルセグメントの形でトランスミッタモジュール７２０４によって送信される。トランスミッタモジュール７２０４はまた、アップリンクトラフィックチャネルセグメント信号を送信するためにも使用される。トランスミッタモジュール７２０４は、送信に先立って少なくとも一部のアップリンク信号を符号化するために使用されるエンコーダ７２１６を含んでいる。一部の実施形態においては、各個別専用制御チャネルアップリンクセグメントは、他の専用制御チャネルアップリンクセグメントとは独立に符号化される。様々な実施形態においては、同じアンテナは、トランスミッタとレシーバの両方のために使用される。
【０３１９】
ユーザＩ／Ｏデバイス７２０８、例えば、マイクロフォン、キーボード、キーパッド、スイッチ、カメラ、スピーカ、ディスプレイなどは、ユーザデータを入力／出力し、アプリケーションを制御し、ワイヤレス端末のオペレーションを制御するために使用され、例えばＷＴ７２００のユーザが、通信セッションを開始することを可能にしている。
【０３２０】
ルーチン７２１８は、通信ルーチン７２２２と、ワイヤレス端末制御ルーチン７２２４とを含む。通信ルーチン７２２２は、ワイヤレス端末７２００によって使用される様々な通信プロトコルを実行する。ワイヤレス端末制御ルーチン７２２４は、レシーバモジュール７２０２の制御と、トランスミッタモジュール７２０４の制御と、ユーザＩ／Ｏデバイス７２０８の制御とを含めて、ワイヤレス端末７２００のオペレーションを制御する。ワイヤレス端末制御ルーチン７２２４は、本発明の方法をインプリメントするために使用される。
【０３２１】
ワイヤレス端末制御ルーチン７２２４は、キューステータス監視モジュール７２２６と、送信バックログレポート生成モジュール７２２８と、送信バックログレポート制御モジュール７２３０と、符号化モジュール７３３２とを含む。キューステータス監視モジュール７２２６は、送信されるべき情報を記憶するために使用される複数の異なるキューのうちの少なくとも１つの中の情報の量を監視する。キューの中の情報の量は、例えば、時間を考えることに起因し、あるいはセッションまたはアプリケーションの終了に起因して、例えば、追加のデータ／情報が、送信される必要があり、データ／情報が、正常に送信され、データ情報が、再送信される必要があり、データ情報が、脱落させられるように、時間にわたって変化する。送信バックログレポート生成モジュール７２２８は、送信バックログ情報を提供する異なるビットサイズのバックログ情報レポート、例えば、１ビットのアップリンク要求レポートと、３ビットのアップリンク要求レポートと、４ビットのアップリンク要求レポートとを生成する。送信バックログレポート制御モジュール７２３０は、生成されたバックログ情報レポートの送信を制御する。送信バックログレポート生成モジュール７２２８は、情報グループ分けモジュール７２３４を含んでいる。情報グループ分けモジュール７２３４は、異なる組のキューに対応するステータス情報をグループ分けする。グループ分けモジュール７２３４は、異なるビットサイズのバックログ情報レポートについての異なる情報グループ分けをサポートする。符号化モジュール７３３２は、専用アップリンク制御チャネルセグメントの形で送信されるべき情報を符号化し、少なくとも一部のセグメントについて、符号化モジュール７３３２は、非バックログ制御情報を通信するために使用される少なくとも１つの追加のバックログレポートを有する送信バックログレポートを符号化する。ＤＣＣＨセグメントについての送信バックログレポートを用いて符号化される可能性のある追加のレポートは、信号対雑音比レポートと、自己雑音レポートと、干渉レポートと、ワイヤレス端末送信パワーレポートとを含む。
【０３２２】
データ／情報７２２０は、ユーザ／デバイス／セッション／リソース情報７２３６と、システムデータ／情報７２３８と、キュー情報７２４０と、割当て論理トーン情報７２４４を含むＤＣＣＨチャネル情報７２４２と、基地局識別情報７２４６と、端末識別情報７２４８と、タイミング情報７２５０と、組み合わされた要求グループ情報７２５２と、生成された１ビットのアップリンク要求レポート７２５４と、生成された３ビットのアップリンク要求レポート７２５６と、生成された４ビットのアップリンク要求レポート７２５８と、生成された追加ＤＣＣＨレポート７２６０と、符号化されたＤＣＣＨセグメント情報７２６２とを含む。
【０３２３】
ユーザ／デバイス／セッション／リソース情報７２３６は、通信セッションに属する情報、例えば、ピアノード情報と、アドレス指定情報と、経路指定情報と、状態情報と、ＷＴ７１００に割り付けられたアップリンクおよびダウンリンクのエアリンクリソース、例えば、セグメントを識別するリソース情報とを含む。キュー情報７２４０は、ＷＴ７２００が送信しようと意図するユーザデータ、例えば、キューに関連するユーザデータのＭＡＣフレームと、ＷＴ７２００が送信しようと意図するユーザデータの量を識別する情報、例えば、キューに関連するＭＡＣフレームの総数とを含む。キュー情報７２４０は、要求グループ０の情報７２６４と、要求グループ１の情報７２６６と、要求グループ２の情報７２６８と、要求グループ３の情報７２７０とを含む。
【０３２４】
ＤＣＣＨチャネル情報７２４２は、ＷＴ７２００に割り付けられたＤＣＣＨセグメントを識別する情報、例えば、ＤＣＣＨモード、例えば、フルトーンＤＣＣＨモードまたはスプリットトーンＤＣＣＨモードのオペレーションを識別する情報と、基地局アタッチメントポイントによって使用されるＤＣＣＨチャネル構造における割当て論理ＤＣＣＨトーン７２４４を識別する情報とを含む。基地局識別情報７２４６は、ＷＴ７２００によって使用される基地局アタッチメントポイントを識別する情報、例えば、基地局、基地局セクタ、および／またはアタッチメントポイントに関連するキャリアまたはトーンのブロック対を識別する情報を含んでいる。端末識別情報７２４８は、ＷＴ７２００識別情報と、ＷＴ７２００に一時的に関連づけられる基地局によって割り当てられたワイヤレス端末識別子、例えば、登録ユーザ識別子、アクティブユーザ識別子、論理ＤＣＣＨチャネルトーンに関連するオン状態識別子とを含む。タイミング情報７２５０は、例えばリカーリングタイミング構造内の現在のＯＦＤＭシンボル時間を識別する現在のタイミング情報を含んでいる。タイミング情報７２５０は、いつ異なるタイプのバックログレポートを送信すべきかを決定する際に、アップリンクタイミング／周波数構造情報７２７８と、記憶された送信バックログ報告スケジュール情報７２８１に関連して送信バックログレポート制御モジュール７２３０によって使用される。組み合わされた要求グループ情報７２５４は、要求グループ０と要求グループ１の組合せに対応して送信されるべき、要求グループの組合せに属する情報、例えば、情報の量、例えば、ＭＡＣフレームの総数を識別する値を含んでいる。
【０３２５】
生成された１ビットのアップリンク要求レポート７２５４は、キュー情報７２４０および／または組み合わされた要求グループ情報７２５２と、１ビットサイズレポートマッピング情報７２９０とを使用して、送信バックログレポート生成モジュール７２２８によって生成される１情報ビットの送信バックログレポートである。生成された３ビットのアップリンク要求レポート７２５６は、キュー情報７２４０および／または組み合わされた要求グループ情報７２５２と、３ビットサイズレポートマッピング情報７２９２とを使用して、送信バックログレポート生成モジュール７２２８によって生成される３情報ビットの送信バックログレポートである。生成された４ビットのアップリンク要求レポート７２５８は、キュー情報７２４０および／または組み合わされた要求グループ情報７２５２と、４ビットサイズレポートマッピング情報７２９２とを使用して、送信バックログレポート生成モジュール７２２８によって生成される４情報ビットの送信バックログレポートである。生成された追加ＤＣＣＨレポート７２６０は、例えば、生成されたダウンリンク絶対ＳＮＲレポート、生成されたデルタＳＮＲレポート、生成された干渉レポート、例えば、ビーコン比レポート、生成された自己雑音レポート、例えば、飽和レベルのＳＮＲのＷＴ自己雑音レポート、ＷＴパワーレポート、例えば、ＷＴ送信パワーバックオフレポートである。符号化モジュール７２３４は、与えられたＤＣＣＨセグメントについて生成された追加レポート７２６０と共に送信バックログレポート７２５４、７２５６、７２５８を符号化し、符号化されたＤＣＣＨセグメント情報を取得する。この例示の実施形態においては、各ＤＣＣＨセグメントは、同じサイズであり、例えば、ＤＣＣＨセグメントに含まれる送信バックログレポートが、１ビットレポートであるか、３ビットレポートであるか、または４ビットレポートであるかにかかわらず、同じ数のトーンシンボルを使用する。例えば、１つのＤＣＣＨセグメントでは、１ビットのＵＬ要求送信バックログレポートは、５ビットのダウンリンク絶対ＳＮＲレポートと一緒に符号化され、別のＤＣＣＨセグメントでは、３ビットのＵＬ要求送信バックログレポートは、３ビットのダウンリンクデルタＳＮＲレポートと一緒に符号化され、別のＤＣＣＨセグメントでは、４ビットのＵＬ要求送信バックログレポートは、２ビットの留保されたレポートと一緒に符号化される。
【０３２６】
システムデータ／情報７２３８は、複数の組の基地局情報（ＢＳ１データ／情報７２７２、...、ＢＳ  Ｍデータ／情報７２７４）と、専用制御チャネルレポート送信報告スケジュール情報７２８０と、記憶された送信バックログレポートマッピング情報７２８８と、キューセットの情報７２９６とを含む。ＢＳ１データ／情報７２７２は、ダウンリンクタイミング／周波数構造情報７２７６と、アップリンクタイミング／周波数構造情報７２７８とを含む。ダウンリンクタイミング／周波数構造情報７２７６は、ダウンリンクキャリア情報と、ダウンリンクトーンブロック情報と、ダウンリンクトーンの数と、ダウンリンクトーンホッピング情報と、ダウンリンクチャネルセグメント情報と、ＯＦＤＭシンボルタイミング情報と、ＯＦＤＭシンボルのグループ分けとを含む。アップリンクタイミング／周波数構造情報７２７８は、アップリンクキャリア情報と、アップリンクトーンブロック情報と、アップリンクトーンの数と、アップリンクトーンホッピング情報と、アップリンクチャネルセグメント情報と、ＯＦＤＭシンボルタイミング情報と、ＯＦＤＭシンボルのグループ分けとを含む。ＤＣＣＨレポート送信報告スケジュール情報７２８０は、記憶された送信バックログ報告スケジュール情報７２８１を含んでいる。図１０は、フルトーンＤＣＣＨモードのオペレーションについての、基地局のタイミング／周波数構造において使用される構造であるビーコンスロットの中の４０個のインデックス付けされたＤＣＣＨセグメントのリカーリングスケジュールに対応する例示のＤＣＣＨ送信スケジュール情報を提供する。記憶された送信バックログ報告スケジュール情報は、送信バックログレポートのおのおののロケーション、例えば、図１０におけるＵＬＲＱＳＴ１レポートと、ＵＬＲＱＳＴ３レポートと、ＵＬＲＱＳＴ４レポートのロケーションを識別する情報を含んでいる。記憶された送信バックログ報告スケジューリング情報７２８１は、いつ特定のビットサイズのレポートを送信すべきかを決定する際に、送信バックログレポート制御モジュール７２３０によって使用される。記憶された送信バックログ報告スケジュール情報７２８１は、１ビットサイズレポート情報７２８２と、３ビットサイズレポート情報７２８４と、４ビットサイズレポート情報７２８６とを含む。例えば、図１０に関して、１ビットサイズレポート情報７２８２は、ＵＬＲＱＳＴ１レポートが、インデックスｓ２＝０を有するＤＣＣＨセグメントのＬＳＢに対応することを識別する情報を含み、３ビットサイズレポート情報７２８４は、ＵＬＲＱＳＴ３レポートが、インデックスｓ２＝２を有するＤＣＣＨセグメントの３つのＬＳＢに対応することを識別する情報を含み、４ビットサイズレポート情報７２８６は、ＵＬＲＱＳＴ４レポートが、インデックスｓ２＝４を有するＤＣＣＨセグメントの４つのＬＳＢに対応することを識別する情報を含む。
【０３２７】
記憶された送信バックログスケジューリング情報７２８１は、３ビットサイズバックログレポートよりも多くの１ビットサイズバックログレポートが、送信レポートスケジュールの１回の反復の中で送信されるべきであることを指し示す。記憶された送信バックログスケジューリング情報７２８１はまた、４ビットサイズバックログレポートよりも多くの、または同じ数の３ビットサイズバックログレポートが、送信レポートスケジュールの１回の反復の中で送信されるべきであることも指し示す。例えば、図１０においては、１６個の識別されたＵＬＲＱＳＴ１レポートと、１２個の識別されたＵＬＲＱＳＴ３レポートと、９個の識別されたＵＬＲＱＳＴ４レポートが存在する。図１０に対応するこの例示の実施形態において、フレキシブルレポート、Ｂｏｄｙ４レポートは、４ビットのＵＬＲＱＳＴレポートを伝えることができ、そして報告構造の１回の反復のうちの３つのフレキシブルレポートがＵＬＲＱＳＴ４レポートを搬送する場合の下では、ワイヤレス端末は、１２個のＵＬＲＱＳＴ４レポートを通信する。
【０３２８】
記憶された送信バックログレポートマッピング情報７２８８は、１ビットサイズレポート情報７２９０と、３ビットサイズレポート情報７２９２と、４ビットサイズレポート情報７２９４とを含む。１ビットサイズレポートマッピング情報７２９０の例は、図１６および図６１を含む。３ビットサイズレポートマッピング情報の例は、図１９、２１、２３、２５、６４、６６、６８、および７０を含む。４ビットサイズレポートマッピング情報の例は、図１８、２０、２２、２４、６３、６５、６７、および６９を含む。記憶された送信バックログマッピング情報７２８８は、キューステータス情報と、異なるビットサイズバックログレポートを使用して通信されることができるビットパターンとの間のマッピングを指し示す情報を含んでいる。この例示の実施形態において、１ビットサイズバックログレポートは、複数の異なる送信キューに対応するバックログ情報を提供し、その１ビットは、要求グループ０と、要求グループ１の組合せに対応して、送信されるべき情報の存在、またはその不在を指し示す。様々な実施形態においては、最小のビットサイズ、例えば、１ビットサイズのバックログレポートは、最高優先順位トラフィックのために使用され、例えば、ここでは最高優先順位のものは、音声または制御のトラフィックである。一部の実施形態においては、第２のビットサイズレポート、例えば、３ビットサイズレポートは、以前に通信された第３のビットサイズレポート、例えば、４ビットサイズレポートに関してデルタを通信し、図６３および６４は、そのような関係を示している。一部の実施形態においては、第２の固定サイズレポート、例えば、３ビットサイズレポートは、２組のキューに関する情報を提供する。例えば、図４１を考慮すると、第２のタイプのレポートは、第２の組のキューと第３の組のキューに関する情報を通信する。様々な実施形態においては、第３のサイズのレポート、例えば、４ビットサイズレポートは、１組のキューに関する情報を提供する。一部のそのような実施形態においては、１組のキューは、１つの要求グループキュー、２つの要求グループキュー、または３つの要求グループキューを含んでいる。一部の実施形態においては、アップリンクトラフィックについてのあらかじめ決定された数の要求グループ、例えば、４つのＲＧ０、ＲＧ１、ＲＧ２、およびＲＧ３が存在し、そして第３の固定サイズのレポート、例えば、４ビットサイズレポートは、異なる要求グループキューのうちのどれかに対応するバックログ情報を通信することができる。例えば図４１を考慮すると、第３のタイプのレポートは、第４の組のキュー、第５の組のキュー、第６の組のキュー、または第７の組のキューのうちの１つの上で、情報を通信し、与えられた任意の辞書では、第３のタイプのレポートは、ＲＧ０、ＲＧ１、ＲＧ２、およびＲＧ３に属する情報を通信することができる。
【０３２９】
キューセットの情報７２９６は、送信バックログレポートを生成するときに使用されるべきキューのグループ分けを識別する情報を含んでいる。図４１は、様々な例示のタイプの送信バックログレポートにおいて使用されるキューの例示のグループ分けを示している。
【０３３０】
図７４は、本発明に従って、そして本発明の方法を使用してインプリメントされる例示のワイヤレス端末７４００、例えば、モバイルノードの図である。例示のワイヤレス端末７４００は、図１のワイヤレス端末のうちのどれにすることもできる。例示のワイヤレス端末７４００は、様々な要素がデータおよび情報を交換するバス７４１２を経由して一緒に結合されたレシーバモジュール７４０２と、トランスミッタモジュール７４０４と、プロセッサ７４０６と、ユーザＩ／Ｏデバイス７４０８と、メモリ７４１０とを含む。
【０３３１】
メモリ７４１０は、ルーチン７４１８と、データ／情報７４２０とを含んでいる。プロセッサ７４０６、例えば、ＣＰＵは、ワイヤレス端末７４００のオペレーションを制御し、本発明の方法をインプリメントするために、メモリ７４１０の中のルーチン７４１８を実行し、データ／情報７４２０を使用する。ユーザＩ／Ｏデバイス７４０８、例えば、マイクロフォン、キーボード、キーパッド、スイッチ、カメラ、ディスプレイ、スピーカなどは、ユーザデータを入力し、ユーザデータを出力し、ユーザがアプリケーションを制御し、かつ／またはワイヤレス端末の様々なファンクションを制御し、例えば、通信セッションを開始することを可能にするために使用される。
【０３３２】
レシーバモジュール７４０２、例えば、ＯＦＤＭレシーバは、ワイヤレス端末７４００が、基地局からダウンリンク信号を受信する受信アンテナ７４０３に結合される。受信ダウンリンク信号は、例えば、ビーコン信号と、パイロット信号と、ダウンリンクトラフィックチャネル信号と、閉ループパワー制御信号を含むパワー制御信号と、タイミング制御信号と、割当て信号と、登録応答信号と、基地局によって割り当てられたワイヤレス端末識別子、例えば、ＤＣＣＨ論理チャネルトーンに関連するオン状態識別子を含む信号とを含む。レシーバモジュール７４０２は、少なくとも一部の受信ダウンリンク信号を復号化するために使用されるデコーダ７４１４を含んでいる。
【０３３３】
トランスミッタモジュール７４０４、例えば、ＯＦＤＭトランスミッタは、ワイヤレス端末７４００が、アップリンク信号を基地局に対して送信する送信アンテナ７４０５に結合される。一部の実施形態においては、同じアンテナは、レシーバと、トランスミッタのために使用され、例えば、アンテナは、デュプレクサモジュールを介してレシーバモジュール７４０２と、トランスミッタモジュール７４０４に結合される。アップリンク信号は、例えば基地局によって測定されることができる基準信号と、ＷＴ送信パワーバックオフレポートなどのＷＴパワーレポートを含むレポートとを伝える、例えば、登録要求信号と、専用制御チャネルセグメント信号と、アップリンクトラフィックチャネルセグメント信号とを含む。トランスミッタモジュール７４０４は、少なくとも一部のアップリンク信号を符号化するために使用されるエンコーダ７４１６を含んでいる。ＤＣＣＨセグメントは、この実施形態においては、セグメントごとに基づいて符号化される。
【０３３４】
ルーチン７４１８は、通信ルーチン７４２２と、ワイヤレス端末制御ルーチン７４２２とを含む。通信ルーチン７４２２は、ワイヤレス端末７４００によって使用される様々な通信プロトコルをインプリメントする。ワイヤレス端末制御ルーチン７４２２は、レポート生成モジュール７４２６と、ワイヤレス端末送信パワー制御モジュール７４３０と、専用制御チャネル制御モジュール７４３２と、トーンホッピングモジュール７４３４と、レポートフォーマット制御モジュール７４３６とを含む。レポート生成モジュール７４２６は、計算サブモジュール７４２８を含んでいる。
【０３３５】
レポート生成モジュール７４２６は、各パワーレポートが、パワーレポートに対応する時点においてワイヤレス端末に知られているパワーレベルを有する基準信号の送信パワーに対するワイヤレス端末の最大送信パワーの比を指し示すパワーレポート、例えば、ワイヤレス端末送信パワーバックオフレポートを生成する。ワイヤレス端末送信パワー制御モジュール７４３０は、基地局から受信される少なくとも１つの閉ループパワーレベル制御信号を含む情報に基づいてワイヤレス端末の送信パワーレベルを制御するために使用される。基地局から受信される閉ループパワー制御信号は、ワイヤレス端末トランスミッタパワーを制御するために使用される信号とすることができ、その結果、望ましい受信パワーレベルが、基地局において達成されるようになる。一部の実施形態においては、基地局は、ワイヤレス端末の実際の送信パワーレベルおよび／または最大送信パワーレベルについての実際の知識を有してはいない。一部のシステムインプリメンテーションにおいては、異なるデバイスは、異なる最大送信パワーレベルを有することができ、例えば、デスクトップワイヤレス端末は、ポータブルノートブックコンピュータによってインプリメントされた、例えば、オフバッテリパワーを動作させる(operating off battery power)ワイヤレス端末とは異なる最大送信パワー能力を有することができる。
【０３３６】
ワイヤレス端末送信パワー制御モジュール７４３０は、専用制御チャネルに関連する送信パワーレベルの閉ループパワー制御調整を実行する。専用制御チャネル制御モジュール７４３２は、複数の論理トーンの中のどの単一論理トーンが、専用制御チャネルシグナリングのために使用されるべきかを決定し、前記単一論理トーンは、１組の専用制御チャネルセグメントを使用して制御シグナリングを送信する際に使用するためのワイヤレス端末に専用である。
【０３３７】
トーンホッピングモジュール７４３４は、異なる時点において、複数の連続するＯＦＤＭシンボル送信時間間隔中に専用制御チャネル情報を通信するために使用されるべき単一物理ＯＦＤＭトーンを決定する。例えば、例示の一実施形態においては、単一の専用制御チャネル論理トーンに対応する専用制御チャネルセグメントは、各組の７つのＯＦＤＭトーンシンボルが、ハーフスロットの７つの連続するＯＦＤＭシンボル送信期間に対応し、そして物理ＯＦＤＭトーンに対応し、３組のおのおのが、トーンホッピング情報に従って決定される組についてのＯＦＤＭトーンを有する異なる物理ＯＦＤＭトーンに対応する可能性がある、３組の７つのＯＦＤＭトーンシンボルを備える２１個のＯＦＤＭトーンシンボルを含んでいる。レポートフォーマット制御モジュール７４３６は、複数の専用制御チャネルモードのうちのどの１つのオペレーションが、レポートが送信される時にワイヤレス端末７４００によって使用されているかの関数として、パワーレポートのフォーマットを制御する。例えば、例示の一実施形態においては、ワイヤレス端末は、フルトーンＤＣＣＨモードのオペレーション中であるときに、パワーレポートについて５ビットのフォーマットを使用し、スプリットトーンモードのオペレーション中であるときには４ビットのパワーレポートを使用する。
【０３３８】
計算サブモジュール７４２８は、ｄＢｍにおけるワイヤレス端末の最大送信パワーからｄＢｍにおけるアップリンク専用制御チャネルのパートーン送信パワーを差し引く。一部の実施形態においては、最大送信パワーは、セット値、例えば、ワイヤレス端末に記憶されるあらかじめ決定された値、あるいはワイヤレス端末に、例えば基地局から通信され、ワイヤレス端末に記憶される値である。一部の実施形態においては、最大送信パワーは、ワイヤレス端末のパワー出力容量に依存する。一部の実施形態においては、最大送信パワーは、ワイヤレス端末のタイプに依存する。一部の実施形態においては、最大送信パワーは、ワイヤレス端末のオペレーションのモード、例えば、異なるモードが、以下の：外部電源を使用するオペレーション、バッテリを使用するオペレーション、第１のレベルのエネルギーリザーブを有するバッテリを使用するオペレーション、第２のレベルのエネルギーリザーブを有するバッテリを使用するオペレーション、動作時間の第１の存続時間をサポートするために予想量のエネルギーリザーブを有するバッテリを使用するオペレーション、通常パワーモードにおけるオペレーション、パワー節約モードにおける前記最大送信パワーが、前記通常パワーモードにおける前記最大送信パワーよりも低いパワー節約モードにおけるオペレーションのうちの少なくとも２つに対応するオペレーションのモードに依存する。様々な実施形態においては、最大送信パワー値は、ワイヤレス端末の最大出力パワーレベルを制限する政府規制に従っているように選択されている値であり、例えば、最大送信パワー値は、最大許容レベルであるように選択される。異なるデバイスは、基地局に知られていても、あるいは知られていなくてもよい異なる最大パワーレベル能力を有することができる。基地局は、ワイヤレス端末によってサポートされることができる、サポート可能なアップリンクトラフィックチャネルデータスループット、例えば、送信セグメント当たりのスループット(per transmission segment throughput)を決定する際に、バックオフレポートを使用することができ、そして一部の実施形態においては使用する。これは、バックオフレポートが、比の形式で提供されるので、たとえ基地局が、使用されている実際の送信パワーレベル、またはワイヤレス端末の最大能力を知らなくてもよいとしても、バックオフレポートが、トラフィックチャネル送信のために使用されることができる追加パワーについての情報を提供するからである。
【０３３９】
一部の実施形態においては、ワイヤレス端末は、各接続が対応する最大送信パワーレベルを有する１つまたは複数のワイヤレス接続を同時にサポートすることができる。値によって指し示される最大送信パワーレベルは、異なる接続について異なることができる。さらに、与えられた接続について、最大送信パワーレベルは、例えば、ワイヤレス端末によってサポートされている接続の数が変化するので、時間にわたって変化することができる。それ故に、たとえ基地局が、ワイヤレス端末の最大送信パワー能力を知っていたとしても、基地局は、特定の時点においてワイヤレス端末によってサポートされている通信リンクの数について知らないこともあることに注意することができる。しかしながら、バックオフレポートは、基地局が、パワーリソースを消費している可能性のある他の可能性のある既存の接続について知る必要なしに与えられた接続についての使用可能なパワーについて基地局に通知する情報を提供する。
【０３４０】
データ／情報７４２０は、ユーザ／デバイス／セッション／リソース情報７４４０と、システムデータ７４４２と、受信パワー制御信号情報７４８４と、最大送信パワー情報７４８６と、ＤＣＣＨパワー情報７４９０と、タイミング情報７４９２と、ＤＣＣＨチャネル情報７４９４と、基地局識別情報７４９８と、端末識別情報７４９９と、パワーレポート情報７４９５と、追加ＤＣＣＨレポートの情報７４９３と、符号化されたＤＣＣＨセグメント情報７４９１と、ＤＣＣＨモード情報７４８９とを含む。ＤＣＣＨチャネル情報７４９４は、割当て論理トーン情報７４９６、例えば、基地局アタッチメントポイントによりワイヤレス端末に現在割り付けられる単一論理ＤＣＣＨチャネルトーンを識別する情報を含んでいる。
【０３４１】
ユーザ／デバイス／セッション／リソース情報７４４０は、ユーザ識別情報、ユーザ名情報、ユーザセキュリティ情報、デバイス識別情報、デバイスタイプ情報、デバイス制御パラメータ、ピアノード情報などのセッション情報、セキュリティ情報、状態情報、ピアノード識別情報、ピアノードアドレス指定情報、経路指定情報、ＷＴ７４００に割り当てられるアップリンクおよび／またはダウンリンクのチャネルセグメントなどのエアリンクリソース情報を含む。受信パワー制御情報７４８４は、例えば、制御される閉ループパワーである制御チャネル、例えば、ＤＣＣＨチャネルに関してワイヤレス端末の送信パワーレベルを増大させ、減少させ、または変化させない基地局からの受信ＷＴパワー制御コマンドを含んでいる。最大送信パワー情報７４８６は、パワーレポートを生成する際に使用されるべき最大ワイヤレス端末送信パワー値を含んでいる。基準信号情報７４９６は、パワーレポート計算において使用されるべき基準信号を、例えば、ＤＣＣＨチャネル信号として識別する情報と、パワーレポートが通信されるＤＣＣＨセグメントの開始送信時間とパワーレポート時間オフセット情報７４７２に基づいて決定される時点における基準信号の送信パワーレベルとを含む。ＤＣＣＨパワー情報７４９０は、最大送信パワー情報７４８６と基準信号情報７４９７を入力として有する計算サブモジュール７４２８の結果である。ＤＣＣＨパワー情報７４９０は、パワーレポートを通信するためのパワーレポート情報７４９５の中のビットパターンによって表される。追加ＤＣＣＨレポートの情報７４９３は、パワーレポートとして、同じＤＣＣＨセグメントの形で通信される他のタイプのＤＣＣＨレポートに対応する情報、例えば、１ビットのアップリンクトラフィックチャネル要求レポートや４ビットのアップリンクトラフィックチャネル要求レポートなど、他のＤＣＣＨレポートを含んでいる。符号化されたＤＣＣＨセグメント情報７４９１は、符号化されたＤＣＣＨセグメント、例えば、パワーレポートおよび追加レポートを伝えるＤＣＣＨセグメントを表す情報を含んでいる。タイミング情報７４９２は、基準信号情報のタイミングを識別する情報と、パワーレポートを通信するために使用されるべきＤＣＣＨセグメントの開始のタイミングを識別する情報とを含む。タイミング情報７４９２は、例えば、アップリンクのタイミングおよび周波数の構造内のインデックス付けされたＯＦＤＭシンボルタイミングをリカーリングＤＣＣＨ報告スケジュール情報に、例えば、インデックス付けされたＤＣＣＨセグメントに関係づける現在のタイミングを識別する情報を含んでいる。タイミング情報７４９２はまた、トーンホッピングを決定するためにトーンホッピングモジュール７３４４によって使用される。基地局識別情報７４９８は、ワイヤレス端末によって使用されている基地局アタッチメントポイントに関連する基地局、基地局セクタ、および／または基地局トーンブロックを識別する情報を含んでいる。端末識別情報７４９９は、基地局によって割り当てられたワイヤレス端末識別子、例えば、ＤＣＣＨチャネルセグメントに関連づけられるべき基地局によって割り当てられたワイヤレス端末オン状態識別子を含むワイヤレス端末識別情報を含んでいる。ＤＣＣＨチャネル情報７４９６は、ＤＣＣＨチャネルを、例えば、フルトーンチャネルとして、あるいは複数のスプリットトーンチャネルのうちの１つとして識別する情報を含んでいる。割当て論理トーン情報７４９６は、そのＤＣＣＨチャネルについてＷＴ７４００によって使用されるべき論理ＤＣＣＨトーン、例えば、情報７４５４によって識別される、端末ＩＤ情報７４９９の基地局によって割り当てられたＷＴオン状態識別子に対応するトーンの組からの１つのＤＣＣＨ論理トーンを識別する情報を含んでいる。ＤＣＣＨモード情報７４８９は、現在のＤＣＣＨモードのオペレーションを、例えば、フルトーンフォーマットモードのオペレーション、またはスプリットトーンフォーマットモードのオペレーションとして識別する情報を含んでいる。一部の実施形態においては、ＤＣＣＨモード情報７４８９はまた、最大送信パワー情報についての異なる値に対応する異なるモードの、例えば、通常モードおよびパワー節約モードのオペレーションを識別する情報も含んでいる。
【０３４２】
システムデータ／情報７４４２は、複数の組の基地局データ／情報（ＢＳ１データ／情報７４４４、ＢＳ  Ｍデータ／情報７４４６）と、ＤＣＣＨ送信報告スケジュール情報７４６２と、パワーレポート時間オフセット情報７４７２と、ＤＣＣＨレポートフォーマット情報７４７６とを含む。ＢＳ１データ／情報７４４２は、ダウンリンクタイミング／周波数構造情報７４４８と、アップリンクタイミング／周波数構造情報７４５０とを含む。ダウンリンクタイミング／周波数構造情報７４４８は、ダウンリンクトーンセット、例えば、１１３個のトーンのトーンブロックを識別する情報と、ダウンリンクチャネルセグメント構造と、ダウンリンクトーンホッピング情報と、ダウンリンクキャリア周波数情報と、ＯＦＤＭシンボルタイミング情報、およびＯＦＤＭシンボルのグループ分けを含むダウンリンクタイミング情報、ならびにダウンリンクとアップリンクを関係づけるタイミング情報を含む。アップリンクタイミング／周波数構造情報７４５０は、アップリンク論理トーンセット情報７４５２と、トーンホッピング情報７４５６と、タイミング構造情報７４５８と、キャリア情報７４６０とを含む。アップリンク論理トーンセット情報７４５２、例えば、基地局アタッチメントポイントによって使用されているアップリンクチャネル構造における１組の１１３個のアップリンク論理トーンに対応する情報は、ＤＣＣＨ論理チャネルトーン情報７４５４、例えば、その専用制御チャネルセグメントシグナリングについて使用するために３１個のトーンのうちの１つを受信するＢＳ１アタッチメントポイントを使用してオン状態にあるワイヤレス端末を有する専用制御チャネルのために使用される３１個の論理トーンのサブセットに対応する情報を含んでいる。キャリア情報７４６０は、基地局１アタッチメントポイントに対応するアップリンクキャリア周波数を識別する情報を含んでいる。
【０３４３】
ＤＣＣＨ送信報告スケジュール情報７４６２は、ＤＣＣＨフルトーンモードリカーリング報告スケジュール情報７４６４と、スプリットトーンモードリカーリング報告スケジュール情報７４６６とを含む。フルトーンモードリカーリング報告スケジュール情報７４６４は、パワーレポートスケジュール情報７４６８を含んでいる。スプリットトーンモードリカーリング報告スケジュール情報７４６６は、パワーレポートスケジュール情報７４７０を含んでいる。ＤＣＣＨレポートフォーマット情報７４７６は、パワーレポートフォーマット情報７４７８を含んでいる。パワーレポートフォーマット情報７４７８は、フルトーンモード情報７４８０と、スプリットトーンモード情報７４８２とを含む。
【０３４４】
ＤＣＣＨ送信報告スケジューリング情報７４６２は、生成されたＤＣＣＨレポートの送信を制御する際に使用される。フルトーンモードリカーリング報告スケジューリング情報７４６４は、ワイヤレス端末７４００が、フルトーンモードのＤＣＣＨオペレーションで動作しているときにＤＣＣＨレポートを制御することになっている。図１０のドローイング１０９９は、例示のフルトーンモードＤＣＣＣＨリカーリング報告スケジュール情報７４６４を示している。例示のパワーレポートスケジュール情報７４６８は、インデックスｓ２＝６を有するセグメント１００６と、インデックスｓ２＝２６を有するセグメント１０２６がおのおの、５ビットのワイヤレス端末アップリンク送信パワーバックオフレポート（ＵＬＴＸＢＫＦ５）を伝えるために使用されることを指し示す情報である。図３２のドローイング３２９９は、例示のスプリットトーンモードＤＣＣＣＨリカーリング報告スケジュール情報７４６６を示している。例示のパワーレポートスケジュール情報７４７０は、インデックスｓ２＝３を有するセグメント３２０３と、インデックスｓ２＝２１を有するセグメント３２２１がおのおの、４ビットのワイヤレス端末アップリンク送信パワーバックオフレポート（ＵＬＴＸＢＫＦ４）を伝えるために使用されることを指し示す情報である。
【０３４５】
ＤＣＣＨレポートフォーマット情報７４７６は、ＤＣＣＨレポートのおのおのについて使用されるフォーマット、例えば、レポートの中のビット数と、レポートを用いて通信されることができる可能性のあるビットパターンのおのおのに関連する情報とを指し示す。例示のフルトーンモードパワーレポートフォーマット情報７４８０は、ＵＬＴｘＢＫＦ５のフォーマットを示す、図２６の表２６００に対応する情報を含んでいる。例示のスプリットトーンモードパワーレポートフォーマット情報７４８２は、ＵＬＴｘＢＫＦ４のフォーマットを示す、図３５の表３５００に対応する情報を含んでいる。バックオフレポートＵＬＴｘＢＫＦ５およびＵＬＴｘＢＫＦ４は、ｄＢ値を指し示す。
【０３４６】
パワーレポート時間オフセット情報７４７２は、生成されたパワーレポートが、例えば情報を提供する時点と、前記レポートが送信されるべき通信セグメントの開始との間の時間オフセットを指し示す情報を含んでいる。例えば、ＵＬＴｘＢＫＦ５レポートが、ビーコンスロットのインデックスｓ２＝６を有するセグメント１００６に対応する例示のアップリンクセグメントにおいて通信されるべきであることを考慮し、そしてレポートを生成する際に使用される基準信号が、専用制御チャネル信号、パワーレポート時間オフセット情報７４７２であることを考慮する。そのような場合には、時間オフセット情報７４７２は、レポート情報が対応する時刻と、セグメント１００６の送信の開始との間の時間オフセット、例えば、基準信号、例えば、ＤＣＣＨ信号と、送信パワーレベルとに対応するレポートの送信時刻に先立つＯＦＤＭシンボル送信時間間隔を指し示す情報を含んでいる。
【０３４７】
図７５は、ワイヤレス端末送信パワーレポートを使用して本発明の例示の一実施形態の特徴を説明するために使用されるドローイング７５００である。垂直軸７５０２は、ワイヤレス端末の専用制御チャネル、例えば単一トーンチャネルの送信パワーレベルを表すが、水平軸は、時間７５０４を表している。専用制御チャネルは、専用制御チャネルセグメント信号を経由して様々なアップリンク制御情報レポートを通信するためにワイヤレス端末によって使用される。様々なアップリンク制御情報レポートは、ワイヤレス端末送信パワーレポート、例えば、ＷＴ送信パワーバックオフレポートと、他の追加制御情報レポート、例えば、アップリンクトラフィックチャネル要求レポート、干渉レポート、ＳＮＲレポート、自己雑音レポートなどとを含む。
【０３４８】
小さな影付けされた各円、例えば、円７５０６は、対応する時点における専用制御チャネルの送信パワーレベルを表すために使用される。例えば、各時点は、一部の実施形態においては、ＯＦＤＭシンボル送信時間間隔に対応しており、識別されたパワーレベルは、ＯＦＤＭシンボル送信時間間隔中のＷＴのＤＣＣＨチャネルの単一トーンに対応する変調シンボルに関連するパワーレベルである。一部の実施形態においては、各時点は、例えば、ワイヤレス端末のＤＣＣＨチャネルについて同じ物理トーンを使用した連続するＯＦＤＭシンボル送信時間間隔のうちの固定数、例えば、７を表すドウェルに対応する。
【０３４９】
破線ボックス７５１４は、ＷＴ送信パワーバックオフレポートを伝えるＤＣＣＨセグメントを表す。セグメントは、複数のＯＦＤＭシンボル送信時間間隔を含んでいる。一部の実施形態においては、ＤＣＣＨセグメントは、２１個のＯＦＤＭトーンシンボルを含み、１個のＯＦＤＭトーンシンボルが２１個のＯＦＤＭシンボル送信時間間隔のおのおのに対応する、２１個のＯＦＤＭシンボル送信時間間隔を含んでいる。
【０３５０】
例示の送信バックオフレポートは、基準信号の送信パワーに対するＷＴの最大送信パワー、例えば、セット値の比を指し示す。この例示の実施形態においては、基準信号は、送信パワーバックオフレポートを通信するために使用されるＤＣＣＨセグメントの開始からのオフセットである時点におけるＤＣＣＨチャネル信号である。時刻７５１６は、ＷＴ送信パワーバックオフレポートを伝えるＤＣＣＨセグメントの開始を識別する。時間オフセット７５１８、例えば、あらかじめ決定された値は、セグメント７５１４のパワーレポートを生成するために使用される基準信号の送信時刻である時刻７５１２に対して時刻７５１６を関係づける。Ｘ７５０８は、パワーレベル７５１０と時刻７５１２との観点から基準信号を識別する。
【０３５１】
オン状態におけるワイヤレス端末について様々な実施形態において使用されるＤＣＣＨ制御チャネルに加えて、本発明のシステムはまた、ワイヤレス端末に専用とすることができる追加の専用アップリンク制御シグナリングチャネル、例えば、タイミング制御チャネルおよび／または状態遷移要求チャネルをサポートすることが理解されるべきである。これらの追加チャネルは、タイミングおよび状態遷移の要求チャネルに加えてＤＣＣＨ制御チャネルが提供されるオン状態にある端末と共に、オン状態に加えてホールド状態の場合に存在することができる。タイミング制御および／または状態遷移の要求チャネル上でのシグナリングは、ＤＣＣＨ制御チャネル上のシグナリングよりもずっと低いレートで、例えば、ワイヤレス端末の観点からレート１／５以下で行われる。一部の実施形態においては、専用アップリンクチャネルは、ホールド状態において基地局アタッチメントポイントによって割り当てられるアクティブユーザＩＤに基づいて提供されるが、ＤＣＣＨチャネルは、基地局アタッチメントポイントによって割り当てられるオン状態識別子を含む情報に基づいて基地局アタッチメントポイントによって割り付けられる。
【０３５２】
本発明の技法は、ソフトウェア、ハードウェアおよび／またはソフトウェアとハードウェアとの組合せを使用してインプリメントされることができる。本発明は、本発明をインプリメントする装置、例えば、モバイル端末などのモバイルノード、基地局、通信システムを対象としている。本発明はまた、本発明に従う方法、例えば、制御し、かつ／または動作するモバイルノード、基地局および／または通信システム、例えば、ホストの方法も対象としている。本発明はまた、本発明に従って１つまたは複数のステップをインプリメントするために機械を制御するための機械読取り可能命令を含む機械読取り可能媒体、例えば、ＲＯＭ、ＲＡＭ、ＣＤ、ハードディスクなども対象としている。
【０３５３】
様々な実施形態においては、ここにおいて説明されるノードは、本発明の１つまたは複数の方法に対応するステップ、例えば、信号処理、メッセージ生成、および／または送信のステップを実行するために１つまたは複数のモジュールを使用してインプリメントされる。それ故に、一部の実施形態においては、本発明の様々な機能が、モジュールを使用してインプリメントされる。そのようなモジュールは、ソフトウェア、ハードウェア、またはソフトウェアとハードウェアとの組合せを使用してインプリメントされることができる。上記される方法または方法ステップの多くは、例えば、１つまたは複数のノードにおいて上記される方法のすべてまたは一部分をインプリメントするために、機械、例えば、追加のハードウェアを有し、または有さない汎用コンピュータを制御するために、メモリデバイス、例えば、ＲＡＭ、フロッピー（登録商標）ディスクなどの機械読取り可能媒体に含まれる、ソフトウェアなどの機械実行可能命令を使用してインプリメントされることができる。したがって、他の物事のうちでもとりわけ、本発明は、機械、例えば、プロセッサおよび関連するハードウェアに上記の方法（単数または複数）の１つまたは複数のステップを実行させるための機械実行可能命令を含む機械読取り可能媒体を対象としている。
【０３５４】
ＯＦＤＭシステムの場合について説明されているが、本発明の少なくとも一部の方法および装置は、多数の非ＯＦＤＭおよび／または非セルラのシステムを含めて、広い範囲の通信システムに対して適用可能である。
【０３５５】
上記の本発明の方法および装置に対する非常に多くの追加の変形が、本発明の上記説明を考慮して当業者には明らかであろう。そのような変形は、本発明の範囲内にあると考えられるべきである。本発明の方法および装置は、アクセスノードとモバイルノードとの間のワイヤレス通信リンクを提供するために使用されることができるＣＤＭＡ、直交周波数分割多重化（ＯＦＤＭ）、および／または様々な他のタイプの通信技法を用いて使用されることができ、そして様々な実施形態においては使用される。一部の実施形態においては、アクセスノードは、ＯＦＤＭおよび／またはＣＤＭＡを使用してモバイルノードとの通信リンクを確立する基地局としてインプリメントされる。様々な実施形態においては、モバイルノードは、本発明の方法をインプリメントするためのレシーバ／トランスミッタ回路、ロジックおよび／またはルーチンを含めて、ノートブックコンピュータ、携帯型個人情報端末(personal data assistant)（ＰＤＡ）、あるいは他のポータブルデバイスとしてインプリメントされる。
【図面の簡単な説明】
【０３５６】
【図１】本発明に従ってインプリメントされる例示の通信システムの図である。
【図２】本発明に従ってインプリメントされる例示の基地局を示す図である。
【図３】本発明に従ってインプリメントされる例示のワイヤレス端末、例えば、モバイルノードを示す図である。
【図４】例示の直交周波数分割多重化（ＯＦＤＭ）多元接続ワイヤレス通信システムにおける、例示のアップリンクのタイミングおよび周波数の構造における例示のアップリンク専用制御チャネル（ＤＣＣＨ）セグメントの図である。
【図５】論理ＤＣＣＨチャネルトーンに対応するＤＣＣＨセグメントの各組がフルトーンフォーマットである時における例示の直交周波数分割多重化（ＯＦＤＭ）多元接続ワイヤレス通信システムにおける、例示のアップリンクのタイミングおよび周波数の構造における例示の専用制御チャネルのドローイングを含む図である。
【図６】論理ＤＣＣＨチャネルトーンに対応するＤＣＣＨセグメントの各組がスプリットトーンフォーマットである時における例示の直交周波数分割多重化（ＯＦＤＭ）多元接続ワイヤレス通信システムにおける、例示のアップリンクのタイミングおよび周波数の構造における例示の専用制御チャネルのドローイングを含む図である。
【図７】論理ＤＣＣＨチャネルトーンに対応するＤＣＣＨセグメントの組の一部がフルトーンフォーマットであり、論理ＤＣＣＨチャネルトーンに対応するＤＣＣＨセグメントの組の一部がスプリットトーンフォーマットである時における例示の直交周波数分割多重化（ＯＦＤＭ）多元接続ワイヤレス通信システムにおける、例示のアップリンクのタイミングおよび周波数の構造における例示の専用制御チャネルのドローイングを含む図である。
【図８】本発明に従って、例示のアップリンクＤＣＣＨにおける、フォーマットと、ＤＣＣＨセグメントにおける情報ビットの解釈を定義するモードの使用を示す図である。
【図９】異なるモードのオペレーションを示す、図８に対応するいくつかの例を示す図である。
【図１０】与えられたＤＣＣＨについてのビーコンスロットにおける例示のデフォルトモードのフルトーンフォーマットを示す図である。
【図１１】ＷＴがオン状態にマイグレートした後の第１のアップリンクスーパースロットにおける、フルトーンフォーマットのアップリンクＤＣＣＨセグメントにおけるデフォルトモードの例示の定義を示す図である。
【図１２】デフォルトモードについてのフルトーンフォーマットにおける専用制御レポート（ＤＣＲ）の例示の概要リストである。
【図１３】非ＤＬマクロダイバーシティモードにおける例示の５ビットのダウンリンクＳＮＲレポート（ＤＬＳＮＲ５）についての例示のフォーマットの表である。
【図１４】ＤＬマクロダイバーシティモードにおける５ビットのダウンリンクＳＮＲレポート（ＤＬＳＮＲ５）の例示のフォーマットの表である。
【図１５】例示の３ビットのダウンリンクデルタＳＮＲレポート（ＤＬＤＳＮＲ３）の例示のフォーマットの表である。
【図１６】例示の１ビットのアップリンク要求（ＵＬＲＱＳＴ１）レポートについての例示のフォーマットの表である。
【図１７】送信要求グループキュー情報を伝えるアップリンクマルチビット要求レポートを決定する際に使用されている例示の制御パラメータｙおよびｚを計算するために使用される例示の表である。
【図１８】例示の第１の要求辞書（ＲＤ参照番号＝０）に対応する４ビットのアップリンク要求、ＵＬＲＱＳＴ４についての１６個のビットパターンのおのおのに関連するビットフォーマットおよび解釈を識別する表である。
【図１９】例示の第１の要求辞書（ＲＤ参照番号＝０）に対応する３ビットのアップリンク要求、ＵＬＲＱＳＴ３についての８個のビットパターンのおのおのに関連するビットフォーマットおよび解釈を識別する表である。
【図２０】例示の第２の要求辞書（ＲＤ参照番号＝１）に対応する４ビットのアップリンク要求、ＵＬＲＱＳＴ４についての１６個のビットパターンのおのおのに関連するビットフォーマットおよび解釈を識別する表である。
【図２１】例示の第２の要求辞書（ＲＤ参照番号＝１）に対応する３ビットのアップリンク要求、ＵＬＲＱＳＴ３についての８個のビットパターンのおのおのに関連するビットフォーマットおよび解釈を識別する表である。
【図２２】例示の第３の要求辞書（ＲＤ参照番号＝２）に対応する４ビットのアップリンク要求、ＵＬＲＱＳＴ４についての１６個のビットパターンのおのおのに関連するビットフォーマットおよび解釈を識別する表である。
【図２３】例示の第３の要求辞書（ＲＤ参照番号＝２）に対応する３ビットのアップリンク要求、ＵＬＲＱＳＴ３についての８個のビットパターンのおのおのに関連するビットフォーマットおよび解釈を識別する表である。
【図２４】例示の第４の要求辞書（ＲＤ参照番号＝３）に対応する４ビットのアップリンク要求、ＵＬＲＱＳＴ４についての１６個のビットパターンのおのおのに関連するビットフォーマットおよび解釈を識別する表である。
【図２５】例示の第４の要求辞書（ＲＤ参照番号＝３）に対応する３ビットのアップリンク要求、ＵＬＲＱＳＴ３についての８個のビットパターンのおのおのに関連するビットフォーマットおよび解釈を識別する表である。
【図２６】本発明に従って、例示の５ビットのアップリンクトランスミッタパワーバックオフレポート（ＵＬＴｘＢＫＦ５）についての３２個のビットパターンのおのおのに関連するビットフォーマットおよび解釈を識別する表である。
【図２７】本発明に従ってインプリメントされる、トーンブロックパワーティア番号をパワースケーリングファクタに関係づける例示のパワースケーリングファクタ表を含む図である。
【図２８】本発明に従ってインプリメントされる、基地局セクタローディング情報を通信する際に使用される例示のアップリンクローディングファクタ表である。
【図２９】本発明に従って、４ビットのダウンリンクビーコン比レポート（ＤＬＢＮＲ４）についての例示のフォーマットを示す表である。
【図３０】本発明に従って、例示の４ビットのダウンリンク自己雑音飽和レベルのＳＮＲレポート（ＤＬＳＳＮＲ４）のフォーマットを記述する例示の表の図である。
【図３１】インジケータレポート情報ビットと、対応するフレキシブルレポートによって搬送されるレポートのタイプと、の間のマッピングの一例を示す表の図である。
【図３２】例示のワイヤレス端末についての与えられるＤＣＣＨトーンについてのビーコンスロットにおける例示のデフォルトモードのスプリットトーンフォーマットを示す図である。
【図３３】ＷＴがオン状態にマイグレートした後の第１のアップリンクスーパースロットにおける、スプリットトーンフォーマットのアップリンクＤＣＣＨセグメントにおけるデフォルトモードの例示の定義を示す図である。
【図３４】デフォルトモードについてのスプリットトーンフォーマットにおける専用制御レポート（ＤＣＲ）の例示の概要リストを示す図である。
【図３５】本発明に従って、例示の４ビットのアップリンク送信バックオフレポート（ＵＬＴｘＢＫＦ４）についての１６個のビットパターンのおのおのに関連するビットフォーマットおよび解釈を識別する表である。
【図３６】インジケータレポート情報ビットと、対応するフレキシブルレポートによって搬送されるレポートのタイプとの間のマッピングの一例を示す図である。
【図３７】フルトーンフォーマットにおけるアップリンク専用制御チャネルセグメント変調符号化の例示の仕様を示す図である。
【図３８】スプリットトーンフォーマットにおけるアップリンク専用制御チャネルセグメント変調符号化の例示の仕様を示す表の図である。
【図３９】例示のワイヤレス端末アップリンクトラフィックチャネルフレーム要求グループキューカウント情報を示す表の図である。
【図４０】本発明の例示の一実施形態に従って、ワイヤレス端末によって保持されている例示の１組の４つの要求グループキューを示すドローイングと、２つの例示のワイヤレス端末についての要求キューに対するアップリンクデータストリームトラフィックフローの例示のマッピングを示すドローイングとを含む図である。
【図４１】レポートのタイプのおのおのについて使用される例示のフォーマットに従って、例示の要求グループキュー構造と、複数の要求辞書と、複数のタイプのアップリンクトラフィックチャネル要求レポートと、キューの組のグループ分けとを示す図である。
【図４２】図４２Ａと、図４２Ｂと、図４２Ｃと、図４２Ｄと、図４２Ｅの組合せを備えており、本発明に従ってワイヤレス端末を動作させる例示の一方法のフローチャートである。
【図４２Ａ】本発明に従ってワイヤレス端末を動作させる例示の一方法のフローチャートである図４２の一部を構成するフローチャートである。
【図４２Ｂ】本発明に従ってワイヤレス端末を動作させる例示の一方法のフローチャートである図４２の一部を構成するフローチャートである。
【図４２Ｃ】本発明に従ってワイヤレス端末を動作させる例示の一方法のフローチャートである図４２の一部を構成するフローチャートである。
【図４２Ｄ】本発明に従ってワイヤレス端末を動作させる例示の一方法のフローチャートである図４２の一部を構成するフローチャートである。
【図４２Ｅ】本発明に従ってワイヤレス端末を動作させる例示の一方法のフローチャートである図４２の一部を構成するフローチャートである。
【図４３】本発明に従ってワイヤレス端末を動作させる例示の一方法のフローチャートである。
【図４４】本発明に従って、制御情報を報告するようにワイヤレス端末を動作させる例示の一方法のフローチャートである。
【図４５】本発明の例示の一実施形態における初期制御情報レポートセットの使用を示すために使用される図である。
【図４６】本発明の例示の一実施形態における初期制御情報レポートセットの使用を示すために使用される図である。
【図４７】本発明に従って、リカーリングベースで、複数の異なる制御情報レポートの送信を制御する際に使用するためのあらかじめ決定されたレポートシーケンスを指し示す情報を含む通信デバイスを動作させる例示の一方法のフローチャートである。
【図４８】本発明の様々な実施形態に従って、２つの例示の異なるフォーマットの初期制御チャネル情報レポートセットと、レポートの異なる組を伝える少なくとも１つのセグメントを含む異なるフォーマットのレポートセットを示す図である。
【図４９】本発明の様々な実施形態に従って、異なる数のセグメントを有する複数の異なる初期制御情報レポートセットを示す図である。
【図５０】本発明に従ってワイヤレス端末を動作させる例示の一方法のフローチャートである。
【図５１】本発明の様々な実施形態に従って、例示のワイヤレス端末に割り付けられる例示のフルトーンＤＣＣＨモードセグメントと例示のスプリットトーンＤＣＣＨモードセグメントとを示す図である。
【図５２】本発明に従って基地局を動作させる例示の一方法の図のフローチャートである。
【図５３】本発明の様々な実施形態に従って、例示のワイヤレス端末に割り付けられる例示のフルトーンＤＣＣＨモードセグメントと例示のスプリットトーンＤＣＣＨモードセグメントとを示す図である。
【図５４】本発明に従ってワイヤレス端末を動作させる例示の一方法のフローチャートの図である。
【図５５】本発明に従って、そして本発明の方法を使用してインプリメントされる例示のワイヤレス端末、例えば、モバイルノードの図である。
【図５６】本発明に従って、そして本発明の方法を使用してインプリメントされる例示の基地局、例えば、アクセスノードの図である。
【図５７】本発明に従って、そして本発明の方法を使用してインプリメントされる例示のワイヤレス端末、例えば、モバイルノードの図である。
【図５８】本発明に従って、そして本発明の方法を使用してインプリメントされる例示の基地局、例えば、アクセスノードの図である。
【図５９】図５９Ａと、図５９Ｂと、図５９Ｃの組合せを備えており、本発明に従ってワイヤレス端末を動作させる例示の一方法のフローチャートである。
【図５９Ａ】、本発明に従ってワイヤレス端末を動作させる例示の一方法のフローチャートである図５９の一部を構成するフローチャートである。
【図５９Ｂ】、本発明に従ってワイヤレス端末を動作させる例示の一方法のフローチャートである図５９の一部を構成するフローチャートである。
【図５９Ｃ】、本発明に従ってワイヤレス端末を動作させる例示の一方法のフローチャートである図５９の一部を構成するフローチャートである。
【図６０】本発明に従って、送信パワー情報を基地局に供給するようにワイヤレス端末を動作させる例示の一方法のフローチャートである。
【図６１】例示の１ビットのアップリンク要求（ＵＬＲＱＳＴ１）レポートについての例示のフォーマットの表である。
【図６２】送信要求グループキュー情報を伝えるアップリンクマルチビット要求レポートを決定する際に使用されている例示の制御パラメータｙおよびｚを計算するために使用される例示の表である。
【図６３】０に等しいＲＤ参照番号を有する例示の要求辞書を定義する図である。
【図６４】０に等しいＲＤ参照番号を有する例示の要求辞書を定義する図である。
【図６５】１に等しいＲＤ参照番号を有する例示の要求辞書を定義する表を含む図である。
【図６６】１に等しいＲＤ参照番号を有する例示の要求辞書を定義する表を含む図である。
【図６７】２に等しいＲＤ参照番号を有する例示の要求辞書を定義する表を含む図である。
【図６８】２に等しいＲＤ参照番号を有する例示の要求辞書を定義する表を含む図である。
【図６９】３に等しいＲＤ参照番号を有する例示の要求辞書を定義する表を含む図である。
【図７０】３に等しいＲＤ参照番号を有する例示の要求辞書を定義する表を含む図である。
【図７１】本発明に従って、そして本発明の方法を使用してインプリメントされる例示のワイヤレス端末、例えば、モバイルノードの図である。
【図７２】本発明に従って、そして本発明の方法を使用してインプリメントされる例示のワイヤレス端末、例えば、モバイルノードの図である。
【図７３】本発明の様々な実施形態に従って異なる時刻にアップリンクデータストリームトラフィックフローの例示のワイヤレス端末についての、その要求グループキューに対する例示のマッピングを示す図である。
【図７４】本発明に従って、そして本発明の方法を使用してインプリメントされる例示のワイヤレス端末、例えば、モバイルノードの図である。
【図７５】ワイヤレス端末送信パワーレポートを使用して本発明の例示の一実施形態の特徴を説明するために使用される図である。
【図１】
2009521850.tif 000003
【図２】
2009521850.tif 000004
【図３】
2009521850.tif 000005
【図４】
2009521850.tif 000006
【図５】
2009521850.tif 000007
【図６】
2009521850.tif 000008
【図７】
2009521850.tif 000009
【図８】
2009521850.tif 000010
【図９】
2009521850.tif 000011
【図１０】
2009521850.tif 000012
【図１１】
2009521850.tif 000013
【図１２】
2009521850.tif 000014
【図１３】
2009521850.tif 000015
【図１４】
2009521850.tif 000016
【図１５】
2009521850.tif 000017
【図１６】
2009521850.tif 000018
【図１７】
2009521850.tif 000019
【図１８】
2009521850.tif 000020
【図１９】
2009521850.tif 000021
【図２０】
2009521850.tif 000022
【図２１】
2009521850.tif 000023
【図２２】
2009521850.tif 000024
【図２３】
2009521850.tif 000025
【図２４】
2009521850.tif 000026
【図２５】
2009521850.tif 000027
【図２６】
2009521850.tif 000028
【図２７】
2009521850.tif 000029
【図２８】
2009521850.tif 000030
【図２９】
2009521850.tif 000031
【図３０】
2009521850.tif 000032
【図３１】
2009521850.tif 000033
【図３２】
2009521850.tif 000034
【図３３】
2009521850.tif 000035
【図３４】
2009521850.tif 000036
【図３５】
2009521850.tif 000037
【図３６】
2009521850.tif 000038
【図３７】
2009521850.tif 000039
【図３８】
2009521850.tif 000040
【図３９】
2009521850.tif 000041
【図４０】
2009521850.tif 000042
【図４１】
2009521850.tif 000043
【図４２】
2009521850.tif 000044
【図４２Ａ】
2009521850.tif 000045
【図４２Ｂ】
2009521850.tif 000046
【図４２Ｃ】
2009521850.tif 000047
【図４２Ｄ】
2009521850.tif 000048
【図４２Ｅ】
2009521850.tif 000049
【図４３】
2009521850.tif 000050
【図４４】
2009521850.tif 000051
【図４５】
2009521850.tif 000052
【図４６】
2009521850.tif 000053
【図４７】
2009521850.tif 000054
【図４８】
2009521850.tif 000055
【図４９】
2009521850.tif 000056
【図５０】
2009521850.tif 000057
【図５１】
2009521850.tif 000058
【図５２】
2009521850.tif 000059
【図５３】
2009521850.tif 000060
【図５４】
2009521850.tif 000061
【図５５】
2009521850.tif 000062
【図５６】
2009521850.tif 000063
【図５７】
2009521850.tif 000064
【図５８】
2009521850.tif 000065
【図５９】
2009521850.tif 000066
【図５９Ａ】
2009521850.tif 000067
【図５９Ｂ】
2009521850.tif 000068
【図５９Ｃ】
2009521850.tif 000069
【図６０】
2009521850.tif 000070
【図６１】
2009521850.tif 000071
【図６２】
2009521850.tif 000072
【図６３】
2009521850.tif 000073
【図６４】
2009521850.tif 000074
【図６５】
2009521850.tif 000075
【図６６】
2009521850.tif 000076
【図６７】
2009521850.tif 000077
【図６８】
2009521850.tif 000078
【図６９】
2009521850.tif 000079
【図７０】
2009521850.tif 000080
【図７１】
2009521850.tif 000081
【図７２】
2009521850.tif 000082
【図７３】
2009521850.tif 000083
【図７４】
2009521850.tif 000084
【図７５】
2009521850.tif 000085
【国際調査報告】
2009521850.tif 000086
2009521850.tif 000087